(57)【要約】      （修正有）【課題】クラブヘッドスイング速力の広い範囲に亘って効果を上げる設計を有するゴルフクラブヘッド及びゴルフクラブの提供。【解決手段】ゴルフクラブヘッドは、フェースとクラウンとソールを有していてそれらが一体で内部キャビティを画定している中空本体９３０２を含んでいる。中空本体９３０２は、ソールに配置されていて概して中空本体９３０２のヒール端から中空本体９３０２のトゥ端へ延びているチャネル９３２０を有している。チャネル９３２０内には重り部材が、重り部材のチャンネル９３２０内での位置を調節することができるように、可動式に位置付けられていて、それにより中空本体９３０２の重心の場所が調節できるようになっている。加えて、重り部材の調節は、２ｍｍより大きい最大ｘ軸重心位置調節範囲（ＭａｘΔＣＧｘ）と２ｍｍより小さい最大ｚ軸重心調節範囲（ＭａｘΔＣＧｚ）を提供する。【選択図】図１９Ｂ
2020127845.tif 000002
【特許請求の範囲】
【請求項１】
ゴルフクラブヘッドにおいて、
フェースとクラウンとソールを有していてそれらが一体で内部キャビティを画定している本体であって、
前記本体は、前記ソールに配置されていて概して当該本体のヒール端から当該本体のトゥ端へ延びているチャネル、を有しており、ここに、前記フェースの中心と交わる第１の垂直平面と前記チャネルの間の距離は、前記チャネルの全長に亘って約５０ｍｍより小さい、本体と、
前記チャネル内に可動式に位置付けられている少なくとも１つの重りであって、当該少なくとも１つの重りの前記チャネル内の位置は調節することが可能である、少なくとも１つの重りと、
前記重りを装着するための装着キャビティであって、前記チャネルの使用可能部分へ組み入れられている装着キャビティと、
前記チャネル内を概して前記チャネルのヒール端から前記チャネルのトゥ端へ延びている少なくとも１つの棚部であって、前記少なくとも１つの重りが当該少なくとも１つの棚部上へ締め付けられるように構成されている棚部と、を備えているゴルフクラブヘッド。
【請求項２】
前記チャネルは、ヒール端、トゥ端、前チャネル壁、及び後チャネル壁、を含んでいる、請求項１に記載のゴルフクラブヘッド。
【請求項３】
前記チャネルの前記使用可能部分は、前記チャネルの前記ヒール端から前記チャネルの前記トゥ端へ延びている、請求項２に記載のゴルフクラブヘッド。
【請求項４】
前記装着キャビティは、前記重りの前記チャネル内への装着を容易にする陥凹面を含んでいる、請求項１に記載のゴルフクラブヘッド。
【請求項５】
前記少なくとも１つの棚部は、当該少なくとも１つの棚部の露出している面上に配置されている複数の突起を含んでおり、前記重り部材は、前記突起に選択的に係合するように適合されている複数のノッチを含んでいる、請求項１に記載のゴルフクラブヘッド。
【請求項６】
前記本体の前記ヒール端に配置されているヒール開口部であって、締結部材を受け入れるように構成されているヒール開口部と、
前記締結部材によってロック位置に固定されるスリーブを含んでいるヘッド対シャフト接続システムであって、前記ゴルフクラブヘッドをゴルフクラブシャフトへ複数の異なった位置で調節可能に取り付けできるようにしてロフト角、フェース角、又はライ角の異なる組合せの調節性範囲をもたらすように構成されているヘッド対シャフト接続システムと、を更に備えている請求項１に記載のゴルフクラブヘッド。
【請求項７】
前記少なくとも１つの重りの移動は、前記調節性範囲全体を通して、少なくともＭａｘΔＣＧｘのヘッド原点ｘ軸（ＣＧｘ）座標における２ｍｍの変化を現出させ、ＭａｘΔＣＧｚは前記調節性範囲全体を通して大凡２ｍｍである、請求項１に記載のゴルフクラブヘッド。
【請求項８】
前記ＭａｘΔＣＧｚは、前記調節性範囲全体を通して大凡１．５ｍｍである、請求項７に記載のゴルフクラブヘッド。
【請求項９】
前記ＭａｘΔＣＧｚは、前記調節性範囲全体を通して大凡１．０ｍｍである、請求項７に記載のゴルフクラブヘッド。
【請求項１０】
前記ＭａｘΔＣＧｚは、前記調節性範囲全体を通して大凡０．５ｍｍである、請求項７に記載のゴルフクラブヘッド。
【請求項１１】
前記ゴルフクラブヘッドは、約２００ｃｃより小さい体積を有している、請求項１に記載のゴルフクラブヘッド。
【請求項１２】
前記ヒール開口部は前記チャネル内に配置されている、請求項６に記載のゴルフクラブヘッド。
【請求項１３】
前記ゴルフクラブヘッドは、約４００ｃｃより大きい体積を有している、請求項１に記載のゴルフクラブヘッド。
【請求項１４】
前記チャネルの後方に配置されている少なくとも１つの重りポートを更に備えている、請求項１に記載のゴルフクラブヘッド。
【請求項１５】
前記ゴルフクラブヘッドは、前記チャネル内で可動式に位置付けられる少なくとも２つの重りを含んでおり、各重りの前記チャネル内の位置は調節できる、請求項１に記載のゴルフクラブヘッド。
【請求項１６】
前記内部キャビティの内部面上に提供されている少なくとも１つのリブであって、前記チャネル内部面を前記本体の少なくとも１つの他の内部面へ接続している少なくとも１つのリブ、を更に備えている請求項１に記載のゴルフクラブヘッド。
【請求項１７】
前記クラウンは、約２ｇ／ｃｃより小さい密度を有する複合材料から形成され、約０．１９５ｍｍから約０．９ｍｍまでの厚さを有し、前記本体へ固定されるように適合されている、請求項１に記載のゴルフクラブヘッド。
【請求項１８】
ゴルフクラブヘッドにおいて、
フェースとクラウンとソールを有していてそれらが一体で内部キャビティを画定している本体であって、
前記本体は、前記ソールに配置されていて概して当該本体の前部分から当該本体の後部分へ延びているチャネル、を有しており、前記チャネルは前チャネル壁と後チャネル壁を含み、前記チャネルの幅は約８ｍｍから約２０ｍｍの間であり、前記チャネルの深さは約６ｍｍから約２０ｍｍの間である、本体と、
前記チャネル内に可動式に位置付けられている少なくとも１つの重り組立体であって、前記少なくとも１つの重り組立体の前記チャネル内の位置は調節することが可能であり、前記少なくとも１つの重り組立体は、約５ｇから約２５ｇの間の重量があり、ワッシャと質量部材と締結用ボルトを含んでいる、少なくとも１つの重り組立体と、
前記重り組立体を前記チャネルに装着するための装着キャビティであって、前記前チャネル壁と前記後チャネル壁の間に配置されている装着キャビティと、
前記チャネル内の少なくとも１つの棚部であって、前記少なくとも１つの重り組立体が当該少なくとも１つの棚部上へ締め付けられるように構成されており、前記重り組立体が前記少なくとも１つの棚部へ締め付けられるとき前記締結用ボルトは張力を掛けられる、少なくとも１つの棚部と、
前記内部キャビティの内部面上に提供されている少なくとも１つのリブであって、前記チャネル内部面を前記本体の少なくとも１つの他の内部面へ接続している少なくとも１つのリブと、を備えているゴルフクラブヘッド。
【請求項１９】
ゴルフクラブヘッドにおいて、
フェースとクラウンとソールを有していてそれらが一体で内部キャビティを画定している本体であって、
前記本体は、前記ソールに配置されていて概して当該本体のヒール端から当該本体のトゥ端へ延びているチャネル、を有しており、前記チャネルは前チャネル壁と後チャネル壁を含み、前記チャネルの幅は約８ｍｍから約２０ｍｍの間である、本体と、
前記本体の前記ヒール端に配置されているヒール開口部であって、締結部材を受け入れるように構成されているヒール開口部と、
前記締結部材によってロック位置に固定されるスリーブを含んでいるヘッド対シャフト接続システムであって、前記ゴルフクラブヘッドをゴルフクラブシャフトへ複数の異なった位置で調節可能に取り付けできるようにしてロフト角、フェース角、又はライ角の異なる組合せの調節性範囲をもたらすように構成されているヘッド対シャフト接続システムと、
前記チャネルの後方に配置されている少なくとも１つの重りポートと、を備えており、
前記ゴルフクラブヘッドは約４００ｃｃより大きい体積を有している、ゴルフクラブヘッド。
【請求項２０】
前記チャネル内に可動式に位置付けられている少なくとも１つの重りであって、前記少なくとも１つの重りの前記チャネル内の位置は調節することが可能である、少なくとも１つの重りと、
前記重りを装着するための装着キャビティであって、前記チャネルの使用可能部分へ組み入れられている装着キャビティと、
前記チャネル内を概して前記チャネルのヒール端から前記チャネルのトゥ端へ延びている少なくとも１つの棚部であって、前記少なくとも１つの重りが当該少なくとも１つの棚部上へ締め付けられる、棚部と、を更に備えている請求項１９に記載のゴルフクラブヘッド。
【発明の詳細な説明】
【技術分野】
【０００１】
本願は、ゴルフクラブヘッドの実施形態に、厳密には調節可能な構成要素を有するクラ
ブヘッドに、向けられている。
【０００２】
（関連出願の相互参照）
本願は、２０１４年７月３日出願の米国仮特許出願第６２／０２０９７２号、２０１４
年１０月１７日出願の米国仮特許出願第６２／０６５，５５２号、及び２０１５年３月３
１日出願の米国仮特許出願第６２／１４１，１６０号の恩典を主張し、それら仮特許出願
をここに参考文献としてそっくりそのまま援用する。
【背景技術】
【０００３】
所与の型式のゴルフクラブ（例えば、ドライバ、アイアン、パター、ウェッジ）につい
て、ゴルフをする消費者は、多種多様なものの中から選定することができる。この種類の
多さは、一部には、ゴルファーの間で身体的な特性とゴルフの技量に大きな差があること
と、ゴルファーが遭遇するプレイ条件が広範囲に異なるということから来ている。例えば
、背の高いゴルファーは、シャフトの長いクラブを必要とし、力の強いゴルファー、又は
風の強い条件の中で又はフェアウェイが堅いコースでプレイしているゴルファーは、シャ
フトの撓みが少ない（剛性が高い）クラブを欲し、或るゴルファーは、自分のスイングの
或る傾向に打ち勝つ特定のプレイ特性を有するクラブを欲する（例えば、軌道が低いショ
ットを打つ傾向のあるゴルファーは、ロフト角が大きいクラブを購入したがる）。シャフ
トの撓み、ロフト角、及び利き手（即ち、左打ち又は右打ち）が異なるだけで、テーラー
メイド社製ｒ７  ４６０ドライバの変種は２４種にも上る。
【０００４】
１つのゴルフクラブに対しこのように多数の変種が入手可能になっているため、ゴルフ
をする消費者は、自分の必要に合ったクラブヘッドとシャフトの組合せを有するクラブを
購入することができる。しかしながら、シャフトとクラブヘッドは一般に別々に製造され
ており、シャフトがクラブヘッドに、大抵は接着剤によって、一旦取り付けられてしまう
と、クラブヘッドか又はシャフトのどちらかを取り換えることは消費者が容易く行えるも
のではない。クラブを修正したいという動機には、ゴルファーの身体的条件の変化（例え
ば、若年ゴルファーの身長が伸びた場合）、ゴルファーの技量の向上、又はプレイ条件に
適応するため、が含まれる。典型的にこれらの修正はプロショップで技術者によってなさ
れざるを得ない。ゴルファーは、自分のクラブを修正したいと思う度に、付帯する費用と
クラブ無しに過ごさねばならない時間のために、それを思い留まり、最適とは言えないゴ
ルフを経験することになる。而して、ゴルフをする消費者が自分で組み立て及び分解する
ことのできるゴルフクラブを提供するために努力が払われてきた。
【０００５】
これを目的に、機械的締結具によってシャフトへ取り外し可能に取り付けできるクラブ
ヘッドを有するゴルフクラブは、当技術では既知である。例えば、Cackettらへの米国特
許第７，０８３，５２９号（以下「Cackett」）は、入れ換え可能なヘッド対シャフト接
続を有するゴルフクラブを開示している。接続には、管、スリーブ、及び機械的締結具が
含まれている。スリーブが、シャフトの先端に装着される。次に、スリーブを装着された
シャフトが、クラブヘッド内に装着されている管に挿入される。機械的締結具が、スリー
ブを管に固定し、シャフトをクラブヘッドに接続された状態に保定する。スリーブは、管
の回転防止部分によって画定されているキー溝と相補的な構成を有するキー状部分を含む
下側部分を有している。キー溝は、管に対するスリーブの回転を防止するため非円形の断
面を有している。キー溝は、複数のスプラインを有している場合もあれば矩形又は六角形
の断面を有している場合もある。
【先行技術文献】
【特許文献】
【０００６】
【特許文献１】米国特許第６，７７３，３６０号
【特許文献２】米国特許第６，８００，０３８号
【特許文献３】米国特許第６，８２４，４７５号
【発明の概要】
【発明が解決しようとする課題】
【０００７】
Cackettに代表される型式の取り外し可能に取り付けできるゴルフクラブは、ゴルファ
ーがクラブヘッドをシャフトから分解できるようにはしているが、それらが更に従来型の
クラブヘッド対シャフト相互接続の完全性と剛性を備えたクラブヘッド対シャフト相互接
続を提供する、ということが必要である。例えば、クラブヘッド対シャフト相互接続の構
成要素間の回転運動を制限するやり方には、十分な荷重支承面積と剥ぎ取りに対する抵抗
がなくてはならない。従って、当技術には改良の余地がある。
【０００８】
加えて、ゴルフクラブヘッドの重心（ＣＧ）は、クラブ性能の決定的パラメータである
。インパクト時、ＣＧの位置は打たれたゴルフボールの打ち出し角度及び飛行軌道に大き
く影響する。而して、ゴルフクラブヘッドの重心の位置決めに対して多大な努力が払われ
てきた。それを目的に、現在のドライバ及びフェアウェイウッドのゴルフクラブヘッドは
、典型的に、鋼合金又はチタン合金の様な軽量でしかも耐久性のある材料で形成されてい
る。これらの材料は薄いクラブヘッド壁を形成するのに使用されるのが典型的である。薄
い壁ならより軽量であり、而して、結果的に裁量的重量即ちゴルフクラブヘッドの周りへ
の再配分に利用できる重量が大きくなる。裁量的重量が大きくなることで、ゴルフクラブ
製造業者は所望のゴルフクラブヘッド質量配分を実現するべくクラブ質量を割り当てる場
合により多くの余裕を持てるようになる。
【０００９】
ゴルフスイングはゴルファー間で差がある。所与のゴルフクラブの質量特性（例えば、
ＣＧ場所、慣性モーメント、など）及び設計幾何学形状（例えば静的ロフト）が、比較的
高いスイング速力を有するゴルファーにとっては高レベルの性能を提供しても比較的低い
スイング速力を有するゴルファーにとってはそうではないということもある。
【００１０】
故に、クラブヘッドスイング速力の広い範囲に亘って効果を上げる設計を有するゴルフ
クラブヘッド及びゴルフクラブの必要性がある。本願はこの必要性及び他の必要性を満た
す。
【課題を解決するための手段】
【００１１】
ゴルフクラブヘッドの幾つかの実施形態は、フェースとクラウンとソールを有していて
それらが一体で内部キャビティを画定している本体を備えており、本体は、ソールに配置
されていて概して本体のヒール端から本体のトゥ端へ延びているチャネルを有している。
フェースの中心と交わる垂直平面と前方チャネル又はトラックの間の最小距離は、チャネ
ルの全長に亘って約５０ｍｍより小さい。チャネル内には重り部材が、重り部材のチャネ
ル内での位置を調節することができるように、可動式に位置付けられていてもよい。
【００１２】
これらの実施形態の幾つかでは、垂直平面とチャネルの間の距離は、チャネルの全長に
亘って約４０ｍｍより小さい。更に他の実施形態では、垂直平面とチャネルの間の距離は
、チャネルの全長に亘って約３０ｍｍより小さい。
【００１３】
これらの実施形態の幾つかでは、チャネル内には、本体のヒール端から本体のトゥ端へ
棚部が延びている。棚部は、棚部の露出している面に設置されている複数のロック用突起
を含むことができる。これらの実施形態の幾つかでは、重り部材は、チャネル内に棚部に
接触して保定されている外部材と、チャネル内に保定されている内部材と、外部材を内部
材へ接続する締結用ボルトと、を含んでいる。これらの実施形態の幾つかでは、外部材は
、棚部の露出している面に配置されているロック用突起に選択式に係合するように適合さ
れている複数のロック用ノッチを含んでいる。これらの実施形態の幾つかでは、外部材は
、概してチャネルのヒール−トゥ方向に延びる長さＬを有しており、各隣接対のロック用
突起同士は棚部に沿って距離Ｄ１だけ離隔されており、ここにＬ＞Ｄ１である。
【００１４】
これらの実施形態の幾つかでは、回転式に調節可能なソール部片が、ソール部片を通っ
て延びる中心軸に関して複数の回転位置のうちの１つでソールへ固定される。ソール部片
は、回転位置の各位置でソールから異なった軸方向距離を延びている。ソール部片をそれ
ら回転位置の異なった１つの位置へ調節することは、ゴルフクラブヘッドがアドレス位置
にあるときの当該ゴルフクラブヘッドのロフト角とは独立にゴルフクラブのフェース角を
変化させる。これらの実施形態の幾つかでは、解放可能なロック機構が、ソール部片をソ
ール上の回転位置の選択された１つの位置にロックするように構成されている。ロック機
構は、ソール部片を貫いてクラブヘッド本体のソールのねじの切られた開口の中へ延びる
ように適合されているねじを含むことができる。これらの実施形態の幾つかでは、ソール
部片は、ソール部片が各回転位置にあるとき底面がソールの先導側接触面のヒール−トゥ
湾曲に実質的に一致するヒール−トゥ湾曲を有するような凸状底面を有している。
【００１５】
ゴルフクラブヘッドの幾つかの実施形態は、フェースとクラウンとソールを有していて
それらが一体で内部キャビティを画定している本体を含んでおり、本体は、ソールに配置
されていて概して本体のヒール端から本体のトゥ端へ延びているチャネルを有している。
チャネル内には重り部材が、重り部材のチャンネル内での位置を調節できるように、可動
式に位置付けられていてもよい。フェースは、座標系の原点を画定している中心フェース
位置を含んでおり、当該座標系では、本体が通常のアドレス位置にあるとき、ｘ軸は中心
フェース場所でフェースに対して接線方向にあって地平面に平行であり、ｙ軸はｘ軸に直
角に延び更に地平面に平行であり、ｚ軸は地平面に直角に延びており、正のｘ軸は原点か
らヒール部分の方へ延び、正のｙ軸は原点から後方へ延び、正のｚ軸は原点から上方へ延
びている。重り部材の最大ｘ軸位置調節範囲（Ｍａｘ  Δｘ）は５０ｍｍより大きく、重
り部材の最大ｙ軸位置調節範囲（Ｍａｘ  Δｙ）は４０ｍｍより小さい。
【００１６】
これらの実施形態の幾つかでは、重り部材は、質量（ＭＷＡ）を有しており、積ＭＷＡ
＊Ｍａｘ  Δｘは、少なくとも２５０ｇ・ｍｍであり、例えば約２５０ｇ・ｍｍから約４
９５０ｇ・ｍｍの間などである。
【００１７】
これらの実施形態の幾つかでは、積ＭＷＡ＊Ｍａｘ  Δｙは、１８００ｇ・ｍｍより小
さく、例えば約０ｇ・ｍｍから約１８００ｇ・ｍｍの間である。
【００１８】
これらの実施形態の幾つかでは、本体の重心は、約０ｍｍより小さいｚ軸座標（ＣＧｚ
）を有している。
【００１９】
ゴルフクラブヘッドの幾つかの実施形態は、フェースとクラウンとソールを有していて
それらが一体で内部キャビティを画定している本体を含んでおり、本体は、ソールに配置
されていて概して本体のヒール端から本体のトゥ端へ延びているチャネルを有している。
チャネル内には重り部材が、チャンネル内での重り部材の位置を調節できるように、可動
式に位置付けられていて、それにより本体の重心の場所を調節できるようになっていても
よい。フェースは、座標系の原点を画定している中心フェース場所を含んでおり、当該座
標系では、本体が通常のアドレス位置にあるとき、ｘ軸は中心フェース場所でフェースに
対して接線方向にあって地平面に平行であり、ｙ軸はｘ軸に直角に延び更に地平面に平行
であり、ｚ軸は地平面に直角に延びており、正のｘ軸は原点からヒール部分の方へ延び、
正のｙ軸は原点から後方へ延び、正のｚ軸は原点から上方へ延びている。重り部材の調節
は、２ｍｍより大きい最大ｘ軸重心位置調節範囲（Ｍａｘ  ΔＣＧｘ）と３ｍｍより小さ
い最大ｙ軸重心調節範囲（Ｍａｘ  ΔＣＧｙ）を提供することができる。
【００２０】
これらの実施形態の幾つかでは、本体の重心は、約０ｍｍより小さいｚ軸座標（ＣＧｚ
）を有している。
【００２１】
本発明の上記及びその他の特徴と利点は、添付図面を参照しながら進められる次の詳細
な説明から更に明白になるであろう。
【図面の簡単な説明】
【００２２】
【図１Ａ】別の実施形態による、取り外し可能なシャフトを有するゴルフクラブヘッドの拡大断面図である。
【図１Ｂ】シャフトをクラブヘッドから取り外せるようにねじが緩められた状態の図１Ａのゴルフクラブヘッドを示している。
【図２】図４３に示されている組立体のシャフトスリーブの斜視図である。
【図３】図２のシャフトスリーブの側面図である。
【図４】図２のシャフトスリーブの底面図である。
【図５】図４の線４７−４７に沿った、シャフトスリーブの断面図である。
【図６】シャフトスリーブの別の実施形態の断面図である。
【図７】当該シャフトスリーブを受け入れるように適合されているホーゼル挿入部の上面図である。
【図８】シャフトスリーブの別の実施形態の断面図である。
【図９】当該シャフトスリーブを受け入れるように適合されているホーゼル挿入部の上面図である。
【図１０】別の実施形態による、取り外し可能なシャフトを有するゴルフクラブヘッドの拡大断面図である。
【図１１】図１０に示されている組立体のシャフトスリーブの前面図である。
【図１２】図１０に示されている組立体のシャフトスリーブの断面図である。
【図１３Ａ】ゴルフクラブヘッドフェース板突出部の断面図である。
【図１３Ｂ】ゴルフクラブフェース板突出部の後面図である。
【図１４】工具の等角投影図である。
【図１５Ａ】ゴルフクラブヘッドの等角投影図である。
【図１５Ｂ】図１５Ａのゴルフクラブヘッドの分解図である。
【図１５Ｃ】図１５Ａのゴルフクラブヘッドの側面図である。
【図１６】ゴルフクラブヘッドの等角投影図である。
【図１７】更に別の実施形態によるゴルフクラブヘッドの分解図である。
【図１８】図１７のゴルフクラブヘッドの組立後の図である。
【図１９Ａ】或る実施形態によるゴルフクラブヘッドの前面図である。
【図１９Ｂ】図１９Ａのゴルフクラブヘッドの底面図である。
【図２０Ａ】分かり易くするために重り組立体が取り払われた状態の図１９Ａ−図１９Ｂのゴルフクラブヘッドのヒール側側面図である。
【図２０Ｂ】図２０Ａの挿入線「Ｂ」に沿って取られた近接図である。
【図２１Ａ】分かり易くするために重り組立体が取り払われた状態の図１９Ａ−図１９Ｂのゴルフクラブヘッドの底面図である。
【図２１Ｂ】図２１Ａの挿入線「Ｂ」に沿って取られた近接図である。
【図２２Ａ】図１９Ａ−図１９Ｂのゴルフクラブヘッドの断面図である。
【図２２Ｂ】図２２Ａの挿入線「Ｂ」に沿って取られた近接図である。
【図２３】更に別の実施形態によるゴルフクラブヘッドの分解図である。
【図２４】更に別の実施形態によるゴルフクラブヘッドの分解図である。
【図２５】ゴルフクラブヘッドの或る例示としての実施形態の前立面図である。
【図２６】図２５のゴルフクラブヘッドの上面図である。
【図２７】図２５のゴルフクラブヘッドのトゥ側からの側方立面図である。
【図２８】図２５のゴルフクラブヘッドの前立面図であって、クラブヘッド原点座標系及び重心原点座標系を描いている。
【図２９】図２５のゴルフクラブヘッドの上面図であって、クラブヘッド原点座標系及び重心原点座標系を描いている。
【図３０】図２５のゴルフクラブヘッドのトゥ側からの側方立面図であって、クラブヘッド原点座標系及び重心原点座標系を描いている。
【図３１】図２５のゴルフクラブヘッドのトゥ側からの側方立面図であって、ゴルフクラブヘッドフェース上への重心（ＣＧ）の投影を描いている。
【図３２】打球クラブフェースの幾何学的中心と整列したＣＧｚを有するドライバで叩かれたゴルフボールの軌道の模式的側視図である。
【図３３】打球クラブフェースの幾何学的中心より低いＣＧｚを有するドライバで叩かれたゴルフボールの軌道の模式的側視図である。
【図３４Ａ】更に別の実施形態によるゴルフクラブヘッドの前面図である。
【図３４Ｂ】図３４Ａのゴルフクラブヘッドの底面図である。
【図３４Ｃ】図３４Ａのゴルフクラブヘッドのトゥ側側面図である。
【図３４Ｄ】図３４Ａのゴルフクラブヘッドのヒール側側面図である。
【図３５Ａ】分かり易くするために重り組立体が取り払われた状態の図３４Ａ−図３４Ｄのゴルフクラブヘッドのヒール側側面図である。
【図３５Ｂ】図３５Ａの挿入線「Ｂ」に沿って取られた近接図である。
【図３６Ａ】図３４Ａ−図３４Ｄのゴルフクラブヘッドの上面図である。
【図３６Ｂ】図３６Ａのゴルフクラブヘッドの線Ａ−Ａに沿った断面図である。
【図３６Ｃ】図３６Ｂのゴルフクラブヘッドの線Ｂ−Ｂに沿った断面図である。
【図３７Ａ】図３６Ｂのゴルフクラブヘッドの線Ｂ−Ｂに沿った断面図である。
【図３７Ｂ】分かり易くするために重り組立体のボルト及びワッシャが取り払われた状態の図３６Ｂのゴルフクラブヘッドの線Ｂ−Ｂに沿った近接断面図である。
【図３７Ｃ】分かり易くするために重り組立体のボルト及びワッシャが取り払われた状態の図３６Ｂのゴルフクラブヘッドの線Ｂ−Ｂに沿った近接断面図である。
【図３７Ｄ】分かり易くするために重り組立体のボルト及びワッシャが取り払われた状態の図３６Ｂのゴルフクラブヘッドの線Ｂ−Ｂに沿った近接断面図である。
【図３８Ａ】図３４Ａ−図３４Ｄのゴルフクラブヘッドの重り組立体と共に使用されるワッシャの上面斜視図及び底面斜視図を含んでいる。
【図３８Ｂ】図３４Ａ−図３４Ｄのゴルフクラブヘッドの重り組立体と共に使用される質量部材の上面斜視図及び底面斜視図を含んでいる。
【図３９Ａ】図３４Ａ−図３４Ｄのゴルフクラブヘッドの前面図である。
【図３９Ｂ】図３９Ａのゴルフクラブヘッドの線Ａ−Ａに沿った断面図であって、様々な構造的リブを示している。
【図４０】滑動式重り組立体の場所を変化させた際のゴルフクラブヘッドの異なった実施形態のそれぞれのＣＧｚ値及びＣＧｘ値を示すグラフである。
【図４１】更に別の実施形態によるゴルフクラブヘッドの斜視図である。
【図４２】更に別の実施形態による、単一重りの場所を変化させた場合及び２つ重りの場所を変化させた場合のそれぞれのＣＧｚ／ＣＧｙ及びＭＯＩを示すグラフである。
【図４３Ａ】更に別の実施形態によるゴルフクラブヘッドの底面図である。
【図４３Ｂ】図４３Ａのゴルフクラブヘッドの線Ａ−Ａに沿った断面図である。
【図４４Ａ】更に別の実施形態によるゴルフクラブヘッドの底面図である。
【図４４Ｂ】図４４Ａのゴルフクラブヘッドの線Ａ−Ａに沿った断面図である。
【図４５Ａ】更に別の実施形態によるゴルフクラブヘッドの底面図である。
【図４５Ｂ】更に別の実施形態によるゴルフクラブヘッドの底面図である。
【図４５Ｃ】図４５Ｂのゴルフクラブヘッドの線Ａ−Ａ及び線Ｂ−Ｂに沿った断面図である。
【図４６】更に別の実施形態によるゴルフクラブヘッドの底面図である。
【図４７】更に別の実施形態によるゴルフクラブヘッドの底面図である。
【図４８Ａ】更に別の実施形態によるゴルフクラブヘッドの底面図である。
【図４８Ｂ】図４８Ａのゴルフクラブヘッドの上面図である。
【図４８Ｃ】図４８Ｂのゴルフクラブヘッドの線４８Ｃ−４８Ｃに沿った断面図である。
【図４８Ｄ】図４８Ｂのゴルフクラブヘッドの線４８Ｄ−４８Ｄに沿った断面図である。
【図４８Ｅ】図４８Ｂのゴルフクラブヘッドの線４８Ｅ−４８Ｅに沿った断面図である。
【図４９】更に別の実施形態によるゴルフクラブヘッドの底面図である。
【図５０】更に別の実施形態によるゴルフクラブヘッドの底面図である。
【図５１】更に別の実施形態によるゴルフクラブヘッドの底面図である。
【図５２】図５１のゴルフクラブヘッドのトゥ面図である。
【図５３】図４６のゴルフクラブヘッドの上面図である。
【図５４Ａ】図５３のゴルフクラブヘッドの線５４Ａ−５４Ａに沿った断面図である。
【図５４Ｂ】図５４Ａのゴルフクラブヘッドの近接断面図である。
【図５５Ａ】図４６のゴルフクラブヘッドの分解クラウン面図である。
【図５５Ｂ】クラウンが取り払われた状態の図４６のゴルフクラブヘッドのヒール面図である。
【図５５Ｃ】図５５Ｂのゴルフクラブヘッドの線５５Ｃ−５５Ｃに沿った断面図である。
【図５５Ｄ】図５５Ｂのゴルフクラブヘッドの線５５Ｃ−５５Ｃに沿った断面であって、見本リブ構成を示している。
【図５６Ａ】更に別の実施形態によるゴルフクラブヘッドの底面図である。
【図５６Ｂ】図５６Ａのゴルフクラブヘッドの底面図である。
【図５６Ｃ】図５６Ａのゴルフクラブヘッドのトゥ面図である。
【図５６Ｄ】図５６Ａのゴルフクラブヘッドの上面図である。
【図５６Ｅ】図５６Ｄのゴルフクラブヘッドの線５６Ｅ−５６Ｅに沿った断面図である。
【図５７Ａ】更に別の実施形態によるゴルフクラブヘッドの底面図である。
【図５７Ｂ】更に別の実施形態によるゴルフクラブヘッドの底面図である。
【図５７Ｃ】更に別の実施形態によるゴルフクラブヘッドの底面図である。
【図５７Ｄ】図５６Ｂのゴルフクラブヘッドの底面図である。
【図５８】或る実施形態によるゴルフクラブヘッドの底面図であって、複数の重り位置Ｐ１−Ｐ５を示している。
【図５９】或る実施形態によるゴルフクラブヘッドの底面図であって、複数の重り位置Ｐ１−Ｐ５を示している。
【図６０Ａ】異なった実施形態による重り組立体の断面図である。
【図６０Ｂ】異なった実施形態による重り組立体の断面図である。
【図６０Ｃ】異なった実施形態による重り組立体の断面図である。
【図６０Ｄ】異なった実施形態による重り組立体の断面図である。
【発明を実施するための形態】
【００２３】
発明的特徴は、ここに開示されている新規性及び進歩性のある全ての特徴を、単独にも
、また他の要素との新規的進歩的な組合せとしても、包含する。ここでの使用に際し、「
及び／又は」という語句は、「及び」、「又は」、そして「及び」と「又は」の両方、を
意味する。ここでの使用に際し、英文不定冠詞及び定冠詞の対訳である単数形「一」、「
或る」、及び「当該」は、文脈上明白に他に指定のない限り、１つ又は１つより多いこと
をいう。ここでの使用に際し、「含んでいる」という用語は、「備えている」を意味する
。
【００２４】
概論
次に続く開示は、メタルウッド型式のクラブ（例えばメタルドライバ及びメタルフェア
ウェイウッド）向けのゴルフクラブヘッドのための実施形態を記載している。開示されて
いる実施形態は決して限定を課すものと解釈されてはならない。そうではなく、本開示は
、様々な開示されている実施形態の新規性及び進歩性のある全ての特徴に、単独としも、
また互いとの様々な組合せ及び部分的組合せとしても、着眼している。また、開示されて
いる実施形態の特徴及び態様は何れも互いとの様々な組合せ及び部分的組合せとして使用
することができる。開示されている実施形態は何れかの特定の態様又は特徴或いはその組
合せに限定されず、また、開示されている実施形態は実際に何れかの１つ又はそれ以上の
特定の利点がもたらされたり１つ又はそれ以上の特定の課題が解決されたりすることを要
件としているわけでもない。
【００２５】
次に続く詳細な説明全体を通して、メタルウッド型式のクラブ（例えば、メタルドライ
バ及びメタルフェアウェイウッド）の実例として各種ゴルフクラブヘッドが提供されてい
る。それら実例中の関連特徴は異なった実例では同一若しくは類似のこともあれば似てい
ないこともある。簡潔さを期して、関連特徴を各実例中に冗長的に解説するということは
しない。そうではなく、関連特徴名称を使用することで、読み手に、或る関連特徴名称を
有している特徴は既に解説済みの実例中の関連特徴と類似であるとの合図が与えられるよ
うにしている。所与の実例に特定の特徴は当該特定の実例の中に説明されている。読み手
には、所与の特徴が何れかの所与の図又は所与の実例の中の関連特徴の具体的な描写と必
ずしも同じ又は類似であるとは限らないことを理解されたい。
【００２６】
次に続く詳細な説明全体を通して、チャネル及びトラックを参照してゆく。時として、
滑動式に位置換え可能な重りを保持する特徴を書き表す用語、例えば前方チャネル又はト
ラックなどは、入れ替え可能に使用されることもある。また場合により、チャネルは周辺
部可撓性を改善するように設計されているクラブ内の特徴として言及されていることもあ
り、必ずしも重りを保持しているとは限らない。更に他の場合には、前方チャネル又はト
ラックは、取り付けられる重り組立体無しに示されていることもあるが、このことは重り
組立体がチャネル内に装着され得ないことを示唆するものではない。
【００２７】
本開示は、その一部を形成している添付図面を参照しており、図面全体を通して、同様
の符号は同様の部分を表す。図面は特定の実施形態を描いているが、本開示の意図される
範囲から逸脱することなく、他の実施形態が形成されてもよいし、構造的変更がなされて
もよい。方向及び参照は、図面の論考を容易にするために使用されており、限定を課すこ
とを意図しているわけではない。例えば、「上」、「下」、「上側」、「下側」、「水平
」、「垂直」、「左」、「右」、など、の様な或る特定の用語が使用されることがあるか
もしれない。これらの用語は、特に例示されている実施形態に関して相対的な関係性を扱
う場合に説明の或る程度の明確さを提供するうえで適切な場合に使用されている。但し、
その様な用語は、絶対的な関係性、配置、及び／又は向き付けを暗示することを意図して
いない。従って、次に続く詳細な説明は限定を課す意味で解釈されてはならない。
【００２８】
以下は、本記載の中で説明されているゴルフクラブヘッド技術の理解を更に手助けする
追加の背景情報を提供している。その後、図２５−図２７を見ると、ゴルフクラブヘッド
１０１００の別の実施形態が、中空本体１０１１０、クラウン１０１１２、ソール１０１
１４、スカート１０１１６、及びは打球クラブフェース１０１１８を含め、それまでの実
施形態の構造及び特徴の幾つかを含んでいる。
【００２９】
Ａ．通常のアドレス位置
ここに開示されているクラブヘッド及びそれらの物理的特性の多くは、他に指示されて
いない限り、「通常のアドレス位置」をクラブヘッド参照位置として使用し説明されてい
る。図２５−図２７は、通常のアドレス位置のウッド型式ゴルフクラブヘッドの１つの実
施形態を描いている。図２５は、ゴルフクラブヘッド１０１００の前立面図を描いており
、図２６はゴルフクラブヘッド１０１００の上面図を描いており、図２７はゴルフクラブ
ヘッド１０１００のトゥ側からの側方立面図を描いている。予備説明として、ゴルフクラ
ブヘッド１０１００は打球クラブフェース１０１１８を含んでいる。通常のアドレス位置
で、クラブヘッド１０１００は地平面１０１１７より上の地平面１０１１７に平行な平面
１０１２５上に位置付けられている。
【００３０】
ここでの使用に際し、「通常のアドレス位置」とは、クラブフェース１０１１８に法線
方向のベクトルが実質的に第１の垂直平面（垂直平面は地平面１０１１７に対して直角で
ある）内に位置し、クラブシャフトの中心線軸１０１２１が実質的に第２の実質的垂直平
面内に位置し、第１の垂直平面と第２の実質的垂直平面が実質的に直角に交わっている、
クラブヘッド位置を意味する。
【００３１】
Ｂ．クラブヘッドの諸特徴
図２５−図２７に示されているゴルフクラブヘッド１０１００の様なウッド型式ゴルフ
クラブヘッドは、クラウン部分１０１１２、ソール部分１０１１４、スカート部分１０１
１６、及び打球クラブフェース１０１１８、を画定している中空本体１０１１０を含んで
いる。打球クラブフェース１０１１８は、本体１０１１と一体形成されていることもあれ
ば本体へ付着されていることもある。本体１０１１０は、更に、ヒール部分１０１２６、
トゥ部分１０１２８、前部分１０１３０、及び後部分１０１３２、を含んでいる。本体１
０１１０は、更に、ゴルフクラブヘッドを受け入れるように適合されているホーゼル穴１
０１２４を画定しているホーゼル１０１２０を含んでいる。幾つかの実施形態では、ゴル
フクラブシャフトは本体１０１１０へ結着されていてもよい。代わりに、クラブヘッド１
０１００は、シャフトをホーゼル１０１２０へ連結するためのここに記載の調節可能なシ
ャフト接続システムの様な調節できるシャフト接続システムを含んでいてもよく、その詳
細はここでは繰り返されておらず、分かり易くするために図２５−図２７には示されてい
ない。クラブヘッド１０１００は、更に、典型的には立方センチメートル（ｃｍ３）で測
定される体積を有している。
【００３２】
ここでの使用に際し、「クラウン」とは、上下方向に見たときにクラブヘッドの周辺輪
郭１０１３４より上方で打球クラブフェース１０１１８の打球面１０１２２の最上部分の
後方のクラブヘッド上側部分を意味する。ここでの使用に際し、「ソール」とは、クラブ
ヘッド１０１００が通常のアドレス位置にあるときの最下点から上向きに延びているクラ
ブヘッド下側部分を意味する。幾つかの実施形では、ソール１０１１４はクラブヘッドの
最下点からクラウン１０１１２までの距離の大凡５０％乃至６０％を延びている。他の実
施形では、ソール１０１１４はゴルフクラブヘッド１０１００の最下点から上向きにより
短い距離を延びている。更に、ソール１０１１４は、通常のアドレス位置にあるときに地
面１０１１７に対して実質的に水平に延びている実質的に平坦な部分を画定していること
もあれば、図１に示されている様にアーチ状又は凸形状を有していることもある。ここで
の使用に際し、「スカート」とは、クラウン１０１１２とソール１０１１４の間をトゥ部
分１０１２８から後部分１０１３２を廻ってヒール部分１０１２６へとクラブヘッド１０
１００の周辺１０１３４を跨いで延びている、クラブヘッドの打面１０１２２を除外した
、側面部分を意味する。ここでの使用に際し、「打面」とは、ゴルフボールをインパクト
するように構成されている打球クラブフェース１０１１８の前又は外部の表面を意味する
。幾つかの実施形態では、打面１０１２２は、溶接の様な既知の付着技法を使用して本体
１０１１０へ付着されている打球板のこともある。更に、打面１０１２２は可変厚さを有
していることもある。一部の特定の実施形態では、打面１０１２２はバルジ湾曲びロール
湾曲（以下により詳しく論じる）を有している。
【００３３】
本体１０１１０又はその何れかの部分は、合金（例えば、チタンの合金、鋼の合金、ア
ルミニウムの合金、及び／又はマグネシウムの合金）、複合材料（例えば、グラファイト
又は炭素繊維複合材）、セラミック材料、又はそれらの何らかの組合せ、から作ることが
できる。クラウン１０１１２、ソール１０１１４、スカート１０１１６、及び打球クラブ
フェース１０１１８は、成形、冷間成形、鋳込み、及び／又は鍛造、の様な技法を使用し
て一体に形成することができる。代わりに、クラウン１０１１２、ソール１０１１４、ス
カート１０１１６、又は打球クラブフェース１０１１８の何れか１つ又はそれ以上は、既
知の手段（例えば、接着剤結着、溶接、など）によって他方の構成要素へ付着されていて
もよい。
【００３４】
幾つかの実施形態では、打面１０１１８は複合材料で作られており、一方、他の実施形
態では、打面１０１１８は、合金（例えば、チタン、鋼、アルミニウム、及び／又はマグ
ネシウムの合金）、セラミック材料、又は複合材、合金、及び／又はセラミック材料の組
合せ、から作られている。
【００３５】
通常のアドレス位置にあるとき、クラブヘッド１０１００はクラブシャフト軸１０１２
１に対して或るライ角１０１１９（図２５に示されている）に配置されており、クラブフ
ェースはロフト角１０１１５（図２７に示されている）を有している。図２５を参照して
、ライ角１０１１９は、通常のアドレス位置でのクラブシャフトの中心線軸１０１２１と
地平面１０１１７の間の角度をいう。図２７を参照して、ロフト角１０１１５は、通常の
アドレス位置で、クラブフェース１０１１８に対する接線１０１２７とフェースの幾何学
的中心を通る地平面に法線方向のベクトル１０１２９の間の角度をいう。
【００３６】
図２８−図３０は、開示されているゴルフクラブヘッド実施形態の特徴を説明するのに
使用することのできる座標系を描いている。図２８は、ゴルフクラブヘッド１０１００の
前立面図を描いており、図２９はゴルフクラブヘッド１０１００の上面図を描いており、
図２７はゴルフクラブヘッド１０１００のトゥ側からの側方立面図を描いている。図２８
−図３０に示されている様に、中心１０１２３が打面１０１２２上に配置されている。本
開示の解釈上、中心１０１２３は、打面１２２の高さ（ＨＳＳ）の中点と幅（ＷＳＳ）の
中点の交点と定義されている。ＨＳＳとＷＳＳは共に、打面曲線（ＳＳＳ）を使って確定
される。打面曲線は、フェースが実質的に均一なバルジ半径（フェースのヒール−トウ曲
率半径）及び実質的に均一なロール半径（フェースのクラウン−ソール曲率半径）から本
体へ移行している全ての点によってその周辺を境界付けられている。ＨＳＳは、フェース
の中心１０１２３を通って延びる垂直平面内（地面に対し直角）に測定した、ＳＳＳのソ
ール部分に近接する周辺（クラブフェースの底部半径ともいう）からＳＳＳのクラウン部
分に近接する周辺（クラブフェースの頂部半径ともいう）までの距離である（例えば、こ
の平面はｘ軸に実質的に法線方向にある）。同様に、ＷＳＳは、フェースの中心を通って
延びる水平面内（例えば、地面に実質的に平行）に測定した、ＳＳＳのヒール部分に近接
する周辺からＳＳＳのトゥ部分に近接する周辺までの距離である（例えば、この平面はｚ
軸に実質的に法線方向にある）。換言するとｚ軸に沿った中心１０１２３は、打面の頂部
半径のすぐ内側の（打面のｘ軸に沿って中心がある）点からフェース平面の底部半径のす
ぐ内側の（打面のｘ軸に沿って中心がある）点まで引いた線を二等分する点に対応してい
る。本開示の解釈上、中心１０１２３は、ゴルフクラブ打面１０１２２の「幾何学的中心
」とも呼称される。打面の幾何学的中心を測定する方法論については、Ｕ．Ｓ．Ｇ．Ａ．
「ゴルフクラブヘッドの可撓性を測定するための手法」（”Procedure of Measuring the
Flexibility of a Golf Clubhead”）２．０改定版を見られたし。
【００３７】
Ｃ．ゴルフクラブヘッド座標
図２８−図３０を参照して、クラブヘッドの様々な特徴の場所（クラブヘッド重心（Ｃ
Ｇ）１０１５０を含む）を確定できるようにクラブヘッド原点座標系が定義されている。
クラブヘッド原点１０１６０がクラブヘッド１０１００上の打面１０１２２の中心１０１
２３に置かれていることが描かれている。
【００３８】
ヘッド原点１０１６０に関して定義されているヘッド原点座標系は、３つの軸、即ち、
クラブヘッド１０１００が通常のアドレス位置にあるときに、ヘッド原点１０１６０を通
って地面１０１１７に対して略垂直方向に延びているｚ軸１０１６５と、ヘッド原点１０
１６０を通って打面１０１２２に略平行（例えば中心１０１２３で打面１０１２２に対し
て略接線方向）で且つｚ軸１０１６５に略直角なトゥ−ヒール方向に延びているｘ軸１０
１７０と、ヘッド原点１０１６０を通って前−後方向にｘ軸１０１７０及びｚ軸１０１６
５に略直角に延びているｙ軸１０１７５と、を含んでいる。ｘ軸１０１７０及びｙ軸１０
１７５はどちらも、クラブヘッド１０１００が通常のアドレス位置にあるとき、地面１０
１１７に対して略水平方向に延びている。ｘ軸１０１７０は正方向には原点１０１６０か
らクラブヘッド１０１００のヒール１０１２６に向かって延びている。ｙ軸１０１７５は
正方向にはヘッド原点１０１６０からクラブヘッド１０１００の後部分１０１３２に向か
って延びている。ｚ軸１０１６５は正方向には原点１０１６０からクラウン１０１１２に
向かって延びている。
【００３９】
Ｄ．重心
概して、ゴルフクラブヘッドの重心（ＣＧ）は、ゴルフクラブヘッドの重量の平均場所
、又はゴルフクラブヘッドの全重量が集中していると考えられる点であって、この点で支
えたならヘッドが何れの位置でも平衡に保たれる点である。
【００４０】
図２８−図３０を参照して、ＣＧ１０１５０が、クラブヘッド１０１００の本体１０１
１０の内側の点として示されている。クラブＣＧ１０１５０の場所は、更に、クラブヘッ
ド原点座標系を参照して定義することができる。例えば、測定単位としてミリメートルを
用いれば、ヘッド原点１０１６０からｘ軸に沿ってクラブヘッドのトゥに向かって３．２
ｍｍ、ヘッド原点１０１６０からｙ軸に沿ってクラブヘッドの後部に向かって３６．７ｍ
ｍ、ヘッド原点１０１６０からｚ軸に沿ってクラブヘッドのソールに向かって４．１ｍｍ
、に位置するＣＧ１０１５０は、−３．２ｍｍのＣＧｘ、３６．７ｍｍのＣＧｙ、及び−
４．１ｍｍのＣＧｚを有していると定義することができる。
【００４１】
ＣＧは、更に、ＣＧを座標系の原点とする座標系を定義するのにも使用することができ
る。例えば、図２８−図３０に描かれている様に、ＣＧ原点１０１５０に関して定義され
ているＣＧ原点座標系は、３つの軸、即ち、クラブヘッド１０１００が通常のアドレス位
置にあるときに、ＣＧ１０１５０を通って地面１０１１７に対して略垂直方向に延びてい
るＣＧｚ軸１０１８５と、ＣＧ１０１５０を通って打面１０１２２に略平行（例えばクラ
ブフェース中心１０１２３で打面１０１２２に対して略接線方向）で且つＣＧｚ軸１０１
８５に略直角なトゥ−ヒール方向に延びているＣＧｘ軸１０１９０と、ＣＧ１０１５０を
通って前−後方向にＣＧｘ軸１０１９０及びＣＧｚ軸１０１８５に略直角に延びているＣ
Ｇｙ軸１０１９５と、を含んでいる。ＣＧｘ軸１０１９０及びＣＧｙ軸１０１９５はどち
らも、クラブヘッド１０１００が通常のアドレス位置にあるとき、地面１０１１７に対し
て略水平方向に延びている。ＣＧｘ軸１０１９０は正方向にはＣＧ原点１０１５０からク
ラブヘッド１０１００のヒール１０１２６に向かって延びている。ＣＧｙ軸１０１９５は
正方向にはＣＧ原点１０１５０からゴルフクラブヘッド１０１００の後部分１０１３２に
向かって延びている。ＣＧｚ軸１０１８５は正方向にはＣＧ原点１０１５０からクラウン
１０１１２に向かって延びている。而して、ＣＧ原点座標系の軸は、ヘッド原点座標系の
対応する軸に平行である。具体的には、ＣＧｚ軸１０１８５はｚ軸１０１６５に平行であ
り、ＣＧｘ軸１０１９０はｘ軸１０１７０に平行であり、ＣＧｙ軸１０１９５はｙ軸１０
１７５に平行である。
【００４２】
図３０から最もよく分かる様に、図２８−図３０は更にゴルフクラブヘッド打面１０１
２２上の投影ＣＧ点１０１８０を示している。投影ＣＧ点１０１８０は、打球クラブフェ
ース１０１１８の接線１０１２７に法線方向であって且つＣＧ１０１５０を通っている線
と交わる打面１０１２２上の点である。この投影ＣＧ点１０１８０は、それがＣＧ１０１
５０と中心を合わせた打球クラブフェース１０１１８上の点を示唆していることから「ゼ
ロトルク」点と呼称されることもある。而して、ゴルフボールがクラブフェース１０１１
８と投影ＣＧ点１０１８０で接触したとしても、ゴルフボールのインパクトによってトル
クは発生したいため、ゴルフクラブヘッドは何れの回転軸周りにも捩れることはない。
【００４３】
ＩＩ．高ロフト低ＣＧゴルフクラブヘッドの例示としての実施形態
Ａ．Ｚ軸ギヤ効果
ここに開示されている一部の特定の実施形態では、打球クラブフェース上の投影ＣＧ点
は、クラブフェースの幾何学的中心より下に位置している。換言すると、打球クラブフェ
ース上の投影ＣＧ点は、幾何学的中心よりもクラブフェースのソールにより近い。結果と
して、図３１に描かれている様に、クラブヘッド１０１００がクラブヘッド中心１０１２
３でゴルフボール１０２００をインパクトするようにゴルフクラブが振られたとき、イン
パクトは投影ＣＧ点１０１８０から「中心外れ」となり、ゴルフクラブヘッドの本体をＣ
Ｇｘ軸（図３１では紙面に対し法線方向）周りに回転させる（又は捩じらせる）トルクを
生む。このゴルフクラブヘッドのｘ軸周りの回転は図３１に矢印１０２０２、１０２０３
で描かれている。クラブフェースの回転は「ｚ軸ギヤ効果」を生む。より厳密には、クラ
ブヘッドのＣＧｘ軸周りの回転はボールへのスピン成分を誘導する傾向がある。具体的に
は、ゴルフボールがインパクト時にクラブフェースに当てて押圧されることで起こるクラ
ブヘッドフェースの後方回転（矢印１０２０２、１０２０３で図示）は、ボールをクラブ
フェースの回転とは逆の方向に回転させることになり、２つのギヤが互いに相互作用し合
う様にそっくりである。而して、インパクト時のクラブフェースの後方回転は、ゴルフボ
ールの前方回転（矢印１０２０４、１０２０５で図示）の成分を生む。この効果は「ｚ軸
ギヤ効果」と名付けられている。
【００４４】
ゴルフクラブヘッドのロフトもまたゴルフクラブヘッドによってインパクトされたボー
ルに有意量のバックスピンを生じさせるので、ｚ軸ギヤ効果からもたらされる前方回転は
、ゴルフボールのバックピンを完全に排除するには典型的に十分ではないが代わりにバッ
クスピンをゴルフボールが普通だったら受けるよりも小さくする。
【００４５】
一般的に、ｚ軸ギヤ効果からもたらされる前方回転（又はトップスピン）成分は、ゴル
フボールのインパクト点が打球クラブフェース上の投影ＣＧ点から上方へ（又は上方によ
り高く）動くにつれ増加する。加えて、ゴルフボールが受ける、ゴルフボールの打ち出し
条件を決定付けるゴルフクラブヘッドの有効ロフトは、ゴルフクラブヘッドの静的ロフト
とは別物である。インパクト時のゴルフクラブヘッドの有効ロフトとアドレス時のその静
的ロフト角の差は、「動的ロフト」と呼称され、数多くの要因からもたらされる。とはい
え一般的に、ゴルフクラブヘッドの有効ロフトはゴルフボールのインパクト点が打球クラ
ブフェース上の投影ＣＧ点から上方へ（又は上方により高く）動くにつれ静的ロフトから
増加する。
【００４６】
図３２は、打面の幾何学的中心と一致する投影ＣＧを有するドライバによって叩かれた
ゴルフボールの軌道１０８００を描いている模式的側視図１０８００である。その様なド
ライバによって生み出される打ち出し条件は、典型的に、低い打ち出し角及び有意量のバ
ックスピンを含んでいる。ボールへのバックスピンはボールの高度を急速に上げさせ、よ
り垂直な軌道即ち空中への「吹き上がり（Ballooning）」を得させる。必然的に、ボール
は、前方推進力が垂直方向の推進力へ換わってしまうことからその前方推進力を急速に失
う傾向を呈し、結局、有意量のロールを生み出さない急こう配の下方軌道をもたらしてし
まう。図３２によって描かれている様に、この場合、多少のバックスピンならゴルフボー
ルを垂直方向に「上昇」させ放物線軌道に抵抗できるようにすることからゴルフボールの
軌道にとっては有益となり得るが、あまりに多くのバックスピンはゴルフボールの前方推
進力を垂直方向の推進力に換えてしまうことによってゴルフボールに飛距離を失わせかね
ない。
【００４７】
対照的に図３３は、開示されている技術の実施形態に従ってより低い重心を有するドラ
イバによって叩かれたゴルフボールの軌道１０９００を描いている模式的側視図である。
図３３では、ゴルフクラブヘッドの静的ロフトは、図３２のドライバと同じであると仮定
しているが、静的ロフトは以下により詳しく解説されている様により高いこともある。よ
り低い重心を有するドライバから生み出される打ち出し条件は、打面の幾何学的中心と一
致する投影重心を有するドライバに対比して、より高い打ち出し角及びより少ないバック
スピンを含んでいる。図３３に見ることができる様に、軌道１９００は軌道１０８００よ
り少ない「バルーニング」を含んでいるが、なおもボールが多少の打ち上がりを持ち且つ
概してその打ち出し軌道をバックスピン無しのボールより長く維持するのに十分なバック
スピンを有している。結果として、軌道１９００を有するゴルフボールは、軌道１０８０
０を有するゴルフボールよりも遠くへ伸びる。その上、ゴルフボールの水平方向推進力は
軌道１０９００のほうが軌道１０８００より大きいので、軌道１０９００を有するゴルフ
ボールが受けるロールは軌道１０８００よりも大きい。
【００４８】
Ｃ．重心を低くするための裁量的質量の使用
より低い重心値は、クラブヘッド質量をゴルフクラブヘッドの特定の場所へ配分するこ
とによって獲得することができる。裁量的質量とは、概して、質量を提供する各種構造か
ら除去してクラブヘッド重心を定めるための何処か他の場所に配分することのできる材料
の質量をいう。
【００４９】
クラブヘッド壁は裁量的質量の１つの源を提供する。壁厚さの削減は、壁質量を小さく
し、何処か他に配分することのできる質量を提供する。例えば、幾つかの実施形では、ク
ラブヘッドの１つ又はそれ以上の壁は、大凡０．７ｍｍより小さい厚さを有するものとす
ることができる。幾つかの実施形態では、クラウン１０１１２は、少なくともクラウンの
大半を通して大凡０．６５ｍｍの厚さを有するものとすることができる。加えて、スカー
ト１０１１６も同様の厚さを有することができるのに対し、ソール１０１１４はより大き
い厚さ（例えば大凡１．０ｍｍより大きい）を有している。薄壁、特に薄いクラウン１０
１１２は、有意な裁量的質量を提供する。
【００５０】
クラブヘッド本体１０１１０に薄いクラウン１０１１２の様な薄壁を実現するのに、ク
ラブヘッド本体１０１１０を鋼の合金又はチタンの合金から形成することができる。他の
実施形態では、クラブヘッド本体の薄壁は、複合材料、セラミック材料、熱可塑性プラス
チック、又はそれらの何らかの組合せ、の様な非金属材料で形成されている。例えば、一
部の特定の実施形態では、クラウン１０１１２及びスカート１０１１６は複合材料で形成
されている。
【００５１】
重心をクラブヘッド本体１０１１０内で低くするのに、ソール１０１１４の１つ又はそ
れ以上の部分をクラウン１０１１２及びスカート１０１１６より高密度の材料で形成する
ことができる。例えば、ソール１０１１４は、タングステン又はタングステン合金の様な
金属系材料で形成されていてもよい。ソール１０１１４は、更に、所望に応じて重心が打
球クラブフェースにより近くなる形状又は打球クラブフェースからより遠くなる形状にす
ることができる。
【００５２】
開示されている技術によるゴルフクラブヘッドは、更に、重心を所望のＣＧｚ場所へ低
くするために１つ又はそれ以上の重り板、重りパッド、又は重りポートを使用することが
できる。例えば、開示されているゴルフクラブヘッドの一部の特定の実施形態は、ゴルフ
クラブヘッドのクラブヘッド重心を低くする（例えばゴルフクラブヘッドのソール内の）
所定場所に鋳込まれた１つ又はそれ以上の一体型重りパッドを有している。更に、所望の
重量配分を得るためにエポキシをクラブヘッドホーゼル開口部を通してクラブヘッドの内
部へ足すこともできる。代わりに、高密度材料（例えばタングステン又はタングステン合
金）で形成された１つ又はそれ以上の重りをソールへ取り付けることもできる。その様な
重りはクラブヘッドへ永久的に取り付けられていてもよい。また、その様な重りの形状は
様々であってよく、何れかの特定の形状に限定されない。例えば、重りは、円盤形状、楕
円形状、円柱形状、又は他の形状を有していてもよい。
【００５３】
ゴルフクラブヘッド１０１００は、更に、１つ又はそれ以上の重りを受け入れるように
構成されている、本体１０１１０に形成された１つ又はそれ以上の重りポートを画定して
いてもよい。例えば、１つ又はそれ以上の重りポートはソール１０１１４に配置させるこ
とができる。重りポートは、ここに参考文献として援用されている米国特許第７，４０７
，４７７号及び同第７，４１９，４４１号に記載されている様な、多くの重り又は重り組
立体の何れかを受け入れ保定する多数の様々な構成の何れかを有していてもよい。これら
及び全ての他の言及されている特許及び出願は、ここに参考文献としてそっくりそのまま
援用される。また、参考文献としてここに援用されている文献中の用語の定義又は使用は
、ここに提供されている当該用語の定義と矛盾又は相反する場合、ここに提供されている
当該用語の定義が適用され、参考文献中の当該用語の定義は適用されない。
【００５４】
１つ又はそれ以上の重りを（単数又は複数の）重りポートに含むことは、対応するカス
タマイズされた慣性モーメント及び重心場所を有するカスタマイズされたクラブヘッド質
量配分を提供する。（単数又は複数の）重りポートの場所及び重り及び／又は重り組立体
の質量を調節することは、様々な実現可能な重心場所及び様々な実現可能な質量慣性モー
メントを、同じクラブヘッドを使用して提供する。
【００５５】
更なる実施形態では、ゴルフクラブヘッドの壁の１つ又はそれ以上の開口部が形成され
ている。例えば、ゴルフクラブヘッドのクラウンが開口部を含んでいてもよい。各開口部
内には開口部を閉じるために軽量パネルを配置させることができる。クラブヘッド本体を
形成するのに使用されている材料よりも密度の低い材料をパネル用に選択することによっ
て、開口部を占めたはずの本体材料の質量とパネルの質量の間の差分をクラブヘッドの何
処か他の場所に配置させることができる。例えば、開口部の数、大きさ、及び場所を戦略
的に選択することによって、ゴルフクラブヘッドの重心をクラブヘッド本体内の所望位置
へ低くすることができる。パネルは、例えば、炭素繊維エポキシ樹脂、炭素繊維強化プラ
スチック、ポリウレタン、又は疑似等方性複合材を備えていてもよい。パネルは、接着剤
又は何れかの他の適した技法を使用して取り付けることができる。
【００５６】
以上に論じられている特定のクラブヘッドエンベロプ内部の質量の再配分に加えて、ク
ラブヘッド重心場所は更にクラブヘッド外部エンベロプを修正することによって調整する
ことができる。例えば、クラブヘッド本体１０１１０が後方に引き伸ばされてもよいし、
その全高が削減されてもよい。一部の具体的な実施形態では、例えば、クラブヘッド本体
のクラウンが窪んでいるか又はそれ以外のやり方で少なくとも１つの部分的に凹んだ形状
部を含んでおり、それによりクラウンの重量がクラブヘッド本体へより低く配分されてい
る。
【００５７】
Ｄ．質量慣性モーメント
図２８−図３０を参照して、ゴルフクラブヘッド慣性モーメントは、典型的には、ゴル
フクラブヘッド重心１０１５０を通って延びている３つのＣＧ軸周りに定義される。例え
ば、ゴルフクラブヘッドＣＧｘ軸１０１９０周り慣性モーメントは、次式、即ち、
【００５８】
【数１】
2020127845.tif 000003
【００５９】
によって計算することができ、ここに、ｙはゴルフクラブヘッドＣＧｘｚ平面から無限小
質量ｄｍまでの距離、ｚはゴルフクラブヘッドＣＧｘｙ平面から無限小質量ｄｍまでの距
離である。ゴルフクラブヘッドＣＧｘｚ平面は、ゴルフクラブヘッドＣＧｘ軸１０１９０
とゴルフクラブヘッドＣＧｚ軸１０１８５によって画定される平面である。ＣＧｘｙ平面
は、ゴルフクラブヘッドＣＧｘ軸１０１９０とゴルフクラブヘッドＣＧｙ軸１０１９５に
よって画定される平面である。
【００６０】
ＣＧｘ軸周り慣性モーメント（Ｉｘｘ）はゴルフクラブヘッドのＣＧｘ軸周りの捩れに
抵抗する能力の指標である。より高いＣＧｘ軸周り慣性モーメント（Ｉｘｘ）は、ゴルフ
クラブヘッド１０１００の、ゴルフボールとの高い及び低い中心外れインパクトに起因す
る上向き又は下向きの捩れに対するより高い抵抗を示唆する。
【００６１】
開示されているゴルフクラブヘッドの一部の特定の実施形態では、慣性モーメントＩｘ
ｘは少なくとも２５０ｋｇ−ｍｍ２である。例えば、一部の特定の実施形態では、慣性モ
ーメントＩｘｘは２５０ｋｇ−ｍｍ２から８００ｋｇ−ｍｍ２の間である。開示されてい
るゴルフクラブヘッドの実施形態でクラブヘッドフェース上の投影ＣＧが幾何学的中心よ
り低い実施形態について、より低い慣性モーメントは動的ロフトを増加させ、クラブの幾
何的中心で打たれたゴルフボールが受けるバックスピンを減少させることが観察されてい
る。而して、一部の特定の実施形態では、慣性モーメントＩｘｘは相対的に低い（例えば
２５０ｋｇ−ｍｍ２から５００ｋｇ−ｍｍ２の間）。その様な実施形態では、相対的に低
い慣性モーメントは、ゴルフボールスピンの軽減化に寄与し、それによりゴルフボールが
所望の高打ち出し低スピン軌道（例えば図３３に示されているものに似た軌道）を得るの
を手助けする。更に他の実施形態では、慣性モーメントは２５０ｋｇ−ｍｍ２未満（例え
ば、１５０ｋｇ−ｍｍ２から２５０ｋｇ−ｍｍ２の間、又は２００ｋｇ−ｍｍ２から２５
０ｋｇ−ｍｍ２の間）である。ゴルフクラブヘッドでの裁量的質量の場所をここに開示さ
れている方法を使用して調節することは、開示されているゴルフクラブヘッドの実施形態
での所望される慣性モーメントＩｘｘを提供することができる。
【００６２】
Ｅ．デルタ１
デルタ１（「Δ１」）は、ＣＧがクラブヘッド本体１０１１０中でどれほど後方に位置
しているかの尺度である。より具体的には、Δ１はＣＧとホーゼル軸の間のｙ軸（打面の
幾何学的中心からゴルフクラブヘッド本体の後部に向けた直線方向）に沿った距離である
。開示されているゴルフクラブヘッドの実施形態については、より小さいデルタ１値はク
ラブヘッドフェース上のより低い投影ＣＧをもたらすことが観察されている。而して、開
示されている、打球クラブフェース上の投影ＣＧが幾何学的中心より低いゴルフクラブヘ
ッドの実施形態については、デルタ１を小さくすることは、投影ＣＧを低くし、幾何学的
中心と投影ＣＧの間の距離を増加させることになる。より低い投影ＣＧは、より低い動的
ロフトを生み、またｚ軸ギヤ効果に因るバックスピンをより軽減することを思い出して頂
きたい。クラブロフト角は静的であるとはいえ、Δ１が大であるとき、ゴルフクラブヘッ
ドのＣＧは使用中のクラブヘッドへの加増ロフトを生じさせる位置にある。これが起こる
のは、インパクト時にゴルフクラブヘッドのシャフト軸からのオフセットＣＧがｘ軸（ヒ
ールからトゥへの軸）周りのゴルフクラブヘッドのモーメントを生み出し、それがゴルフ
クラブヘッドのｘ軸周りの回転を生じさせるからである。Δ１が大きくなるほど、ｘ軸周
りのモーメントを生成するモーメントアームはより大きくなる。従ってΔ１が特に大きけ
れば、ｘ軸周りのゴルフクラブヘッドのより大きな回転が見られる。回転増加はインパク
ト時のロフト加増につながる。
【００６３】
而して、開示されているゴルフクラブヘッドの特定の実施形態について、デルタ１値は
相対的に小さく、それによりゴルフボールのバックスピン量を小さくし、ゴルフボールが
所望の高打ち出し低スピン軌道（例えば、図３３に示されているものに似た軌道）を得る
のを手助けする。例えば、一部の特定の実施形態では、デルタ１値は２５ｍｍ又はそれよ
り小さい（例えば１０−２５ｍｍの範囲）。ここに説明されている様にゴルフクラブヘッ
ドでの裁量的質量の場所を調節することは、所望のデルタ１値を提供することができる。
例えば、デルタ１は、ＣＧより手前（よりフェースに近接）の質量をＣＧより後ろの質量
に対して変えることによって操作することができる。即ち、ＣＧより後ろの質量をＣＧよ
り手前の質量に対して増加させることによって、デルタ１を増加させることができる。同
様の方式では、ＣＧより手前の質量をＣＧより後ろの質量に対して増加させることによっ
て、デルタ１を減少させることができる。
【００６４】
Ｇ．体積
ここに開示されている開示のゴルフクラブヘッドの実施形態は様々に異なる体積を有す
ることができる。例えば、開示されているゴルフクラブヘッドの一部の特定の実施形態は
、ドライバ向けであり、２５０ｃｍ３から４６０ｃｍ３の間のヘッド体積及び１８０グラ
ムから２１０グラムの間の重量を有している。開示されているゴルフクラブヘッドの他の
実施形態は、開示されている技術の何れか１つ又はそれ以上の態様を組み入れていて約１
３０ｃｍ３から約２２０ｃｍ３の間の体積及び約１９０グラムから約２２５グラムの間の
重量を有しているフェアウェイウッドを含んでいるのに対し、開示されている技術の何れ
か１つ又はそれ以上の態様を組み入れているいわゆるハイブリッドウッドの実施形態は、
約８０ｃｍ３から約１５０ｃｍ３の間の体積及び約２１０グラムから約２４０グラムの間
の重量を有していよう。開示されているゴルフクラブヘッドの他の実施形態は、４６０ｃ
ｍ３より大きい体積を有している。その様なクラブヘッドが所望される場合、打球板及び
ゴルフクラブヘッドの外殻の大きさを拡大することによって、ここに説明されている通り
に構築することができる。また、その様な「大きな」クラブヘッドでは、ゴルフクラブヘ
ッドでのより低いＣＧｚを実現できるチャンスがより大きくなる。更に理解しておきたい
こととして、クラブ及びボールに関する現在のＵ．Ｓ．Ｇ．Ａ．規則を超過する体積及び
寸法を有するゴルフクラブヘッドも実施可能であり、本開示によって企図されている。
【００６５】
Ｈ．低前方重心
最近まで、従来の見識はクラブヘッドの重心（「ＣＧ」）位置を後方へ動かそうとして
きたが、それというのもこのＣＧ移動が一部の設計ではクラブヘッドの慣性モーメントを
増加させることになるからである。ここに説明されているゴルフクラブヘッド１００００
は、クラブヘッドのＣＧ位置を低く後方に動かしている一例である。また一方、重量をク
ラブヘッドの前方位置に置くと重心のフェース上への投影点はＣＧがフェースからより後
退している場合に比較してより低くなる、という幾つかの意外な利点がある。これは、翻
せば、Δ１が特に大きい場合のゴルフスイング中に起こるいわゆる「動的ロフティング」
の効果を低減することになる。
【００６６】
動的ロフティングは状況に依っては所望されることもあり、例えば低後方ＣＧが所望さ
れる設計要素とされる場合もあり得るが、それは結果としてのボール飛行に幾つかの負の
影響を生じさせかねない。第１に、動的ロフトの加増１度につき打ち出し角は０．５−０
．７５°で増加する。第２に、動的ロフトの加増１度につきスピン速度は約２００−２５
０ｒｐｍで増加する。
【００６７】
低前方ＣＧの利点は、重心が中心フェースにより近く投影され、中心フェースインパク
トについてより低いスピン及びより大きいボール速力を与える、ということである。また
、低前方ＣＧを有する場合、ゴルフクラブヘッドはインパクト時の動的ロフトがより小さ
く、そのためゴルファーはより高い静的ロフトを有するクラブを使用することが必要にな
る。例えば、−２ｍｍより小さいＣＧｚ及び１６ｍｍより小さいデルタ１を有するクラブ
なら標準ＣＧ位置より高いロフトが必要になるかもしれない。一部の特定の実施形態では
、静的ロフトは１１°から１９°の間である。より好適には、４００ｃｃより大きい体積
を有するドライバについては１４°から１７°の間の静的ロフトを有するのが有利である
かもしれない。デルタ１は、より好適には１４ｍｍより小さい、なおいっそう好適には１
２ｍｍより小さいということになろう。更に、ＣＧｚは、より好適には−３ｍｍより小さ
い、なおいっそう好適には−４ｍｍより小さいということになろう。
【００６８】
スピンレート増加には幾つかの要因がある。第１に、動的ロフティングが単純により高
いロフトを作り出せば、より高いロフトはより多いバックスピンの原因となる。第２のよ
り意外な解釈はギヤ効果である。後方ＣＧのゴルフクラブヘッドのフェースへの投影は中
心フェース（中心フェースは殆どのゴルフクラブヘッドにとって理想的なインパクト場所
）より上に投影点を作り出す。ギヤ効果理論は、投影点が打球場所からオフセットしてい
る場合、ギヤ効果がゴルフボールの回転を投影点に向かって生じさせる、と述べている。
中心フェースは殆どのゴルフクラブヘッドにとって理想的なインパクト場所であるので、
投影点が中心フェースからオフセットしていることは、完璧に打たれたショットへギヤ効
果を生じさせることになりかねない。而して、ゴルフクラブヘッドのロフトは投影点を中
心フェースより上、即ち理想打球場所より上に仕向ける。これが中心打へのギヤ効果を引
き起こし、ボールにゴルフクラブヘッドのフェースを転がり上がるように仕向け、なおい
っそう大きなバックスピンを発生させることになる。バックスピンは、幾つかの設計では
、ボール飛行が「吹き上がり（balloon）」即ち換言するとあまりに急上昇し、結果とし
てのゴルフショットの進行距離が最適スピン条件の場合より短くなってしまうため、問題
となることもある。
【００６９】
投影点が中心フェースと整列しないようなＣＧのオフセットに係る更なる考察事項は、
スピンによる潜在的なエネルギー損失である。前述のギヤ効果問題を理由に投影点を理想
打球場所以外の何処かに動かすと、より多くのエネルギーがスピンへ変換されてしまって
理想的な打球へのエネルギー伝達が小さくなってしまう。よって、投影点が理想打球場所
からオフセットしているゴルフクラブヘッドは、投影点が理想打球場所（中心フェースと
仮定）と整列しているゴルフクラブヘッドよりも、所与のショットでより少ない距離を呈
するかもしれない。
【００７０】
滑動式に位置換え可能な重り
ここに説明されているゴルフクラブヘッドの幾つかの実施形態によれば、ゴルフクラブ
ヘッドは、滑動式に位置換え可能な重りを含んでいる。滑動式に位置換え可能な重りは、
他にも利点はあるが中でもとりわけ、ゴルフクラブの末端使用者がクラブヘッドのＣＧの
場所を位置換え可能な重りの位置に関係付けられる場所範囲に亘って調節でき易くする。
図１９−図２４は、クラブヘッドのソールの前方領域に設けられているチャネル内に保定
されている滑動式に位置換え可能な重りを有する或る例示としてのゴルフクラブヘッドを
示している。重りは、チャネルのヒール端とトゥ端の間の複数の選択点に位置決めできる
ように滑動式に位置換え可能である。
【００７１】
ここに説明され図１９−図２４に示されている例示としてのゴルフクラブヘッドは、調
節可能なソール部片及び内部ソールリブ、調節可能なシャフト取り付けシステム、可変厚
さフェース板、薄壁本体構造、重りポートに挿入される可動式重り、及び／又はここに記
載の何れかの他のクラブヘッド特徴を含むことができる。本記述は、図１９−図２４に示
されている具体的な実施形態に関して進められているが、これらの実施形態は一例にすぎ
ず、根底の概念の範囲を限定するものと考えられてはならない。例えば、例示されている
実例は多くの記載されている特徴を含んでいるが、代わりの実施形態は、これらの特徴及
び／又は追加の特徴の様々なサブセットを含むことができる。
【００７２】
図１９Ａ−図１９Ｂは、或る例示としてのゴルフクラブヘッド９３００の幾つかの図を
示している。ヘッド９３００は、中空本体９３０２を備えている。本体９３０２（ひいて
はクラブヘッド９３００全体）は、前部分９３０４、後部分９３０６、トゥ部分９３０８
、ヒール部分９３１０、ホーゼル９３１２、クラウン９３１４、及びソール９３１６、を
含んでいる。前部分９３０４は、ここに説明されている様に、可変厚さ、複合材、及び／
又は金属のフェース板であってもよいとされるフェース板９０１８を受け入れる開口部を
形成している。
【００７３】
例示されているクラブヘッド９３００は、更に、シャフトをホーゼル９３１２へ連結す
るための上述の調節可能なシャフト接続システムの様な調節できるシャフト接続システム
を備えることができ、その詳細はここでは繰り返されておらず分かり易くするために図１
９Ａ−図１９Ｂには示されていない。示されている実施形態には、例えば、取り付けねじ
（図示せず）を通すための通路９３７０が含まれている。
【００７４】
調節可能なシャフト接続システムは、（限定するわけではないが）スリーブやフェルー
ルの様な様々な構成要素を含んでいてもよい（ホーゼル及び調節可能なシャフト接続シス
テムに関する更なる詳細は、例えば、米国特許第７，８８７，４３１号及び米国特許出願
第１３／０７７，８２５号、同第１２／９８６，０３０号、同第１２，６８７，００３号
、同第１２／４７４，９７３号に見いだすことができ、当該特許及び特許出願をここに参
考文献としてそっくりそのまま援用する）。シャフト接続システムは、ホーゼル９３１２
と一体で、ここに詳細に説明されている様にクラブヘッド９３００のシャフトに対する向
き付けを調節するのに使用することができる。例示されているクラブヘッド９３００は、
更に、同じくここに詳細に説明されている様に調節可能なソール部片をソールポート又は
ポケットに含んでいてもよい。
【００７５】
図１９Ａ−図１９Ｂに示されている実施形態では、クラブヘッド９３０２は、ソール９
３１６に、概してヒール部分９３１０寄りに配置されているヒール端９３２２からトゥ部
分９３０８寄りに配置されているトゥ端９３２４へ延びている細長いチャネル９３２０が
提供されている。チャネル９３２０内には前棚部９３３０と後棚部９３３２が配置されて
いて、チャネル９３２０内の前棚部９３３０及び後棚部９３３２上に重り組立体９４４０
が保定されている。示されている実施形態では、チャネル９３２０は、以上に論じられて
いるヘッド対シャフト接続組立体の一部を形成しているホーゼル開口部３４０と併合され
ている。
【００７６】
次に図２０Ａ−図２０Ｂ及び図２１Ａ−図２１Ｂを見ると、チャネル９３２０と前棚部
９３３０及び後棚部９３３２に関する追加の詳細が例示の実施形態に示されているが、そ
れには分かり易くするために重り組立体９３４０は含まれていない。示されている実施形
態では、チャネル９３２０は、前チャネル壁９３２６、後チャネル壁９３２７、及び底チ
ャネル壁９３２８を含んでいる。前チャネル壁９３２６、後チャネル壁９３２７、及び底
チャネル壁９３２８は、共同で、重り組立体９３４０が保定されている内部チャネル体積
を画定している。前棚部９３３０は前チャネル壁９３２６から後方へ内部チャネル体積の
中へと延び、後棚部９３３２は後チャネル壁９３２７から前方へ内部チャネル体積の中へ
延びている。
【００７７】
次に図２０Ａ−図２０Ｂ及び図２１Ａ−図２１Ｂを見ると、チャネル９３２０と前棚部
９３３０及び後棚部９３３２に関する追加の詳細が例示の実施形態に示されているが、そ
れには分かり易くするために重り組立体９３４０は含まれていない。示されている実施形
態では、チャネル９３２０は、前チャネル壁９３２６、後チャネル壁９３２７、及び底チ
ャネル壁９３２８を含んでいる。前チャネル壁９３２６、後チャネル壁９３２７、及び底
チャネル壁９３２８は、共同で、重り組立体９３４０が保定されている内部チャネル体積
を画定している。前棚部９３３０は前チャネル壁９３２６から後方へ内部チャネル体積の
中へと延び、後棚部９３３２は後チャネル壁９３２７から前方へ内部チャネル体積の中へ
延びている。
【００７８】
幾つかの実施形態では、前棚部９３３０及び後棚部９３３２のうち１つ又はそれ以上の
棚部の面に複数のロック用突起９３３４が形成されている。示されている実施形態では、
ロック用突起９３３４は後棚部９３３２の外向面に設置されている。以下により詳しく説
明されている様に、ロック用突起９３３４の各々は、重り組立体９３４０側に形成されて
いる複数のロック用ノッチの１つに係合してそれによって重り組立体９３４０をチャネル
９３２０内の所望場所に保定するように適合された大きさ及び形状を有している。示され
ている実施形態では、各ロック用突起９３３４は略半球形状を有している。
【００７９】
代わりの実施形態では、ロック用突起９３３４は、前棚部９３３０及び／又は後棚部９
３３２によって画定されている１つ又はそれ以上の他の面に配置されていてもよい。例え
ば、幾つかの実施形態では、ロック用突起は、前棚部９３３０の外向面に配置されており
、また一方、他の実施形態では、ロック用突起は前棚部９３３０と後棚部９３３２の一方
又は両方の棚部の内向面に配置されている。更なる実施形態では、重り組立体９３４０は
、ロック用突起の使用無しに、前棚部９３３０及び後棚部９３３２上に保定されている。
更に別の実施形態では、複数のロック用ノッチ（図には示されていない）が前棚部９３３
０及び後棚部９３３２の１つ又はそれ以上の面に配置されていて、重り組立体９３４０側
の係合部分に配置されているロック用突起に係合するように適合されている。全てのその
様な組合せ並びに他の組合せは、チャネル９３２０内の選択された場所に重り組立体９３
４０を保定するのに適しているであろう。
【００８０】
代わりの実施形態では、複数の突起９３３４は重り組立体９３４０のチャネルに沿った
位置を定めるのを手助けするマーカー又は指標として働いており、如何なるロック機能も
果たしていない。代わりに、重り組立体９３４０はチャネルに沿った選択位置で、ボルト
９３４６を締めることによってその場にロックされる。これらの実施形態では、複数の突
起９３３４は、ワッシャ９３４２が突起９３３４の１つへ重ねて置かれたときに限定され
た量を動くことができるように、ワッシャ９３４２の陥凹９３４８の幅より小さい幅の大
きさである。
【００８１】
次に図２２Ａ−図２２Ｂを見ると、チャネル９３２０と前棚部９３３０及び後棚部９３
３２に関する追加の詳細が例示の実施形態に示されているが、それには分かり易くするた
めに重り組立体９３４０は含まれていない。示されている実施形態では、チャネル９３２
０は、前チャネル壁９３２６、後チャネル壁９３２７、及び底チャネル壁９３２８を含ん
でいる。前チャネル壁９３２６、後チャネル壁９３２７、及び底チャネル壁９３２８は、
共同で、重り組立体９３４０が保定されている内部チャネル体積を画定している。前棚部
９３３０は前チャネル壁９３２６から後方へ内部チャネル体積の中へと延び、後棚部９３
３２は後チャネル壁９３２７から前方へ内部チャネル体積の中へ延びている。
【００８２】
図に示されている実施形態では、チャネル９３２０は、Ｘ−Ｙ平面内では実質的に直線
状であり（例えば図１９Ｂ参照）、Ｘ−Ｚ平面及びＹ−Ｚ平面内では概してソール９３１
６の湾曲に追随している（例えば図１９Ａ−図１９Ｂを参照）。チャネル９３２０は、ソ
ール９３１６の前方領域、即ち、クラブヘッドの前部分９３０４寄りに配置されている。
例えば、幾つかの実施形態では、チャネル全体９３２０は、ソール９３１６の前方５０％
領域に配置されており、例えば、ソール９３１６の前方４０％領域、ソール９３１６の前
方３０％領域、などに配置されている。言及されているソールの前方領域は、フェース板
９３１８の中心とクラブヘッドの後部分９３０６の最後部の点の間を延びる仮想線と交わ
る仮想垂直平面に関して定義されている。仮想垂直平面は、更に、シャフト５０が正しい
ライ（即ち典型的には６０度±５度）にあってソール９３１６が競技面７０に載っている
（クラブが接地アドレス位置にある）ときのシャフト長手方向軸を内包する垂直平面に平
行である。仮想線は長さＬが割り当てられている。従って、ソール９３１６の前方５０％
領域とは、仮想垂直平面に対してクラブヘッドの前部分９３０４寄りに位置するソール９
３１６の領域であって、ここに当該仮想垂直平面は、フェース板９３１８の中心から０．
５＊Ｌの距離に位置している。ソールの前方４０％領域とは、仮想垂直平面に対してクラ
ブヘッドの前部分９３０４寄りに位置するソール９３１６の領域であって、ここに当該仮
想垂直平面は、フェース板９３１８の中心から０．４＊Ｌの距離に位置している。ソール
の前方３０％領域とは、仮想垂直平面に対してクラブヘッドの前部分９３０４寄りに位置
するソール９３１６の領域であって、ここに当該仮想垂直平面は、フェース板９３１８の
中心から０．３＊Ｌの距離に位置している。
【００８３】
示されている実施形態では、フェース板９３１８の中心を通る垂直平面とフェース板９
３１８の中心と同じｘ座標におけるチャネル９３２０の間の最小距離は、約１０ｍｍから
約５０ｍｍの間であり、例えば、約２０ｍｍから約４０ｍｍの間、約２５ｍｍから約３０
ｍｍの間、などである。示されている実施形態では、チャネルの幅（即ち、前棚部９３３
０の場所に隣接する前チャネル壁９３２６と後棚部９３３２の場所に隣接する後チャネル
壁９３２７の間の水平距離）は、約８ｍｍから約２０ｍｍの間とすることができ、例えば
約１０ｍｍから約１８ｍｍの間、約１２ｍｍから約１６ｍｍの間、などであってもよい。
示されている実施形態では、チャネルの深さ（即ち、底チャネル壁９３２８とソール９３
１６のチャネル９３２０の前棚部及び後棚部に隣接している領域を内包する仮想平面の間
の垂直距離）は、約６ｍｍから約２０ｍｍの間とすることができ、例えば、約８ｍｍから
約１８ｍｍの間、約１０ｍｍから約１６ｍｍの間、などであってもよい。示されている実
施形態では、チャネルの長さ（即ち、チャネルのヒール端９３２２とチャネルのトゥ端９
３２４の間の水平距離）は、約３０ｍｍから約１２０ｍｍの間とすることができ、例えば
、約５０ｍｍから約１００ｍｍの間、約６０ｍｍから約９０ｍｍの間、などであってもよ
い。
【００８４】
重り組立体９３４０及び重り組立体９３４０をチャネル９３２０内の前棚部９３３０及
び後棚部９３３２上に保定させるやり方が、図２２Ａ−図２２Ｂにより詳細に示されてい
る。示されている実施形態では、重り組立体９３４０は、ワッシャ９３４２と質量部材９
３４４と締結用ボルト９３４６という３つの構成要素を含んでいる。ワッシャ９３４２は
、内部チャネル体積の外側の部分内に配置され、前棚部９３３０と後棚部９３２２の外向
面に係合している。質量部材９３４４は、内部チャネル体積の内側の部分内に配置されて
いて、前棚部９３３０と後棚部９３３２の内向面に係合している。締結用ボルト９３４６
は、ワッシャ９３４２の中央開口９３５３を通って延び質量部材９３４４の中央開口９３
６１に設けられている噛み合い相手のねじ部に係合するねじの切られた軸部を有している
。
【００８５】
ワッシャ３９４２と質量部材９３４４は、それぞれ、アルミニウム、チタン、ステンレ
ス鋼、タングステン、これらの材料を含有する合金、又はこれらの材料の組合せ、の様な
材料で形成することができる。締結用ボルト９３４６は、チタン合金又はステンレス鋼で
形成されているのが好ましい。示されている実施形態では、ワッシャ９３４２と質量要素
９３４４は、それぞれ、約８ｍｍから約２０ｍｍの範囲、例えば、約１０ｍｍから約１８
ｍｍ、約１２ｍｍから約１６ｍｍ、などの範囲、の長さと幅を有している。図に示されて
いるワッシャ９３４２及び質量要素９３４４の実施形態の高さは、約２ｍｍから約８ｍｍ
であり、例えば、約３ｍｍから約７ｍｍ、約４ｍｍから約６ｍｍ、などである。
【００８６】
チャネル９３２０及び取り付けられている調節可能な重り組立体９３４０の追加が、ボ
ールをインパクトしたときのクラブが出す音を不快に変化させないとも限らない。従って
、ソールの内部面（即ちクラブヘッド９３００の内部キャビティ内）に１つ又はそれ以上
のリブ９３８０が提供されている。ソールの内部面のリブ９３８０は、幾通りかの異なっ
た方向に向き付けられ、チャネル９３２０をクラブヘッド本体の他の強度のある構造、例
えば本体のソール及び／又はソールとクラウンの間のスカート領域など、へつなぐことが
できる。１つ又はそれ以上のリブは、ソールをなおいっそう安定させるために、ホーゼル
へつながれていてもよい。ソールの内部面へその様なリブが加えられることで、クラブヘ
ッドは、以上に調節可能なソール板ポートと関連付けられるリブに関して論じられている
様に、フェースでゴルフボールを打ったときに、より高い可聴周波数を現出させることが
できる。
【００８７】
幾つかの実施形態では、重り組立体９３４０は、重り組立体９３４０をチャネルのトゥ
端９３２４に隣接して配置されている装着キャビティ９３３６の中へ設置することによっ
てチャネル９３２０の中へ装入される。装着キャビティ９３３６は、チャネル９３２０の
一部分であって、そこには前棚部９３３０と後棚部９３３２が延びていないため、組み立
てられた重り組立体９３４０のチャネル９３２０内への設置がやり易くなる。重り組立体
９３４０は、装着キャビティ９３３６の中へ一旦設置されると、ヒール端９３２２に向け
て位置をずらされ、前棚部９３３０及び後棚部９３３２と係合してゆく。重り組立体９３
４０が装着キャビティ９３３６から完全にずらされた後、随意的なキャップ又は栓（例え
ば図２３参照）を装着キャビティ９３３６の中へ装入して重り組立体９３４０のチャネル
９３２０からの脱離を防止するようにしてもよい。
【００８８】
図２３に示されている実施形態は、更に、シャフトをホーゼル９３１２へ連結するため
の調節可能なシャフト取り付けシステムであって、スリーブ９９２０、ワッシャ９９２２
、ホーゼル挿入部９９２４、及びねじ９９２６の様な、様々な構成要素を含むシステムを
含んでいる（ホーゼル及び調節可能なシャフト接続システムに関する更なる詳細は、例え
ば、米国特許第７，８８７，４３１号及び米国特許出願第１３／０７７，８２５号、同第
１２／９８６，０３０号、同第１２，６８７，００３号、同第１２／４７４，９７３号に
見いだすことができ、当該特許及び特許出願をここに参考文献としてそっくりそのまま援
用する）。シャフト接続システムは、ホーゼル９３１２と一体で、本明細書にもまたここ
で参考文献として援用されている特許及び特許出願にも詳細に説明されている様に、クラ
ブヘッド９３０２のシャフトに対する向き付けを調節するのに使用することができる。幾
つかの実施形態は複合フェース板を備えていてもよい。複合フェース板についての構造及
び製造プロセスに関わる更なる詳細は、米国特許第７，８７１，３４０号、及び米国特許
出願公開第２０１１／０２７５４５１号、同第２０１２／００８３３６１号、及び同第２
０１２／０１９９２８２号に記載されている。複合フェース板は、クラブヘッドの前部分
９３０４の開口部に配置されている挿入部支持構造へ取り付けられる。挿入部支持構造に
関わる更なる詳細は、米国特許第ＲＥ４３，８０１号に記載されている。
【００８９】
滑動式に位置換え可能な重りを含む更なる実施形態
ここに説明され図３４−図５９に示されている例示としてのゴルフクラブヘッドは、調
節可能なソール部片及び内部ソールリブ、調節可能なシャフト取り付けシステム、可変厚
さフェース板、薄壁本体構造、重りポートに挿入される可動式重り、及び／又はここに記
載の何れかの他のクラブヘッド特徴、を含むことができる。本記述は、図３４−図５９に
示されている特定の実施形態に関して進められているが、これらの実施形態は一例にすぎ
ず、根底の概念の範囲を限定するものと考えられてはならない。例えば、例示されている
実例は多くの記載されている特徴を含んでいるが、代わりの実施形態は、これらの特徴及
び／又は追加の特徴の様々なサブセットを含むことができる。
【００９０】
図３４Ａ−図３４Ｄを見て、ゴルフクラブヘッドの別の例であるゴルフクラブヘッド１
２０００をこれより説明してゆく。ゴルフクラブヘッド１２０００は、中空本体１２００
２Ａ、チャネル１２０２０、及び滑動式重り組立体１２０４０を含め、先の実施形態の構
造及び特徴の幾つかを含んでいる。本体１２００２Ａ（ひいてはクラブヘッド１２０００
全体）は、前部分１２００４、後部分１２００６、トゥ部分１２００８、ヒール部分１２
０１０、ホーゼル１２０１２、クラウン１２０１４、及びソール１２０１６、を含んでい
る。前部分１２００４は、ここに説明されている様に、可変厚さ、複合材、及び／又は金
属のフェース板であってもよいとされるフェース板１２０１８を受け入れる開口部を形成
している。
【００９１】
例示されているクラブヘッド１２０００は、更に、シャフトをホーゼル１２０１２へ連
結するための調節可能なシャフト接続システムを備えることができる。調節可能なシャフ
ト接続システムは、（限定するわけではないが）スリーブ及びフェルールの様な様々な構
成要素を含んでいてもよい（ホーゼル及び調節可能なシャフト接続システムに関する更な
る詳細は、例えば、米国特許第７，８８７，４３１号、及び米国特許出願第１３／０７７
，８２５号、同第１２／９８６，０３０号、同第１２，６８７，００３号、同第１２／４
７４，９７３号に見いだすことができ、当該特許及び特許出願をここに参考文献としてそ
っくりそのまま援用する）。
【００９２】
クラブヘッド１２０００には、ホーゼル１２０１２からクラブヘッドを貫いて延びてい
てクラブヘッドのソール又は底面に開口しているホーゼル開口部１２０７０又は通路が形
成されている。ホーゼル開口部１２０７０は、以上に論じられているヘッド対シャフト接
続組立体の一部を形成している取り付けねじ（図示せず）を通せるようにしている。シャ
フト接続システムは、ホーゼル１２０１２と一体で、ここに説明されている様にクラブヘ
ッド１２０００のシャフトに対する向き付けを調節するのに使用することができる。例示
されているクラブヘッド１２０００は、更に、同じくここに説明されている様に調節可能
なソール部片をソールポート又はポケットに含んでいてもよい。
【００９３】
図３４Ａ−図３４Ｄに示されている実施形態では、ゴルフクラブヘッド１２０００は、
ソール１２０１６に、概してヒール部分１２０１０寄りに配置されているヒール端１２０
２２からトゥ部分１２００８寄りに配置されているトゥ端１２０２４へ延びている細長い
チャネル１２０２０が提供されている。チャネル１２０２０内には前棚部１２０３０と後
棚部１２０３２が配置されていて、チャネル１２０２０内の前棚部１２０３０及び後棚部
１２０３２上に重り組立体１２０４０が保定されている。示されている実施形態では、チ
ャネル１２０２０は、以上に論じられているヘッド対シャフト接続組立体の一部を形成し
ているホーゼル開口部１２０７０と併合されている。
【００９４】
幾つかの実施形態では、チャネル１２０２０は、ソール１２０１６の湾曲をなぞってい
てもよい。これは、滑動式重りが低い前方位置を維持できるようにし、ひいてはＣＧがよ
り低くより前方になるように仕向ける。我々は、重り組立体を低く前方に位置決めするこ
とにより、これがバックスピンの少ないボール飛行を現出させることを見いだした。
【００９５】
更に、我々は、重りをチャネルに沿って滑動させることは、ゴルファーがクラブヘッド
のＣＧｘを位置換えすることによって自身のショット形状をより適切に制御することを可
能にさせることを見いだした。重りをクラブのトゥに向かって動かすことはフェードバイ
アスを促すようにＣＧｘを位置換えする。同様に重りをクラブのヒールに向かって動かす
ことは、ドローバイアスを促すようにＣＧｘを位置換えする。
【００９６】
また一方で、我々は重り組立体がＣＧｚに不適切に効果を及ぼしかねないことを見いだ
した。ＣＧｚへの影響力は重り組立体が極トゥ位置又は極ヒール位置にあるときが最も有
意である。これらの極位置では、ＣＧはフェース上により高く投影され、結果的にショッ
ト形状制御と低ＣＧの間でトレードオフを来たす。従って、幾つかの実施形態では、重り
を滑動させることがＣＧｚへ与える影響力がより小さくなるようにチャネルを平坦化する
のが望ましいこともある。
【００９７】
図３４Ａに示されている様に、クラブヘッドのソールは、トゥ側ウィングレット１２０
３４とヒール側ウィングレット１２０３６を含んでいる。ソールのこれらの増成部分はヒ
ール／トゥ方向のチャネル曲率半径をソールの曲率半径と異ならせることができる。典型
的には、ソールは相対的に丸い例えば５０−１００ｍｍのヒール／トゥ半径を有しており
、（単数又は複数の）重りがヒール位置及びトゥ位置に置かれている場合にチャネルが重
りをより低い垂直高さに維持するためにはより大きい曲率半径例えば１００−１５０ｍｍ
の曲率半径を有しているのが望ましいかもしれない。これは重り組立体がチャネルに沿っ
て滑動する際に一定して低いＣＧｚを維持するのに役立つ。
【００９８】
幾つかの実施形態では、前チャネル棚部及び後チャネル棚部は、５０ｍｍ−４００ｍｍ
の範囲の半径及び０．５ｍｍから３．０ｍｍの間のチャネル棚部厚さを有していてもよい
。他の実施形態では、前チャネル棚部及び後チャネル棚部は平坦であってもよい。他の実
施形態では、前チャネル棚部及び後チャネル棚部は、平坦部分と丸部分の組合せを含んで
いてもよい。以上に論じられている様に、より平らなチャネル又は大きい半径を有するチ
ャネルは、ＣＧｚへの影響力のより少ないチャネルに沿った移動を可能にさせる。これは
ＣＧが低く前方に留まれるようにして、打球フェース上へより低く投影されるＣＧを可能
にさせる。
【００９９】
次に図３５Ａ−図３５Ｂを見ると、チャネル１２０２０と前棚部１２０３０及び後棚部
１２０３２に関する追加の詳細が例示の実施形態に示されているが、それには分かり易く
するために重り組立体１２０４０は含まれていない。示されている実施形態では、チャネ
ル１２０２０は、前チャネル壁１２０２６、後チャネル壁１２０２７、及び底チャネル壁
１２０２８を含んでいる。前チャネル壁１２０２６、後チャネル壁１２０２７、及び底チ
ャネル壁１２０２８は、共同で、重り組立体１２０４０が保定されている内部チャネル体
積を画定している。前棚部１２０３０は前チャネル壁１２０２６から後方へ内部チャネル
体積の中へと延び、後棚部１２０３２は後チャネル壁１２０２７から前方へ内部チャネル
体積の中へ延びている。示されている様に、チャネル１２０２０は、重り組立体１２０４
０を滑動させる開口部分を別にして密閉構造であってもよい。チャネル１２０２０は、鋳
放し又は機械加工された特徴であってもよい。
【０１００】
図３４Ａ−図３４Ｄに示されている実施形態では、チャネル１２０２０は、ソール１２
０１６の前方領域、即ち、クラブヘッドの前部分１２００４寄りに配置されている。例え
ば、幾つかの実施形態では、チャネル全体１２０２０は、ソール１２０１６の前方５０％
領域に配置されており、例えば、ソール１２０１６の前方４０％領域、ソール１２０１６
の前方３０％領域、などに配置されている。言及されているソールの前方領域は、フェー
ス板１２０１８の中心とクラブヘッドの後部分１２００６の最後部の点の間を延びる仮想
線と交わる仮想垂直平面に関して定義されている。仮想垂直平面は、更に、シャフト５０
が正しいライ（即ち典型的には６０度±５度）にあってソール１２０１６が競技面７０に
載っている（クラブが接地アドレス位置にある）ときのシャフト長手方向軸を内包する垂
直平面に平行である。仮想線は長さＬが割り当てられている。従って、ソールの前方５０
％領域とは、仮想垂直平面に対してクラブヘッドの前部分１２００４寄りに位置するソー
ル１２０１６の領域であって、ここに当該仮想垂直平面は、フェース板１２０１８の中心
から０．５＊Ｌの距離に位置している。ソールの前方４０％領域とは、仮想垂直平面に対
してクラブヘッドの前部分１２００４寄りに位置するソール１２０１６の領域であって、
ここに当該仮想垂直平面は、フェース板１２０１８の中心から０．４＊Ｌの距離に位置し
ている。ソールの前方３０％領域とは、仮想垂直平面に対してクラブヘッドの前部分１２
００４寄りに位置するソール１２０１６の領域であって、ここに当該仮想垂直平面は、フ
ェース板１２０１８の中心から０．３＊Ｌの距離に位置している。
【０１０１】
示されている実施形態では、フェース板１２０１８の中心と同じｘ座標での重り組立体
１２０４０のＣＧとフェース板１２０１８の中心を通る第１垂直平面の間の距離は、約５
ｍｍから約５０ｍｍの間であり、例えば、約１０ｍｍから約４０ｍｍの間、約２５ｍｍか
ら約３０ｍｍの間、などであってもよい。示されている実施形態では、チャネルの幅（即
ち、前棚部１２０３０の場所に隣接する前チャネル壁１２０２６と後棚部１２０３２の場
所に隣接する後チャネル壁１２０２７の間の水平距離）は、約８ｍｍから約２０ｍｍの間
とすることができ、例えば、約１０ｍｍから約１８ｍｍの間、約１２ｍｍから約１６ｍｍ
の間、などであってもよい。示されている実施形態では、チャネルの深さ（即ち、底チャ
ネル壁１２０２８とチャネル１２０２０の前棚部及び後棚部に隣接するソール１２０１６
の領域を内包する仮想平面の間の垂直距離）は、約６ｍｍから約２０ｍｍの間とすること
ができ、例えば、約８ｍｍから約１８ｍｍの間、約１０ｍｍから約１６ｍｍの間、などで
あってもよい。示されている実施形態では、チャネルの長さ（即ち、チャネルのヒール端
１２０２２とチャネルのトゥ端１２０２４の間の水平距離）は、約３０ｍｍから約１２０
ｍｍの間とすることができ、例えば、約５０ｍｍから約１００ｍｍの間、約６０ｍｍから
約９０ｍｍの間、などであってもよい。
【０１０２】
重り組立体１２０４０及び重り組立体１２０４０をチャネル１２０２０内の前棚部１２
０３０及び後棚部１２０３２上に保定させるやり方が、図３６Ａ−図３６Ｃ及び図３７Ａ
−図３７Ｄにより詳細に示されている。示されている実施形態では、重り組立体１２０４
０は、ワッシャ１２０４２と質量部材１２０４４と締結用ボルト１２０４６という３つの
構成要素を含んでいる。ワッシャ１２０４２は、内部チャネル体積の外側の部分内に配置
されていて、前棚部１２０３０と後棚部１２０３２の外向面に係合している。質量部材１
２０４４は、内部チャネル体積の内側の部分内に配置されていて、前棚部１２０３０と後
棚部１２０３２の内向面に係合している。締結用ボルト１２０４６は、ワッシャ１２０４
２の中央開口を通って延び質量部材１２０４４の中央開口１２０６１に設けられている噛
み合い相手のねじ部に係合するねじの切られた軸部を有している。これは、重り組立体を
固定するための張力システムである。代わりに、ワッシャは中央開口に噛み合いねじ部を
有し、締結用ボルトは質量部材の中央開口を通って進むようになっていて、ボルトの露出
している外面への駆動によって締められるようになっていてもよいであろう。この実施形
態では、締める間、ボルトの頭部は質量部材の内面に捕えられてその場に保持されること
になる。
【０１０３】
幾つかの実施形態では、ワッシャ１２０４０は、質量部材１２０４４より重くてもよい
し、その逆であってもよい。或いは、ワッシャ１２０４２と質量部材１２０４４は似通っ
た質量を有していてもよい。ワッシャを質量部材より重くすることの利点は、なおいっそ
う低いＣＧである。ワッシャ及び／又は質量部材は、１ｇから５０ｇの範囲の質量を有し
ていてもよい。
【０１０４】
図３８Ａに示されている様に、及びクラブヘッド９３００に関して論じられている重り
組立体と同様に、ワッシャ１２０４２は、内向面１２０５０と外向面１２０５２を含んで
いる。ワッシャ１２０４２は、重り組立体１２０４０がチャネル１２０２０内に保定され
るときに後棚部１２０３２側に配置されているロック用突起１２０３４（突出部及び／又
は窪みのどちらか）に係合するのに適合するような複数のロック用ノッチ１２０４８（突
出部及び／又は窪みのどちらか）をワッシャの内向面１２０５０に沿って配置させて含ん
でいてもよい。
【０１０５】
ワッシャ１２０４２は、更に、隆起した中央リッジ１２０５４を内向面１２０５０側に
含んでいる。隆起した中央リッジ１２０５４は、前棚部１２０３０と後棚部１２０３２の
間の離隔距離よりも僅かに小さい幅寸法を有しており、その結果、中央リッジ１２０５４
は、チャネル１２０２０内を前棚部１２０３０及び後棚部１２０３２によって横方向に拘
束されながらヒール−トゥ方向に滑動できるようになっている。
【０１０６】
質量部材１２０４４の或る実施形態が図３８Ｂに示されている。質量部材１２０４４は
、内向面１２０５６及び外向面１２０５８と、外向面１２０５８を通って延びる中央リッ
ジ１２０６０と、を含んでいる。隆起した中央リッジ１２０６０は、前棚部１２０３０と
後棚部１２０３２の間の離隔距離よりも僅かに小さい幅寸法を有しており、その結果、中
央リッジ１２０６０は、チャネル１２０２０内を、前棚部１２０３０及び後棚部１２０３
２によって横方向に拘束されながらヒール−トゥ方向に滑動できるようになっている。質
量部材１２０４４は、更に、締結用ボルト１２０４６のねじの切られた軸部を通して配置
させるねじの切られた中央開口１２０６１を有している。
【０１０７】
幾つかの実施形態では、ワッシャは質量部材より重い。これはＣＧをなおいっそう低く
させる。加えて、これは、重いほうの部片（例えばワッシャ）を取り外して異なる重りに
置き換えることをより少ない工程数で行えるようにする。締結ボルトをねじって外すだけ
でワッシャの取り外しができ、ワッシャを使用者の選好に依存してより重い又はより軽い
重りと置き換えることができる。このことは、典型的に、重りを取り外すこと又は置き換
えることに関わる追加の工程を有する他の設計に勝る重要な改善である。例えば、他の設
計は典型的に重りの脱離を防止するために、滑動式重りトラック内に又はトラックに沿っ
て又はトラックに隣接して装着されている何か、例えばキャップ又は栓、を有している。
他の設計は、この二次的な物体が重りの直接的な取り外しをできなくしているために、重
りを取り外すとなると少なくとも１つの追加の工程を要する。更に、これらの設計は典型
的に滑動式重りトラックを一杯に使用することを許容しておらず、というのも、重りの脱
離を防止している物品が典型的に滑動式重りトラックを一杯に使用することを何らかのや
り方で妨害しているからである。また一方、本設計は幾つかの実施形態では実質的に使用
不能部分無しにチャネルを一杯に使用することを可能にさせる。
【０１０８】
これらの代わりの設計に係る別の懸念は、重りを保持する部分が失陥してゴルフのラウ
ンド中にクラブヘッドとの係合を維持できなくなってしまうことである。場合によっては
、このことが結果的にプレイヤーのトーナメント失格を招くこともある。従って、本設計
は、追加の部片を排除し、重り取り外しのための追加の工程を排除し、チャネルを実質的
に一杯に使用できるようにし、ここに説明されている不具合の起こる可能性を排除するこ
とによって、より初期の設計を改良している。
【０１０９】
幾つかの実施形態では、重り組立体１２０４０は、重り組立体１２０４０をチャネル１
２０２０のヒール端１２０２２に隣接して配置されている装着キャビティ１２０３８の中
へ設置することによってチャネル１２０２０の中へ装入される。装着キャビティ１２０３
８は、チャネル１２０２０の一部分であって、そこには前棚部１２０３０と後棚部１２０
３２が延びているため、チャネルに沿った実質的に使用不能な部分無しにチャネル１２０
２０を一杯に使用することを可能にさせる。重り組立体１２０４０は、装着キャビティ１
２０３８の中へ一旦設置されたら、前棚部１２０３０及び後棚部１２０３２と係合させら
れてもよいし、又は重り組立体１２０４０は、チャネル１２０２０に沿って別の位置へず
らされ、次いで前棚部１２０３０及び後棚部１２０３２と係合させられてもよい。
【０１１０】
代わりに、図３７Ａ−３７Ｄに示されている様に、重り組立体１２０４０は、最初に質
量部材１２０４４をチャネル１２０２０のヒール端１２０２２に隣接して配置されている
装着キャビティ１２０３８の中へ設置し、次いで締結ボルト１２０４６をワッシャ１２０
４２の中央開口１２０５３に通し、質量部材１２０４４側に設けられている噛み合いねじ
部に係合させることによって、チャネル１２０２０の中へ装入されてもよい。
【０１１１】
図３７Ａ−３７Ｄに示されている様に、質量部材１２０４４の装着キャビティ１２０３
８内への設置は、最初に質量部材１２０４４をチャネルに対して傾ける段階（図３７Ｂ参
照）と、次いで質量部材１２０４４を後棚部１２０３２の下に質量部材１２０４４がチャ
ネル１２０２０内の所定位置へ回り込めるように十分な距離だけ挿入する段階（図３７Ｃ
参照）と、を要する。質量部材１２０４４は、十分な距離だけ挿入されないと、チャネル
１２０２０の前棚部１２０３０との起こり得る干渉のせいでチャネル１２０２０内の所定
位置へ回り込むことができない。ひとたび質量部材１２０４４が所定位置へ回り込んだら
、次いで締結ボルト１２０４６を使用してワッシャ１２０４２を質量部材１２０４４へ取
り付けることができる。図３７Ｄは、質量部材がチャネルに沿って滑らされてゆくときに
どの様に前棚部に向かって僅かに移行するのかを示している。
【０１１２】
同様に、重り組立体１２０４０Ａ全体が、説明されているのと同じ方法を使用して装着
されていてもよい。最初に締結ボルトに組立体を一体に緩く保持させる必要があり、次に
挿入に向けて組立体全体にチャネルに対して角度を付けさせなくてはならず、次いで質量
部材とワッシャが後棚部の一部を間に挟むようにして組立体をチャネルの中へ挿入し、次
に組立体を所定位置へ回し入れ、重り組立体が前棚部と後棚部の両方を質量部材とワッシ
ャの間に挟んでいるように調節したら、次いで重り組立体をチャネルに沿って所望の位置
へ滑らせてゆき、最終的に締結ボルトを締めてチャネルにしっかり係合させるようにする
。
【０１１３】
幾つかの実施形態では、装着キャビティ１２０３８は、質量部材１２０４４のチャネル
１２０２０内装着を容易にするために陥凹している又は窪んでいる面１２０３９を含んで
いてもよい。示されている様に、陥凹面１２０３９は後棚部１２０３２と底チャネル壁１
２０２８の間に配置されていてもよい。追加的又は代替的に、装着キャビティ１２０３８
及び陥凹面１２０３９は、チャネル１２０２０のトゥ端１２０２４に配置されていてもよ
い。追加的又は代替的に、陥凹面１２０３９は、チャネル１２０２０の全長さを延びて、
チャネルの全長さに沿っての装着を可能にさせていてもよい。追加的又は代替的に、陥凹
面１２０３９は、前棚部１２０３０と底チャネル壁１２０２８の間に配置されていてもよ
い。
【０１１４】
陥凹は、チャネルの全長さを延びているにせよチャネルの一部分のみを延びているにせ
よ、質量部材又は重り組立体を受容するのに適切な大きさでなくてはならない。典型的に
は、これは、質量部材がチャネル内で殆ど抵抗無しに滑動することができるようにチャネ
ル寸法を質量部材より僅かに大きくすることによって達成させることができる。示されて
いる実施形態では、質量部材は或る厚さを有する矩形の形状であるが、質量部材は他の幾
何学形状の形態をしていてなおチャネルに係合するようになっていてもよい。例えば、質
量部材は、円錐台形、円形、三角形、台形、六角形、又は何か他の形状とすることもでき
る。
【０１１５】
既に論じられている様に、この装着方法は、装着キャビティ１２０３８がチャネル１２
０２０の使用可能部分の中へ組み入れられているので、チャネルを一杯に使用することを
可能させる。加えて、幾つかの実施形態では、重り組立体を取り外すために、クラブヘッ
ド、質量部材、又は重り組立体を回転させなくてはならない。これは質量部材又は重り組
立体が意図せずしてチャネルから係合解除されるのを未然に防ぐ。
【０１１６】
質量部材は、多くの異なるやり方でチャネルから取り外されるようになっていてもよく
、次に続く説明は、使用者が質量部材をチャネルから取り外す場合の１つのやり方である
が、唯一のやり方というわけではなく、設計依存である。質量部材をチャネルから取り外
す場合、使用者はソールが上方例えば空の方を向くようにそしてクラブのトゥが使用者の
方を向くようにクラブを回転させ、次いで使用者はボルトを回し外してボルトとワッシャ
を取り外したら、次に質量部材を装着キャビティ内に位置付け、次いで使用者はクラブを
時計回りにゆっくりと質量部材が抜け落ちるまで回転させてゆく。チャネル及び装着キャ
ビティの設計にも依るが、質量部材はひとたびチャネルが水平平面例えば地面に対して約
９０度又はそれ以下の角度を成したらチャネルから抜け落ちるであろう。この説明は、チ
ャネルの一部分だけに沿った装着キャビティを有しているチャネルに特定であり、装着キ
ャビティは後方棚部に沿っている。
【０１１７】
図に示されている調節可能な重りシステムを使用するのに、使用者は（ここに説明され
ているトルクレンチ６６００の様な）工具の係合端を使用して重り組立体１２０４０の締
結用ボルト１２０４６を緩めてもよい。締結用ボルト１２０４６が緩められたら、重り組
立体１２０４０をチャネル１２０２０内で所望の方向に滑動させることによって、重り組
立体１２０４０をトゥ部分１２００８寄り又はヒール部分１２０１０寄りに調節すればよ
い。重り組立体１２０４０が所望の場所に置かれたら、締結用ボルト１２０４６を、前棚
部１２０３０及び／又は後棚部１２０３２へ掛かるワッシャ１２０４２と質量部材１２０
４４の間の締め付け力が重り組立体１２０４０を所定場所に拘束するのに十分になるまで
締めてゆく。
【０１１８】
チャネル１２０２０及び取り付けられている調節可能な重り組立体１２０４０の追加が
、ボールとのインパクト時にクラブが出す音を不快に変化させないとも限らない。従って
、図３９Ａ−図３９Ｂに示されている様に、ソール及び／又はクラウンの内部面（即ちク
ラブヘッド１２０００の内部キャビティ内）に１つ又はそれ以上のリブ１２０８０が提供
されていてもよい。ソールの内部面のリブ１２０８０は、幾通りかの異なった方向に向き
付けられ、チャネル１２０２０をクラブヘッド本体の他の強度のある構造、例えば本体の
ソール及び／又はソールとクラウンの間のスカート領域などへつなぐことができる。１つ
又はそれ以上のリブは、ソールをなおいっそう安定させるために、ホーゼルへつながれて
いてもよい。追加的又は代替的に、リブは、チャネルを横切って走っていてもよく、フェ
ース又はフェースリップの前の低い部分へ接続していてもよいし、接続していなくてもよ
い。ソールの内部面へその様なリブが加えられることで、クラブヘッドは、以上に調節可
能なソール板ポートと関連付けられるリブに関して論じられている様に、フェースでゴル
フボールを打ったときに、好適には２５００ＨＺより大きい、更に好適には３０００ＨＺ
より大きい、最も好適には３４００ＨＺより大きい、より高い可聴周波数を現出させるこ
とができる。
【０１１９】
滑動式に位置換え可能な重り押圧システム
図４１を見て、ゴルフクラブ本体の別の例であるゴルフクラブヘッド１２０００Ｂをこ
れより説明してゆく。ゴルフクラブヘッド１２０００Ｂは、ゴルフクラブヘッド１２００
０と類似の又は同一の多くの特徴を類のない独特なやり方で組み合わせて含んでいる。而
して、簡潔さを期し、ゴルフクラブヘッド１２０００Ｂの各特徴を冗長的に解説すること
はしない。むしろゴルフクラブヘッド１２０００Ｂとゴルフクラブヘッド１２０００の間
の主要な相違を詳細に説明することにし、読み手には２つのゴルフクラブヘッド間の実質
的に類似の特徴については以上の論考を参照されたい。
【０１２０】
図４１に示されている様に、本体１２００２Ｂ（ひいてはクラブヘッド１２０００Ｂ全
体）は、前部分１２００４、後部分１２００６、トゥ部分１２００８、ヒール部分１２０
１０、ホーゼル１２０１２、クラウン、及びソール１２０１６、を含んでいる。ゴルフク
ラブヘッド１２０００Ｂは、一端又は両端に開口しているチャネル１２０２０Ｂを含み、
重り組立体１２０４０Ｂがチャネル１２０２０Ｂに沿って所定位置へ自由に滑り込めるよ
うにしていてもよい。既に論じられている他の実施形態と同様に、チャネル１２０２０Ｂ
は、ホーゼル開口部１２０７０Ｂと合流していてもよい。重り組立体は、滑動式重り１２
０７２と止めねじ（図示せず）を含んでいてもよい。止めねじを締めることで、重り組立
体１２０４０Ｂがチャネル１２０２０Ｂ内に固定される。止めねじは、チャネルを押し付
けて圧迫状態にし、それによって滑動式重りがチャネルの後方部分に当てて押圧される。
これは、重り組立体を固定するための押圧システムである。追加的又は代替的に、開口し
ているチャネルは、重り組立体がチャネルから滑り出てしまうのを防ぐように開口１２０
８０へ固着されているバンパを含んでいてもよい。これは、万一止めねじが使用中に緩ん
だ場合に重要になろう。
【０１２１】
追加的又は代替的に、チャネル１２０２０Ｂは、ヒール端及びトゥ端に閉鎖されていて
、代わりに以上にチャネル１２０２０に関して論じられているのと類似の装着キャビティ
を含んでいてもよい。その場合、滑動式重り１２０７２は以上に論じられている質量部材
１２０４４により似通った設計となるであろう。滑動式重り１２０７２が一旦チャネルに
装着されたら、ねじを締めればよく、するとねじがチャネルの底に押し付けられ、対応し
て滑動式重りがチャネル棚部に押し付けられ、それにより重りはその場に固定されること
になる。
【０１２２】
以上に論じられている様に、チャネルは使用者にフェードバイアスか又はドローバイア
スのどちらかを促すようにクラブヘッドＣＧを調節できる能力を提供する。チャネルは必
ずしも直線状でなくてもよく、多少の湾曲を有していてもよい。湾曲はクラブヘッドの前
部分又は後部分のどちらかに整合していてもよい。或いは、湾曲は部分円又は全円の形状
の様な別の形態をとっていてもよい。
【０１２３】
例示されているクラブヘッドは、更に、シャフトをホーゼルへ連結するための以上に説
明されている調節可能なシャフト接続システムの様な調節できるシャフト接続システムを
備えることができ、その詳細はここでは繰り返されておらず分かり易くするために示され
ていない。
【０１２４】
重りポートを有する滑動式に位置換え可能な重り
次に続く論考は、図４２−図４７に示されている実施形態を理解するための重要な背景
を提供している。ウッド型式ゴルフクラブヘッドの低前方重心は、以上に論じられている
様々な理由で好都合である。また、高打ち出しと低スピンの組合せは、特にウッド型式ゴ
ルフクラブヘッドからは望ましい。
【０１２５】
ウッド型式ゴルフクラブヘッドに低前方重心場所を有することは、スピンを軽減し打ち
出し角を増加させることによって理想的な打ち出し条件の実現を支援する。しかしながら
、一部の特定の状況では、低前方重心は、質量の実質部分がゴルフクラブヘッドの１つの
領域に集中していればゴルフクラブヘッドの慣性モーメントを低下させかねない。２００
７年９月２７日出願の「ゴルフクラブヘッド」という名称の米国特許第７，７３１，６０
３号に記載されている様に、慣性モーメントを増加させることは、中心外れの接触につい
てゴルフクラブヘッドの安定性を改善するのに有益であろう。例えば、ゴルフクラブヘッ
ドの質量の実質部分を低く前方に配置させれば、ゴルフクラブヘッドの重心は実質的に動
かされることになる。しかしながら、慣性モーメントは、質量と質量から慣性モーメント
が測定される軸までの距離の二乗の関数である。質量と慣性モーメント軸の間の距離が変
化すると、本体の慣性モーメントは二次関数的に変化する。よって、１つの区域に集中し
ている質量を有するゴルフクラブヘッドは、場合によっては、特に低い慣性モーメントを
有することもある。
【０１２６】
特に低い慣性モーメントは場合によっては不利なこともある。特に下手な打ち方及び／
又は中心外れの打ち方をした場合に関しては、ゴルフクラブヘッドの低い慣性モーメント
は捩れの原因となり得る。重心ｘ軸に沿った慣性モーメントに関し、低い慣性モーメント
は、中心外れの打ち方をした場合についての飛行特性を変化させないとも限らない。現在
の論考では、重心がゴルフクラブヘッドの特に低く前方にあるとき、重心より実質的に上
で打った場合は相対的に大きいモーメントアームと捩れの恐れにつながる。ゴルフクラブ
ヘッドの重心ｘ軸周り慣性モーメント（これ以後「Ｉｘｘ」）が特に低い場合、高い捩れ
が原因でエネルギーはゴルフボールへ伝達されて距離を生むのではなく捩れ中に失われて
しまう結果となりかねない。よって、低前方重心は、より良い打ち出し条件を作り出すに
は有益であるが、実践が拙いと特定の状況ではとりわけ不寛容なゴルフクラブヘッドとな
ってしまうこともある。
【０１２７】
ゴルフクラブヘッドの低前方重心場所は有利な飛行条件をもたらす、というのも低前方
重心場所は正接フェース平面に法線方向の重心投影を生じさせるからである（ここに参考
文献としてそっくりそのまま援用されている２０１３年３月１５日出願の「ゴルフクラブ
」という名称の米国特許出願第１３／８３９，７２７号に記載されている正接フェース平
面と重心投影の論考を見られたし）。ボールとのインパクト時、重心投影は結果的により
高い又はより低いスピン及び打ち出し角をもたらす垂直方向ギヤ効果を決定付ける。重心
をゴルフクラブヘッド中に低く動かすことはゴルフクラブヘッドのロフトのせいでより低
い重心投影をもたらし、重心を前方へ動かすこともまた重心のより低い投影を提供するこ
とになる。低い重心で且つ前方の重心という組み合わせは、低い重心投影を実現するうえ
で非常に効率的なやり方である。しかしながら前方重心がＩｘｘを必要以上に低くしてし
まうことがある。一般的には慣性モーメント―厳密にはＩｘｘ―への有害効果無しに低Ｃ
Ｇ投影を実現する質量配分なら、有利な飛行条件及び中心外れの当たりへのより大きい寛
容性の両方を実現するうえで最も有益であるはずだ。重心投影の実効性を説明するのに助
けとなるパラメータは、ＣＧＺ（中心フェースからｚ軸に沿って測定した重心の垂直距離
）対ＣＧＹ（中心フェースから後方にｙ軸に沿って測定した重心の距離）の比である。Ｃ
ＧＺ／ＣＧＹ比がより大きい負になるほど、重心投影は典型的により低くなり、結果とし
て改善された飛行条件をもたらすはずである。
【０１２８】
よって、次のクラブヘッド実施形態は、中心外れ―具体的には中心より上―の打ち方を
した場合（より高いＩｘｘを示唆）についてのゴルフクラブヘッドの寛容性を実質的に低
下させること無くＣＧＺ／ＣＧｙとしての大きい負の数（低いＣＧ投影を示唆）の恩恵を
有するゴルフクラブヘッドを提供することを目指している。所望の結果を実現するために
、重りはＩｘｘ増加を実現するうえで最良の質量配列を推進するやり方でゴルフクラブに
配分されてもよく、但し質量はＣＧＺ／ＣＧｙとしての実質的に大きい負の数を推進する
ように設置される。
【０１２９】
図４２によって描かれている様に、ＣＧＺ／ＣＧＹは、ＣＧがゴルフクラブヘッドのフ
ェース上にどれほど低く投影されるかの尺度を提供する。ＣＧＺ／ＣＧＹは様々な数であ
ってよいが、図４２のチャートは同じゴルフクラブヘッド幾何学形状で１つの質量を有す
る場合と分割質量を有する場合を表示している。単体質量については、ゴルフクラブヘッ
ド全体を通し単体質量を極めて前方寄りから極めて後方寄りまでで変えてゆき、変化する
ＭＯＩを実現させた。分割質量の場合、２つの質量をゴルフクラブヘッドの周辺に設置し
、質量の量を前に全質量から後ろに全質量までで変えていった。見て分かる様に、単体質
量曲線と分割質量曲線は両端で互いに近づいている。これは分割質量がよりバランス悪く
一端又は他端へ偏るにつれ、その配分が単体質量のそれに近づくからである。とはいえ、
分割質量の場合はより高いＭＯＩをより低いＣＧＺ／ＣＧＹ比で実現できることに注目す
ることが重要である。有効にも、これは比較的高いＭＯＩを維持しながらにＣＧ投影をゴ
ルフクラブヘッド中により低く動かせるようになることを意味する。この差の実効性は、
各ゴルフクラブヘッドの特定の幾何学形状及び利用される質量によって決まってくる。
【０１３０】
加えて、米国特許出願第１３／８３９，７２７号は、ＣＧｙ距離が判れば、ゴルフクラ
ブヘッド空間に関してＣＧの場所を書き表すのにＣＧ実効性積の使用が可能になる、と論
じている。ＣＧ実効性積は、ＣＧをゴルフクラブヘッドの低く前方に配置させることの実
効性の尺度である。ＣＧ実効性積（ＣＧｅｆｆ）は、次式、即ち、
【０１３１】
【数２】
2020127845.tif 000004
【０１３２】
を用いて計算され、現実施形態では、距離の二乗（ｍｍ２）の単位で測定されている。
【０１３３】
この式では、ＣＧｅｆｆが小さいほど、クラブヘッドの質量を低く前方に位置換えする
実効性は高い。この尺度は、ゴルフクラブヘッド内のＣＧ場所を、ＣＧをフェース上へ投
影すること無しに、適確に書き表す。よって、異なったロフト、異なったフェース高さ、
及び異なった中心フェース場所、を有しているゴルフクラブヘッド同士の比較を可能にさ
せる。Δｚ及びＺアップは入れ替え可能に使用することができるものと理解されたい。Ｃ
Ｇ実効性積は、クラブヘッドの体積に依存して変わってくる。一般的に、２５０ｃｃより
下の様なより小さいクラブヘッド体積は、より小さいＣＧ実効性積を有することになる。
より大きいクラブヘッド体積ならより大きいといったように同様である。ここに論じられ
ている実施形態で２５０ｃｃより小さいクラブヘッド体積を有する実施形態について、Ｃ
Ｇｙは約１２ｍｍから約２０ｍｍの範囲及びΔｚは約１２ｍｍから約１８ｍｍの範囲であ
ってもよい。そうすると２５０ｃｃより小さいクラブヘッド体積を有する実施形態のＣＧ
ｅｆｆは、約１４４ｍｍ２から約３６０ｍｍ２の範囲となる。より厳密には、２００ｃｃ
より小さい体積を有するクラブヘッドについて、ＣＧｅｆｆは約１８０ｍｍ２から約３０
０ｍｍ２の範囲となろう。ここに論じられている実施形態で２５０ｃｃより大きいクラブ
ヘッド体積を有する実施形態について、ＣＧｙは約２０ｍｍから約３２ｍｍの範囲、及び
Δｚは約２０ｍｍから約３０ｍｍの範囲であってもよい。そうすると２５０ｃｃより小さ
いクラブヘッド体積を有する実施形態のＣＧｅｆｆは、約４００ｍｍ２から約９６０ｍｍ
２の範囲となる。より厳密には、４００ｃｃより大きい体積を有するクラブヘッドについ
て、ＣＧｅｆｆは、約６９０ｍｍ２から約７５０ｍｍ２の範囲となろう。
【０１３４】
（単数又は複数の）前後重りポートと一体での滑動式に位置換え可能な重り
図４４Ａを見て、ゴルフクラブヘッドの別の例であるゴルフクラブヘッド１２０００Ｄ
をこれより説明してゆく。ゴルフクラブヘッド１２０００Ｄは、ゴルフクラブヘッド１２
０００と類似の又は同一の多くの特徴を類のない独特なやり方で組み合わせて含んでいる
。而して、簡潔さを期し、ゴルフクラブヘッド１２０００Ｄの各特徴を冗長的に解説する
ことはしない。むしろゴルフクラブヘッド１２０００Ｄとゴルフクラブヘッド１２０００
の間の主要な相違を詳細に説明することにし、読み手には２つのゴルフクラブヘッド間の
実質的に類似の特徴については以上の論考を参照されたい。
【０１３５】
本体１２００２Ｄ（ひいてはクラブヘッド１２０００Ｄ全体）は、前部分１２００４、
後部分１２００６、トゥ部分１２００８、ヒール部分１２０１０、ホーゼル１２０１２、
クラウン、及びソール１２０１６、を含んでいる。ゴルフクラブヘッド１２０００Ｄは、
先に論じられているチャネルと類似のチャネルを含んでおり、加えて、１つ又はそれ以上
の前方重りポート１２０７４Ａ及び１つ又はそれ以上の後方重りポート１２０７４Ｂ（図
示せず）をソールに含んでいる。当該１つ又はそれ以上の重りポートは、１ｇから５０ｇ
の範囲の１つ又はそれ以上の重り１２０７６を収容することができるようになっていても
よい。加えて、重りポート用の重り１２０７６は、チャネル１２０２０と共に使用される
重り組立体１２０４０の一部を形成しているワッシャと両立可能及び入れ換え可能であっ
てもよい。追加的又は代替的に、重りポート用の重りは、チャネル１２０２０と共に使用
される重り組立体１２０４０と両立可能及び入れ換え可能であってもよい。
【０１３６】
図４４Ｂを見ると、断面Ａは、重りポート及び装着されたワッシャ１２０４２Ｄの断面
図を示しており、当該断面は、円形、三角形、又は矩形、又は何らかの他の形状であって
もよい。示されている様に、ボルト１２０４６はソール１２０１６のねじの切られた穴部
１２０８４へ留められ、それによりワッシャ１２０４２を固定している。重りがクラブヘ
ッドから取り外されるときにボルトとワッシャを一体に引き留めるためにゴムワッシャ１
２０８８又はグロメットが使用されていてもよい。ボルト１２０４６を締める間にゴムワ
ッシャ１２０８８が圧縮されて予荷重損失の原因となってしまうのを防止するためにギャ
ップ１２０９０が含まれていてもよい。ワッシャが円形であれば、ボルトとワッシャは１
つの統一部片へ一体化されていてもよく、別々である必要はない。
【０１３７】
ねじの切られた穴部１２０８４は、貫通孔であっても盲孔であってもよい。穴部が貫通
孔であれば、クラウンか又はフェース板のどちらかをゴルフクラブヘッドへ取り付ける前
に、キャップ１２０８６がソールの下側へ固着されてもよい。キャップ１２０８６は、キ
ャップをソールへ糊付け、螺合、押圧、又は溶接することによって、又は類似の方法及び
組合せによって、固着することができる。貫通孔は、製造するのがより容易く、盲孔より
多少の費用節減をもたらすことができよう。穴部１２０８４をキャップすることは、クラ
ブヘッドの中への水の侵入を回避するうえで及び／又は起こり得るＵＳＧＡ規則違反を回
避するうえで望ましいであろう。
【０１３８】
クラウン、ソール、又はフェースの様な、ヘッドへ結着されている構成要素がある場合
には、完全溶接金属ヘッドとは対照的に、キャップを貫通孔の後ろ側へ適用するためのア
クセスを得るのがより容易い。
【０１３９】
例示されているクラブヘッドは、更に、シャフトをホーゼルへ連結するためのここに説
明されている調節可能なシャフト接続システムの様な調節できるシャフト接続システムを
備えることができ、その詳細はここでは繰り返されておらず分かり易くするために示され
ていない。
【０１４０】
重りポートは、使用者が、ゴルフクラブヘッドの全体としてのＭＯＩを、及び相応して
ボールへ付与されるスピンを、増加させられるようにする。例えば、重い重り（例えば、
１０−３０グラム）をクラブの後部に設置し、軽い重量のワッシャ（例えば、１−５グラ
ム）をクラブの前部に使用することによって、ＭＯＩを増加させ、ＣＧを後方に動かすと
、結果的に動的ロフティング効果に因ってスピンが増加することになる。重りをクラブの
後部へ動かせばゴルフボールのスピンが増すことになるが、スピンのかかりがより低いボ
ールを現出させるクラブよりも捩れに抵抗する高ＭＯＩクラブを好む使用者もいるであろ
う。加えて、図３３に示されている低前方ＣＧのゴルフクラブによって現出される低い棒
球のボール飛行よりも図３２に示されているより従来的なボール飛行を好む使用者もいる
であろう。１つ又はそれ以上の重りポートをソールの後方部分に提供することは、使用者
に、より従来的なボール飛行を現出させるスピンの多い高ＭＯＩクラブか又はより棒球の
ボール飛行を現出させるスピンの少ないクラブかの間で選択するオプションを許容する。
【０１４１】
意外にもこの組合せはスピンを大幅に増加させること無しにより高いＭＯＩを呈するク
ラブを現出させる。従来、高いＭＯＩは、重りを全てクラブの後部へ動かすことによって
達成されてきた。しかしながら、これはＭＯＩを増加させるのみならず不都合なことにバ
ックスピンも増加させる。スピンの増加はデルタ１の増加が原因であり、それはＣＧがフ
ェース上に投影される場所に因ってより大きいギヤ効果を生じさせる。慣例から逸れ、一
部の重りをクラブヘッドの前部に設置し、一部を後部に設置することによって、我々はよ
り高いＭＯＩとより小さいデルタ１に因るより低いスピンの両方を有するドライバを実現
した。より小さいデルタ１とＭＯＩ増加は２つの重りがＣＧの互いに反対側に置かれてい
ることに因る。
【０１４２】
例えば、３０グラムをクラブの後部に設置するのではなく、１５グラムをクラブの後部
に置き、そして１５グラムをクラブの前部に置くようにしてもよいし、使用者の選好に依
存して何か他の組合せにしてもよい。加えて、重りポートは、更に、振り重み調節を可能
にさせる。
【０１４３】
先の実施形態について、ゴルフクラブヘッド１２０００Ｃ及び１２０００Ｄは、追加的
又は代替的に、ホーゼル開口部１２０７０を使用してシャフトをホーゼルヘ連結するため
の入れ換え可能な又は調節可能なシャフト取り付けシステムを含んでいる。
【０１４４】
調節可能なシャフト取り付けシステムを組み入れることは、プレイヤーがクラブヘッド
の静的ロフトをより高くか又はより低くのどちらかに調節できるようにする。追加的又は
代替的に、その様なシステムは、プレイヤーが選好及びスイングパラメータに依存してシ
ャフトを容易く入れ換えできるようにする。例えば、低前方ＣＧを有するクラブヘッドを
叩く使用者は、概して、クラブヘッドのロフトを増加させてゴルフボールをより高く打ち
出し最適距離を実現したいと思っているはずである。しかしながら、ＣＧを後方に動かし
てＭＯＩが増加すれば、打ち出し角が動的ロフティングのせいでより高くなり、バックス
ピンが増加するであろう。この場合、使用者は、クラブのロフトを減少させて、有効ロフ
ト及びバックスピン量を小さくすることによって最適距離を実現したいと思うかもしれな
い。代わりに、最適距離に係らず特定のボール飛行を好む使用者もいる。調節可能なシャ
フトシステムを提供することは、様々な使用者の選好により大きな便宜を図る。
【０１４５】
（単数又は複数の）多方向の滑動式に位置換え可能な重り
図４５Ａ−図４５Ｃを見て、ゴルフクラブヘッドの別の例であるゴルフクラブヘッド１
２０００Ｅをこれより説明してゆく。ゴルフクラブヘッド１２０００Ｅは、ゴルフクラブ
ヘッド１２０００と類似の又は同一の多くの特徴を類のない独特なやり方で組み合わせて
含んでいる。而して、簡潔さを期し、ゴルフクラブヘッド１２０００Ｅの各特徴を冗長的
に解説することはしない。むしろゴルフクラブヘッド１２０００Ｅとゴルフクラブヘッド
１２０００の間の主要な相違を詳細に説明することにし、読み手には２つのゴルフクラブ
ヘッド間の実質的に類似の特徴については以上の論考を参照されたい。
【０１４６】
本体１２０００Ｅ（ひいてはクラブヘッド１２０００Ｅ全体）は、前部分１２００４、
後部分１２００６、トゥ部分１２００８、ヒール部分１２０１０、ホーゼル１２０１２、
クラウン、及びソール１２０１６、を含んでいる。ゴルフクラブヘッド１２０００Ｅは、
先に論じられているチャネルと類似の後方トラック１２０２０Ｅを含んでおり、但し、こ
のチャネルはフェースから離れて後方に延びている。示されている実施形態では、２つの
チャネルは合流してＴ字形状のチャネルを成している。後方トラックは、重り組立体１２
０４０Ｅをチャネル１２０２０Ｅに沿って後方に滑動させることによるクラブヘッドのＭ
ＯＩの調節を可能にさせる。２つのチャネルを有することはＭＯＩの調節及びショット形
状の調節を可能にさせる。重り組立体１２０４０と重り組立体１２０４０Ｅは入れ換え可
能であってもよい。追加的又は代替的に、重り組立体は、前方チャネル１２０２０（ヒー
ル／トゥ）に使用されていてもよいし、又は後方トラック１２０２０Ｅに使用されていて
もよい。
【０１４７】
ソールの湾曲に因り、後方チャネル１２０２０Ｅも同様に僅かに曲線状であってもよい
。図４５Ｃは、前方及び後方のトラック幾何学形状並びに重り組立体の２つの断面図を示
している。断面Ｂは前方チャネル１２０２０を通って取られており、断面Ａは後方チャネ
ル１２０２０Ｅを通って取られている。断面Ｂは、先の図に論じられ示されているものと
同じ幾何学形状である。また一方、断面Ａに示されている様に、ワッシャ１２０４２及び
質量部材１２０４４はソールの湾曲に適合するように僅かな湾曲を有している。換言する
と、ワッシャ及び質量部材は、一方向には比較的平坦であり、もう一方の方向には多少の
湾曲を有している。これは、重り組立体１２０４０及び重り組立体１２０４０Ｅが前方ト
ラックと後方トラックの間で滑動できるようにし、入れ換え可能となるようにしている。
加えて、代わりのチャネル幾何学形状、例えば曲線状のチャネルなど、に適合するように
ワッシャ及び質量部材の湾曲が修正されてもよい。
【０１４８】
機能上、当該２つの重り組立体は以上に論じられているのと同じやり方で効力を発揮す
る。図１２９Ｃの断面Ａに示されている様に、ボルト１２０４６を締めてゆくと重り組立
体がヒール側チャネル棚部１２０７８及びトゥ側チャネル棚部１２０８０上へ締め付けら
れる。加えて、重り組立体１２０４０Ｅは、インパクト時に受ける高いＧ力に逆らって重
り組立体をなおいっそう確実に固定するために以上に論じられているものに類似のロック
用突起を含んでいてもよい。
【０１４９】
前方チャネルと同様に、後方トラック１２０２０Ｅは、多少の湾曲を有していてもよく
、直線状である必要はない。幾つかの実施形態では、後方チャネル１２０２０Ｅは、前方
チャネル１２０２０に対して角度を付けられていてもよい。例えば、チャネル全体は、後
方トラックの角度に因ってＴ字形状というよりむしろ（数字の）７の形状に似ていてもよ
い。
【０１５０】
例示されているクラブヘッドは、更に、シャフトをホーゼルへ連結するためのここに説
明されている調節可能なシャフト接続システムの様な調節できるシャフト接続システムを
備えることができ、その詳細はここでは繰り返されておらず分かり易くするために示され
ていない。
【０１５１】
後方トラックは、重りが中心フェースの後方１２５ｍｍに及んで移動できるようにして
いてもよい。第２の重りは、先にヒールチャネル及びトゥチャネル１２０２０に関して論
じられているのと同じやり方で挿入されるようになっていてもよい。追加的又は代替的に
、後方トラックは、挿入キャビティを含んでいるか又は後方端に開口していて、重りをチ
ャネル１２０２０Ｅ内の所定位置へ滑り込ませられるようにしていてもよい。追加的又は
代替的に、どちらの重り組立体もこの開口部で装着されるようになっていてもよい。
【０１５２】
図４６に目を向けると、ゴルフクラブヘッド１２０００Ｆは、先に論じられているチャ
ネルと類似の後方トラック１２０２０Ｆを含んでいるが、このチャネルは前方チャネルと
合流していない。これは、重り組立体１２０４０Ｆをチャネル１２０２０Ｆに沿って後方
に滑動させることによるクラブヘッドのＭＯＩの調節を可能にさせる。前方チャネル及び
後方チャネルを有することはＭＯＩの調節及びショット形状の調節を可能にさせる。重り
組立体１２０４０と重り組立体１２０４０Ｆは入れ換え可能であってもよい。追加的又は
代替的に、重り組立体は、前方チャネル１２０２０（ヒール／トゥ）に使用されていても
よいし、又は後方トラック１２０２０Ｆに使用されていてもよい。
【０１５３】
フェアウェイ用の（単数又は複数の）滑動式に位置換え可能な重り
図４７に目を向けて、ゴルフクラブヘッドの別の例であるゴルフクラブヘッド１３００
０をこれより説明してゆく。ゴルフクラブヘッド１３０００とゴルフクラブヘッド１２０
００Ａ−１２０００Ｆの間の最も顕著な相違は体積である。ゴルフクラブヘッド１３００
０は、１１０ｃｍ３から２５０ｃｍ３の体積範囲を有しているのに対し、ゴルフクラブヘ
ッド１２０００Ａ−１２０００Ｆは２５０ｃｍ３から５００ｃｍ３の体積範囲を有してい
る。
【０１５４】
ゴルフクラブヘッド１３０００Ａは、中空本体１３００２Ａ、チャネル１３０２０、及
び滑動式重り組立体１３０４０を含め、先の実施形態の構造及び特徴の幾つかを含んでい
る。本体１３００２Ａ（ひいてはクラブヘッド１３０００全体）は、前部分１３００４、
後部分１３００６、トゥ部分１３００８、ヒール部分１３０１０、ホーゼル１３０１２、
クラウン１３０１４、及びソール１３０１６、を含んでいる。前部分１３００４は、ここ
に説明されている様に、可変厚さ、複合材、及び／又は金属のフェース板であってもよい
とされるフェース板１３０１８を受け入れる開口部を形成している。
【０１５５】
複数の重り組立体
図４８−図４９に目を向けると、前チャネル及び／又は後チャネルに装着された複数の
重り組立体を有するゴルフクラブヘッドの様々な構成が示されている。ゴルフクラブヘッ
ド１５０００は、ゴルフクラブヘッド１２０００と類似の又は同一の多くの特徴を類のな
い独特なやり方で組み合わせて含んでいる。而して、簡潔さを期し、ゴルフクラブヘッド
１５０００の各特徴を冗長的に解説することはしない。むしろゴルフクラブヘッド１５０
００とゴルフクラブヘッド１２０００の間の重要な相違を詳細に説明することにし、読み
手には２つのゴルフクラブヘッド間の実質的に類似の特徴については以上の論考を参照さ
れたい。
【０１５６】
ゴルフクラブヘッド１５０００は、中空本体１５００２Ａ、チャネル１５０２０、及び
滑動式重り組立体１５０４０を含んでいる。本体１５００２Ａ（ひいてはクラブヘッド１
５０００全体）は、前部分１５００４、後部分１５００６、トゥ部分１５００８、ヒール
部分１５０１０、ホーゼル１５０１２、クラウン１５０１４、及びソール１５０１６、を
含んでいる。前部分１５００４は、ここに説明されている様に、可変厚さ、複合材、及び
／又は金属のフェース板であってもよいとされるフェース板１５０１８を受け入れる開口
部を形成している。
【０１５７】
例示されているクラブヘッド１５０００は、更に、シャフトをホーゼル１５０１２へホ
ーゼル開口部１５０７０を介して連結するための調節可能なシャフト接続システム１５０
９４を備えていてもよい。調節可能なシャフト接続システムは、更に、ゴルフクラブヘッ
ド１５００２Ａのロフト及びライを調節するのに使用されてもよい。加えて、クラブヘッ
ド１５０００は、更に、調節可能なソール部片をソールポートに含んでいてもよい。これ
らの特徴は、参考文献として援用されている特許の中に詳細に記載されている。
【０１５８】
上記の実施形態と同様に、ゴルフクラブヘッド１５０００は、概してヒール部分１５０
１０寄りに配置されているヒール端１５０２２からトゥ部分１５００８寄りに配置されて
いるトゥ端１５０２４へ延びている細長いチャネル１５０２０をソール１５０１６に含ん
でいる。チャネル１５０２０内には前棚部１５０３０と後棚部１５０３２が配置されてい
て、チャネル１５０２０内の前棚部１５０３０及び後棚部１５０３２上に１つ又はそれ以
上の重り組立体１５０４０が保定されていてもよい。重り組立体１５０４０は、既にここ
に説明されているものと同様の様式でチャネル１５０２０の中へ装着されるようになって
いてもよい。示されている実施形態では、チャネル１５０２０は、以上に論じられている
ヘッド対シャフト接続組立体の一部を形成しているホーゼル開口部１５０７０と併合され
ている。
【０１５９】
この説明全体を通して論じられている実施形態の各々では、複数の重り組立体が前方チ
ャネル及び／又は後方トラックに使用されていてもよい。例えば、ゴルフクラブヘッド１
２０００及びゴルフクラブヘッド１３０００は、複数の重り組立体を前方トラック及び／
又は後方トラックに含むことができる。
【０１６０】
１つより多い重り組立体を使用することは、クラブヘッドの全体としての調節性を高め
る。例えば、ゴルフクラブヘッドＣＧを更に低くするために、振り重みを調節するために
、スピンを調節するために、及び／又はゴルフクラブヘッドの慣性を調節するために、追
加の重り組立体を使用することができる。
【０１６１】
図１３６に示されている様に、ゴルフクラブヘッド１５００２Ａは第２の重り組立体を
前方チャネルに含み、追加の調節性を提供している。例えば、使用者は、第１の重り組立
体を極ヒール位置に、第２の重り組立体を極トゥ位置に位置決めし、それによってゴルフ
クラブヘッドのｙ軸周り慣性モーメント（Ｉｙｙ）及びｚ軸周り慣性モーメント（Ｉｚｚ
）を増加させることができる。この構成は、一部の人がより「寛容性のある」ゴルフクラ
ブヘッドと考えるものを、主にｚ軸周りの慣性増加に因って現出させることができる。代
わりに、使用者は、両方の重りを中央位置に位置決めすることもでき、そうすればゴルフ
クラブヘッドのＣＧが下がり、結果的としてゴルフボールのスピンが軽減されることにな
る。
【０１６２】
２つの重り組立体が示されているが、チャネルは、追加の重り組立体、例えば、３つ又
はそれ以上、４つ又はそれ以上、５つ又はそれ以上、６つ又はそれ以上、及び／又は７つ
又はそれ以上、など、の重り組立体を保持していてもよい。複数の重り組立体は、より低
いＣＧを有するより重いゴルフクラブヘッドを現出させる。代わりに、一部の使用者がよ
り軽いゴルフクラブヘッドを好む場合もあり、その場合には重り組立体をチャネルから完
全に取り除き、チャネルを空にしておくことができる。
【０１６３】
図４８Ｂは、ゴルフクラブヘッド１５００２Ａの上面図即ちクラウン図を示している。
断面１３６Ｃ−断面１３６Ｅは、ゴルフクラブヘッド１５００２Ａの様々な特徴を実地説
明するために取られている。図４８Ｃは、複数の重り組立体１５０４０、調節可能なシャ
フト接続システム１５０９４、リブ１５０８０、及び重り装着キャビティ、を示している
。図４８Ｄは装着された重り組立体及びリブを示している。図４８Ｅはチャネル棚部に装
着されたワッシャ１５０４２を示している。示されている様に、ワッシャは、チャネル棚
部側の突出部及び／又は窪みのどちらかに対応する突出部及び／又は窪みのどちらかを含
んでいてもよい。これらの特徴は、重り組立体をチャネル内により適切に位置決めするの
を手助けする。図４８Ｅに示されている様に、ワッシャ側のノッチは棚部側の複数の突出
部の間に納まる。また一方、他の配置では、ワッシャ側の窪みが棚部の突起部／窪みに係
合するようになっていてもよい。
【０１６４】
図４９を見ると、複数の重り組立体が以上に論じられている実施形態と共にどの様に使
用されるかの別の例が示されている。この構成は、使用者が、より多くの重りをクラブの
後部に位置決めできるようにしており、それによりゴルフクラブヘッドのｘ軸方向及びｚ
軸方向のＭＯＩを増加させることができる。加えて、これはスピンを増加させる場合もあ
り、その方が一部の使用者にとってはスピンのかかりがより低いクラブから現出される棒
球のボール飛行よりも好ましいボール飛行である場合もある。
【０１６５】
追加の重り組立体は、重量が１ｇから５０ｇの範囲であってもよい。各重り組立体は、
その重量を指示する表示を含んでいてもよい。例えば、重り組立体は、重量を指示すのに
文字、数字、模様で印を付けられていてもよいし、色分けされていてもよいし、又はそれ
らの何れの組合せであってもよい。ワッシャ及び／又は質量部材はそれぞれ重量識別表示
を含んでいてもよい。
【０１６６】
Ｉ．調節可能なフェース角
幾つかの実施形態では、フェース角とホーゼル／シャフトロフトの間の関係を「切り離
す」、即ち、ゴルフクラブのスクエアロフとフェース角の別々の調節を可能にさせるため
の調節可能な機構がソール上に提供されている。例えば、ゴルフクラブヘッドの幾つかの
実施形態は、クラブヘッドの後端を地面に対して上げ下げするようにクラブヘッド本体に
対して調節できる調節可能なソール部分を含んでいる。調節可能なソール部分に関する更
なる詳細は、米国特許出願公開第２０１１／０３１２３４７号に提供されており、当該出
願公開をここに参考文献として援用する。
【０１６７】
加えて、２０１２年１１月２７日に「ゴルフクラブ」という名称で出願され、ここに参
考文献としてそっくりそのまま援用されているの米国特許出願第１３／６８６，６７７号
に詳細に記載されている様に、回転式に調節可能なソール部片（ＡＳＰ）が、実施形態の
幾つかに含まれていてもよく、フェース角を調節するのに有益であろう。
【０１６８】
回転式に調節可能なソール部片は、ソール部片を通って延びる中心に位置する軸に関し
て複数の回転位置の１つの位置でソールへ固定されるようになっていてもよい。ソール部
片は、回転位置のそれぞれの位置で、ソールから異なった軸方向距離を延びている。ソー
ル部片を回転位置の異なった１つの位置に調節すると、ゴルフクラブヘッドがアドレス位
置にあるときのゴルフクラブヘッドのフェース角がゴルクラブヘッドのロフト角とは独立
に変化する。これらの実施形態の幾つかでは、解放可能なロック機構が、ソール部片をソ
ール上で回転位置の選択された１つの位置にロックするように構成されている。ロック機
構は、ソール部片を通ってクラブヘッド本体のソールのねじの切られた開口部の中へ延び
るように適合されているねじを含んでいてもよい。これらの実施形態の幾つかでは、ソー
ル部片は、ソール部片が各回転位置にあるとき底面がソールの先導側接触面のヒール−ト
ゥ湾曲に実質的に一致するヒール−トゥ湾曲を有するような凸状底面を有している。
【０１６９】
ゴルフクラブヘッドの幾つかの実施形態は、ソール部片を貫いて延びる中心軸に対して
３つ又はそれ以上の回転位置でソールへ固定されるように構成されている回転式に調節可
能なソール部片を備えており、当該ソール部片は、回転位置の各位置でソールから異なっ
た軸方向距離を延びている。調節可能なソール部片は、概して、三角形、方形、五角形、
円形、又は何か他の形状とすることができ、３つ又はそれ以上の別々の選択可能な位置で
ソールへ固定させることができる。調節可能なソール部片は、ソール部片の中心軸に対し
て互いに実質的に対称である３つ又はそれ以上の壁部分を含んでいる環状側壁を含むこと
ができる。幾つかの実施形態では、ソール部片の回転位置を調節すれば、ゴルフクラブヘ
ッドがアドレス位置にあるときのゴルフクラブヘッドのフェース角がゴルフクラブヘッド
のロフト角とは独立に変化する。
【０１７０】
ゴルフクラブヘッドは、更に、ゴルフクラブヘッドのソールに陥凹ソールポートを含ん
でいてもよい。回転式に調節可能なソール部片は、少なくとも部分的にソールポート内に
受け入れられるようになっていてもよい。ソール部片は、ソールポートに接触するように
なっている複数の面を有する中央本体を備えていて、当該面は中央本体を貫いて延びる中
心軸に沿って互いからオフセットされていてもよい。ソール部片は、少なくとも部分的に
ソールポート内で中心軸に関して３つ又はそれ以上の回転位置及び軸方向位置に位置決め
することができる。各々の回転位置で、中央本体の複数の面の少なくとも１つがソールポ
ートと接触してソール部片の軸方向位置を設定する。ソールポート及びソール部片は、そ
れぞれ、ゴルフクラブヘッドの底から見て概して三角形、四角形、五角形、円形、又は他
の何かの形状であってもよい。
【０１７１】
幾つかの実施形態では、ゴルフクラブ本体は、更に、ソール部片を通って延びる軸に関
して３つ又はそれ以上、４つ又はそれ以上、５つ又はそれ以上、６つ又はそれ以上、及び
／又は７つ又はそれ以上の異なった別々の回転及び軸方向位置でクラブヘッドのソールへ
固定することのできる調節可能なソール部片を備えていてもよく、ここにクラブヘッドの
フェース角はソール部片の各位置で異なる。幾つかの実施形態では、ソール部片は、ソー
ル部片がソールへ固定されるときにソール部片が回転するのを防止するようにクラブヘッ
ドのソール上の対応するリッジと係合するように構成されている複数のノッチを含む外壁
を備えている。幾つかの実施形態では、ソール部片を異なった別々の回転及び軸方向位置
の間で調節することは、クラブヘッドのスクエアロフト角に実質的な変化を引き起こさな
い。幾つかの実施形態では、ソール部片を異なった別々の回転及び軸方向位置の間で調節
することは、クラブヘッドのフェース角を少なくとも８°の範囲に亘って調節できるよう
にする。幾つかの実施形態では、ソール部片は、ソール部片が各回転位置にあるとき底面
がソールの先導側表面部分のヒール−トゥ湾曲に実質的に一致するヒール−トゥ湾曲を有
するような凸状底面を有している。幾つかの実施形態では、ソール部片は、複数の壁部分
を中心軸周りに角アレイ状に備えている略円柱形段状壁を備えており、壁部分は、少なく
とも３つ、少なくとも４つ、少なくとも５つ、少なくとも６つ、及び／又は少なくとも７
つの上面トリオを備えており、各上面トリオは、ソール部片をソールに対して異なった軸
方向位置に設定するべく本体のソールポートと噛み合うように構成されている。
【０１７２】
幾つかの実施形態では、調節可能なソール部片（ＡＳＰ）は、重りへ組み入れられてい
てもよく、可動式重りへ組み入れることも実施可能であろう。例えば、図５０に示されて
いる様に、ゴルフクラブヘッド１５００２Ｂは、後方重りポート１５１００、及び装着さ
れたＡＳＰ１５１０４を有する前方重りポート１５１０２を含んでいる。示されている様
に、露出している後方重りポート内には隆起したプラットホーム１５１０６があり、それ
は幾何学的には重りポートに中心合わせされている。プラットホーム１５１０６は、中心
柱１５１０８と、中心柱の互いに反対の側面から延びているＡＳＰに係合するように設計
された２つ又はそれ以上の張り出した突出部又は突起又は耳部１５１１０と、を含んでい
てもよい。示されている様に、プラットホームは、３つの突出部を含んでいるが、それよ
り多い又はそれより少ない突出部がＡＳＰに係合するのに使用されていてもよい。
【０１７３】
同様に、前方重りポート１５１０２は、更に、ＡＳＰに係合するための類似のプラット
ホームを含み、ＡＳＰが前方重りポートと後方重りポートの間で入れ換え可能となるよう
にしていてもよい。更に図５０に示されている様に、重り組立体１５０４０、調節可能な
ソール部片１５１０２、及び調節可能なホーゼルねじ１５０９６は、どれも、例えば、ね
じ回し、トルクスレンチ、又はアラン（allan）レンチの様な単一工具に係合されるよう
になっているローブを有するソケットを含んでいてもよい。
【０１７４】
重りポートは、概して、ゴルフクラブヘッドクラウン、ゴルフクラブヘッドスカート、
ゴルフクラブヘッドソール、又はそれらの任意の組合せへ連結されている構造であって、
ゴルフクラブヘッド上、クラブヘッド周り、又はクラブヘッド内に、陥凹、キャビティ、
又は穴を画定している構造と言い表すことができる。重りポート底部は、重り１５１０２
の取り付けのためのねじの切られた開口部１５１１２を画定している。ねじの切られた開
口部１５１１２は、重り組立体のねじの切られた本体１５１０２を受け入れ固定するよう
に構成されている。ねじの切られた本体はＭ２−Ｍ１０の範囲であってもよく、好適な実
施形態はＭ５×０．８のねじ部を有している。ねじの切られた開口部は、更に、重りポー
トに対して内向又は外向のどちらかに延びているボスによって画定されていてもよい。好
適には、ボスは、ねじ本体の長さの少なくとも半分の長さを有しており、より好適には、
ボスはねじ本体の直径の１．５倍の長さを有している。代わりに、ねじの切られた開口部
は、ボス無しに形成されていてもよい。
【０１７５】
以上に言及されている諸出願に更に詳細に論じられている様に、ＡＳＰを回転させると
、ＡＳＰの異なった部分が突出部に係合するように仕向けられ、それによりＡＳＰはソー
ルから異なった軸方向距離を延びるように仕向けられる。各軸方向距離はフェース角の変
化に対応している。１つの実施形態では、ＡＳＰは突出部に係合し軸方向距離調節を可能
にさせる様々な高さの複数の段を含んでいる。
【０１７６】
具体的には示されていないが、前方重りポートは、更に、ＡＳＰに係合するように設計
されている突出部を含んでいてもよい。これは組合せ型ＡＳＰ及び可動式重りを可能にさ
せる。前方位置では、使用者は、フェース角を改変し、前方重りに因るスピンの低いドラ
イバを実現することができる。追加的又は代替的に、使用者は、ＡＳＰと重りの組合せを
後方ポートへ動かし、それによりＭＯＩを増加させ、スピンを増加させ、同じフェース角
調節性を維持することもできる。注目すべきことに、フェース調節は、ロフト調節及び／
又はライ調節と独立に成すことができる。
【０１７７】
幾つかの実施形態では、前方重りポート及び後方重りポートはどちらもＡＳＰに係合す
るように設計されていてもよく、前方ＡＳＰ及び後方ＡＳＰは協働してフェース角を調節
するようになっていてもよい。他の実施形態では、フェース角は、前方重りポートか又は
後方重りポートのどちらかに配置されている単一のＡＳＰによって調節されるようになっ
ていてもよい。例えば、１グラムの様な軽い重りを使用して、前方重りポートか又は後方
重りポートのどちらか使用されていない方を覆うようにしてもよい。
【０１７８】
ＡＳＰに係合するものとして重りポート内の複数の突出部が示されているが、多くの他
の設計であってもフェース角を改変するはずである。例えば、楔又は台形の形状が代わり
に使用されていてもよい。楔を軸周りに回転させると、地面と接触している楔の変化する
距離に因りフェース角に変化が引き起こされるようになっていてもよい。
【０１７９】
ＡＳＰは、大きさと重量に範囲を有していよう。ＡＳＰは、重量が１ｇから５０ｇまで
の範囲であってもよい。各組合せ型重り及びＡＳＰは、その重量を指示する表示、例えば
文字、数字、模様などを含んでいてもよいし、重量を指示するように色分けされていても
よいし、又はそれらの何れかの組合せであってもよい。追加的又は代替的に、各組合せ型
重り及びＡＳＰは、「ニュートラル」、「オープン」、及び「クローズド」の様な、フェ
ース角に対する調節を指示する表示を含んでいてもよい。
【０１８０】
ＡＳＰは、オープン位置とクローズド位置の間の調節範囲を可能にさせ、使用者がフェ
ースを開かせる又は閉じさせる量を変えられるようにする。ＡＳＰは、ゴルフクラブヘッ
ドのフェース角を約０．５乃至約１２度変化させることができる。例えば、使用者は、フ
ェース角をニュートラルから２°オープン又は４°オープンへ調節することができる。
【０１８１】
重りトラック１５０２０の滑動式重り１５０４０と組み合わされた複数の重りポート及
びＡＳＰは、追加の調節性を提供する。示されている重り組立体は、窓を含んでおり、窓
は様々な表示を滑動式重りトラックに沿って際立たせるのに使用することができる。表示
は様々なドローバイアス度又はフェードバイアス度を指示していてもよい。ゴルフクラブ
ヘッドは、更に、調節可能なホーゼル１５０９４及び調節可能なホーゼルを固定するため
のねじ１５０９６を含んでいる。調節可能なホーゼルは、更に、ＦＣＴホーゼルと呼称さ
れることもあり、ＦＣＴとは飛行制御技術（Ｆｌｉｇｈｔ  Ｃｏｎｔｒｏｌ  Ｔｅｃｈｎ
ｏｌｏｇｙ）を表す。飛行制御技術は、ロフト角、ライ角、及び／又はフェース角の調節
を可能にさせる。調節可能なホーゼルは、使用者がゴルフクラブヘッドのロフト及び／又
はライを調節できるようにしている。
【０１８２】
図５１及び図５２を見ると、図５０に示されているゴルフクラブヘッド１５００２Ｂ実
施形態と殆どの点で類似している別の実施形態のゴルフクラブヘッド１５００２Ｃが示さ
れている。有意な違いは、ゴルフクラブヘッド１５００２Ｃが後部ウィングレット１５１
６０を含んでいることである。後部ウィングレット１５１６０は、ソールの湾曲から逸れ
、ＣＧを低くするプラットホームを提供している。当該プラットホームは、単に追加のソ
ールであってもよいし、重り又は組合せ型ＡＳＰ及び重りのどちらかを受容するように設
計されていてもよい。図５２から最もよく分かる様に、後部ウィングレット１５１６０は
、ソールから逸れ、ＣＧを更に低くするためのプラットホームを提供している。
【０１８３】
後部ウィングレット１５１６０から作成されている延長ソールは、ＭＯＩを最大化する
のを手助けし、特にそれが追加の重り又はＡＳＰ重りを保持している場合はそうである。
加えて、後部ウィングレットはソールから逸れているので、そこに追加の重りが設置され
たとしてもフェース上へのＣＧ投影には最小限の影響力しかないはずである。加えて、ウ
ィングレットがそこなら、ソール全体をより低くした場合よりもクラブの空気力学に対す
る乱れは少ない。また、ソール全体をより低くしたなら、ヘッドの全体としての体積が増
加してしまい、現ＵＳＧＡ体積制限とぶつかるかもしれない。
【０１８４】
複合材料
メタルウッドクラブヘッドの構造的質量を削減することへの幾つかの現在の手法は、ク
ラブヘッドの少なくとも一部分を代わりの材料で作ることに向けられている。現在の殆ど
のメタルウッドの本体及びフェース板はチタン合金で作られているのに対し、少なくとも
部分的に、グラファイト／エポキシどちらかの複合材（又は他の適した複合材料）と合金
から形成された構成要素で作られている幾つかのクラブヘッドが入手可能である。グラフ
ァイト複合材は、約４．５ｇ／ｃｍ３の密度を有しているチタン合金に比較して、約１．
５ｇ／ｃｍ３の密度を有しており、このことは、クラブヘッド中により多い裁量的質量を
提供することへの期待をかきたてる展望を提供する。例えば、クラウン、ソール、及び／
又はフェース板を複合材料で作ることによって相当な質量節減分を持てるようになる。
【０１８５】
メタルウッドクラブヘッド構成要素を作るのに有用である複合材料は、繊維部分と樹脂
部分を含んでいる場合が多い。一般的に、樹脂部分が「マトリクス」の働きをし、その中
に繊維が定義されたやり方で埋め込まれている。クラブヘッドのための複合材では、繊維
部分は樹脂成分を含浸させる複数の繊維質層又はプライとして構成されていてもよい。
【０１８６】
例えば、その様なクラブヘッドの１つの群では、本体の一部分は炭素繊維(グラファイ
ト)／エポキシ複合材で作られており、チタン合金が主フェース板材料として使用されて
いる。他のクラブヘッドは、全体を１つ又はそれ以上の複合材料で作られている。フェー
ス板の構築により軽量の複合材料を利用できるということは、更に、幾つかの有意な重量
及び他の性能に関する利点をもたらすことができる。
【０１８７】
ポリマー材料を設計の一体的成分として含んでいるゴルフクラブヘッド構築は、どちら
かというとこれまで殆どなかった。その様な材料は有意な重量節減分を提供するうえでの
必要条件である軽い重量を持ってはいても、これらの材料をゴルフボールの高速インパク
トから引き起こされる応力に曝されるクラブヘッド区域に利用するのは難しい場合が多い
。
【０１８８】
クラウンを構築するのに使用されるポリマー材料は何れも、広い温度範囲に亘って高い
強度及び剛性を呈すると共に十分な疲労挙動及び摩耗挙動を呈し、応力割れへの耐久性が
なくてはならない。その様な性質は、
ａ）引張強度：約５０ｋｓｐｉから約１，０００ｋｐｓｉ、好適には約１５０ＭＰａか
ら約５００ＭＰａ、より好適には約２００Ｍｐａから約４００ＭＰａ（ＡＳＴＭ  Ｄ６３
８、又はＩＳＯ５２７により測定）、
ｂ）引張弾性率：約２ＧＰａから約１００ＧＰａ、好適には約１０ＧＰａから約８０Ｇ
Ｐａ、より好適には約１０ＧＰａから７０ＧＰａ（ＡＳＴＭ  Ｄ６３８、又はＩＳＯ５２
７により測定）、
ｃ）曲げ強さ：約５０ＭＰａから約１，０００ＭＰａ、より好適には約１００ＭＰａか
ら約７５０ＭＰａ、なおいっそう好適には約１５０ＭＰａから約５００ＭＰａ（ＡＳＴＭ
Ｄ７９０又はＩＳＯ１７８によって測定）、
ｄ）曲げ弾性率：約２ＧＰａから約５０ＧＰａ、より好適には約５Ｇｐａから約４０Ｇ
ｐａ、更により好適には約７Ｇｐａから約３０ＧＰａ（ＡＳＴＭ  Ｄ７９０又はＩＳＯ１
７８により測定）、
ｅ）引張伸び率：ＡＳＴＭ  Ｄ６３８又はＩＳＯ５２７により測定して、約１％より大
きい、好適には約１．５％より大きい、なおいっそう好適には約３％より大きい、
を含んでいる。
【０１８９】
例示としてのポリマーには、限定するわけではないが、合成及び天然ゴム類、熱硬化性
ポリウレタン又は熱硬化性ポリウレアの様な熱硬化性ポリマー並びに熱可塑性ポリウレタ
ンや熱可塑性ポリウレアの様な熱可塑性エラストマーを含む熱可塑性ポリマー、メタロセ
ン触媒ポリマー、ユニモーダルエチレン／カルボン酸コポリマー、ユニモーダルエチレン
／カルボン酸／カルボン酸塩ターポリマー、バイモーダルエチレン／カルボン酸コポリマ
ー、バイモーダルエチレン／カルボン酸／カルボン酸塩ターポリマー、ポリアミド（ＰＡ
）、ポリケトン（ＰＫ）、コポリアミド、ポリエステル、コポリエステル、ポリカーボネ
ート、ポリフェニレンスルフィド（ＰＰＳ）、環状オレフィンコポリマー（ＣＯＣ）、ポ
リオレフィン、ハロゲン化ポリオレフィン［例えば、塩素化ポリエチレン（ＣＰＥ）］、
ハロゲン化ポリアルキレン化合物、ポリアルケナマ、ポリフェニレンオキシド、ポリフェ
ニレンスルフィド、ジアリルフタレートポリマー、ポリイミド、ポリ塩化ビニル、ポリア
ミド‐アイオノマー、ポリウレタンアイオノマー、ポリビニルアルコール、ポリアリレー
ト、ポリアクリレート、ポリフェニレンエーテル、耐衝撃性改良ポリフェニレンエーテル
、ポリスチレン、耐衝撃性ポリスチレン、アクリロニトリル‐ブタジエン‐スチレンコポ
リマー、スチレン‐アクリロニトリル（ＳＡＮ）、アクリロニトリル‐スチレン‐アクリ
ロニトリル、スチレン‐無水マレイン酸（Ｓ／ＭＡ）ポリマー、スチレン‐ブタジエン‐
スチレン（ＳＢＳ）及びスチレン‐エチレン‐ブチレン‐スチレン（ＳＥＢＳ）及びスチ
レン‐エチレン‐プロピレン‐スチレン（ＳＥＰＳ）を含むスチレンブロックコポリマー
、スチレン系ターポリマー、水酸化官能化スチレン系コポリマー及びターポリマーを含む
官能化スチレン系ブロックコポリマー、セルロース系ポリマー、液晶ポリマー（ＬＣＰ）
、エチレン‐プロピレン‐ジエンターポリマー（ＥＰＤＭ）、エチレン‐ビニルアセテー
トコポリマー（ＥＶＡ）、エチレン‐プロピレンコポリマー、ポロピレンエラストマー（
内容全体がここに参考文献として援用されているＫｉｍらへの米国特許第６，５２５，１
５７号に記載のものなど）、エチレンビニルアセテート、ポリウレア、及びポリシロキサ
ン、及びそれらのありとあらゆる組合せ、を含めることができる。
【０１９０】
これらのうち、最も好適なのは、ポリアミド（ＰＡ）、ポリフタルイミド（ＰＰＡ）、
ポリケトン（ＰＫ）、コポリアミド、ポリエステル、コポリエステル、ポリカーボネート
、ポリフェニレンスルフィド（ＰＰＳ）、環状オレフィンコポリマー（ＣＯＣ）、ポリフ
ェニレンオキシド、ジアリルフタレートポリマー、ポリアリレート、ポリアクリレート、
ポリフェニレンエーテル、及び耐衝撃性改良ポリフェニレンエーテル、及びそれらのあり
とあらゆる組合せである。
【０１９１】
幾つかの実施形態では、クラウンは、複数プライ又は複数層の繊維質材料（例えば、グ
ラファイト、又は乱層又はグラファイト状炭素繊維又はグラファイト状部分と乱層部分の
両方が存在するハイブリッド構造を含む炭素繊維）を含む複合材で作られている炭素複合
材の様な複合材料から形成されていてもよい。メタルウッドゴルフクラブに使用するため
のこれらの複合材料の幾つかの例及びその製作手順は、米国特許出願第１０／４４２，３
４８号（現在米国特許第７，２６７，６２０号）、同第１０／８３１，４９６号（現在米
国特許第７，１４０，９７４号）、同第１１／６４２，３１０号、同第１１／８２５，１
３８号、同第１１／９９８，４３６号、同第１１／８９５，１９５号、同第１１／８２３
，６３８号、同第１２／００４，３８６号、同第１２／００４，３８７号、同第１１／９
６０，６０９号、同第１１／９６０，６１０号、及び同第１２／１５６，９４７号に記載
されており、それら出願をここに参考文献として援用する。複合材料は、少なくとも、米
国特許出願第１１／８２５，１３８号に記載されている方法に従って製造されていてもよ
く、同出願の内容全体をここに参考文献として援用する。
【０１９２】
代わりに、クラウンは、先に言及されているポリマーの短繊維又は長繊維強化配合物か
ら形成されていてもよい。例示としての配合物には、ＲＴＰ社からＲＴＰ２８５という商
標名で市販されている３０％炭素繊維充填型のナイロン６／６ポリアミド配合物が挙げら
れる。当該材料は、ＡＳＴＭ  Ｄ６３８による測定で３５０００ｐｓｉ（２４１ＭＰａ）
の引張強度、ＡＳＴＭ  Ｄ６３８による測定で２．０−３．０％の引張伸び率、ＡＳＴＭ
Ｄ６３８による測定で３．３０×１０６ｐｓｉ（２２７５４ＭＰａ）の引張弾性率、Ａ
ＳＴＭ  Ｄ７９０による測定で５００００ｐｓｉ（３４５ＭＰａ）の曲げ強度、及びＡＳ
ＴＭ  Ｄ７９０による測定で２．６０×１０６ｐｓｉ（１７９２７ＭＰａ）の曲げ弾性率
、を有している。
【０１９３】
更に、ＲＴＰ社からＲＴＰ４０８７ＵＰという商標名で市販されている４０％炭素繊維
充填型のポリフタルアミド（ＰＰＡ）配合物が挙げられる。この材料は、ＩＳＯ５２７に
よる測定で３６０ＭＰａの引張強度、ＩＳＯ５２７による測定で１．４％の引張伸び率、
ＩＳＯ５２７による測定で４１５００ＭＰａの引張弾性率、ＩＳＯ１７８による測定で５
８０ＭＰａの曲げ強度、及びＩＳＯ１７８による測定で３４５００ＭＰａの曲げ弾性率、
を有している。
【０１９４】
更に、ＲＴＰ社からＲＴＰ１３８５ＵＰという商標名で市販されている３０％炭素繊維
充填型のポリフェニレンスルフィド（ＰＰＳ）配合物が挙げられる。この材料は、ＩＳＯ
５２７による測定で２５５ＭＰａの引張強度、ＩＳＯ５２７による測定で１．３％の引張
伸び率、ＩＳＯ５２７による測定で２８５００ＭＰａの引張弾性率、ＩＳＯ１７８による
測定で３８５ＭＰａの曲げ強度、及びＩＳＯ１７８による測定で２３，０００ＭＰａの曲
げ弾性率、を有している。
【０１９５】
他の実施形態では、クラウンは、射出成形されている内層と熱可塑性複合積層物を備え
る外層と、を備えている二層構造として形成されている。射出成形の内層は、熱可塑性ポ
リマーから調製されていてもよく、好適な材料には、ポリアミド（ＰＡ）又は熱可塑性ウ
レタン（ＴＰＵ）又はポリフェニレンスルフィド（ＰＰＳ）が含まれる。典型的には、外
層を調製するのに使用される熱可塑性複合積層物構造は、連続繊維強化熱可塑性樹脂であ
る。連続繊維は、ガラス繊維（ロービングガラス及びフィラメントガラスの両方）並びに
アラミド繊維及び炭素繊維を含む。これらの繊維へ含浸されて積層物材料を作る熱可塑性
樹脂には、ポリアミド（限定するわけではないが、ＰＡ、ＰＡ６、ＰＡ１２、及びＰＡ６
を含む）、ポリプロピレン（ＰＰ）、熱可塑性ポリウレタン又はポリウレア（ＴＰＵ）、
及びポリフェニレンスルフィド（ＰＰＳ）、が含まれる。
【０１９６】
積層物は、熱可塑性マトリクスポリマーと個々の繊維構造層を高圧下に一体に融合させ
て単一の固結積層物にする連続プロセスで形成することができ、最終積層物を形成するよ
うに融合させる層の数と最終積層物の厚さは共に変えられてもよい。典型的には、積層物
シートは、二重ベルト積層プレスで固結され、その結果、２パーセント未満の空隙含有率
及び３５パーセントから５５パーセントの間のどこかの範囲の繊維体積を有する、薄くて
０．５ｍｍ程度乃至厚くて６．０ｍｍ程度の厚さの生成物となり、２０層にも及ぶ層を含
んでいよう。その様な積層物構造の構造及び調製の方法についての更なる情報は、Ｂｏｎ
ｄ  Ｌａｍｉｎａｔｅｓ  ＧＭＢＨへの２００９年２月２５日発行の欧州特許第ＥＰ１９
２３４２０Ｂ１号に開示されており、同特許の内容全体を参考文献としてここに援用する
。
【０１９７】
外層の複合積層物構造は、更に、Ｂｏｎｄ  Ｌａｍｉｎａｔｅｓ社から市販されている
ＴＥＰＥＸ（登録商標）系の樹脂積層物から形成されていてもよく、その好適な例は、Ｔ
ＥＰＥＸ（登録商標）ｄｙｎａｌｉｔｅ２０１、即ち、強化用炭素繊維を有するＰＡ６６
ポリアミド配合物であり、当該配合物は、１．４ｇ／ｃｍ３の密度、４５ｖｏｌ％の繊維
含有量、ＡＳＴＭ  Ｄ６３８による測定で７８５ＭＰａの引張強度、ＡＳＴＭ  Ｄ６３８
による測定で５３ＧＰａの引張弾性率、ＡＳＴＭ  Ｄ７９０による測定で７６０ＭＰａの
曲げ強度、及びＡＳＴＭ  Ｄ７９０による測定で４５ＧＰａの曲げ弾性率、を有している
。
【０１９８】
別の好適な例は、ＴＥＰＥＸ（登録商標）ｄｙｎａｌｉｔｅ２０８、即ち、強化用炭素
繊維を有する熱可塑性ポリウレタン（ＴＰＵ）ベースの配合物であり、当該配合物は、１
．５ｇ／ｃｍ３の密度、４５ｖｏｌ％の繊維含有量、ＡＳＴＭ  Ｄ６３８による測定で７
１０ＭＰａの引張強度、ＡＳＴＭ  Ｄ６３８による測定で４８ＧＰａの引張弾性率、ＡＳ
ＴＭ  Ｄ７９０による測定で７４５ＭＰａの曲げ強度、及びＡＳＴＭ  Ｄ７９０による測
定で４１ＧＰａの曲げ弾性率、を有している。
【０１９９】
別の好適な例は、ＴＥＰＥＸ（登録商標）ｄｙｎａｌｉｔｅ２０７、即ち、強化用炭素
繊維を有するポリウレタンスルフィド（ＰＰＳ）ベースの配合物であり、当該配合物は、
１．６ｇ／ｃｍ３の密度、４５ｖｏｌ％の繊維含有量、ＡＳＴＭ  Ｄ６３８による測定で
７１０ＭＰａの引張強度、ＡＳＴＭ  Ｄ６３８による測定で５５ＧＰａの引張弾性率、Ａ
ＳＴＭ  Ｄ７９０による測定で６５０ＭＰａの曲げ強度、及びＡＳＴＭ  Ｄ７９０による
測定で４０ＧＰａの曲げ弾性率、を有している。
【０２００】
多層型複合クラウンを形成するやり方には様々なやり方がある。幾つかの実施形態では
、外層は、射出成形の内層の形成とは分離して個別に形成される。外層は、熱可塑性複合
積層物を諸部分へと形状付けするための既知の技法を使用して形成することができ、その
様な技法には、限定するわけではないが、圧縮成形、又はゴム及びマッチドメタルプレス
成形、又はダイヤフラム成形が含まれる。
【０２０１】
内層は、従来の技法を使用して射出成形され、外側のクラウン層へ当技術では既知の結
着方法によって固定することができ、その様な結着方法には、限定するわけではないが、
糊付けを含む接着剤結着、溶接（好適な溶接プロセスは、超音波溶接、ホットエレメント
溶接、振動溶接、回転摩擦溶接、又は高周波溶接である（プラスチックハンドブック、３
／４巻、１０６−１０７頁、カール・ハンサー・フェアラーク、ミュンヘン＆ウィーン  
１９９８年（Plastics Handbook, Vol.3/4, pages 106-107, Carl Hanser Verlag Munich
& Vienna 1998））、又はカレンダリング、又はリベット締めやねじ式相互作用を含む機
械的締結、が含まれる。
【０２０２】
内層が外層へ固定される前に、内層の外側の表面及び／又は外層の内側の表面は、次の
プロセス（アーレンシュタイン、“Ｈａｎｄｂｕｃｈ  Ｋｕｎｓｔｓｏｆｆ−Ｖｅｒｂｉ
ｎｄｕｎｇｓｔｅｃｈｎｉｋ”、カール・ハンサー・フェアラーク  ミュンヘン  ２００
４年、  ４９４−５０４頁（Ehrenstein, “Handbuch  Kunststoff-Verbindungstechnik
”, Carl Hanser Verlag Munich 2004, pages 494-504）により詳細に開示されている）
の１つ又はそれ以上を用いて前処理されてもよく、即ち、
・機械的処理、好適にはブラシかけ又は研ぎ出しによる処理
・液体、好適には表面堆積物除去用水溶液又は有機溶剤、を用いた洗浄
・火炎処理、好適にはプロパンガス、天然ガス、都市ガス、又はブタンを用いた火炎処
理
・コロナ処理（電位負荷大気圧プラズマ）
・無電位大気圧プラズマ処理
・低圧プラズマ処理（空気及びＯ２雰囲気）
・ＵＶ光処理
・化学的前処理、例えば気相前処理による湿式化学による前処理
・下塗剤及び結合剤
のうちの１つ又はそれ以上を用いて前処理されてもよい。
【０２０３】
特に好適な調製方法の中で、複合積層物の外層を射出成形の内層へインサート成形して
追加の強度を提供する所謂ハイブリッド成形プロセスが使用されてもよい。典型的には、
複合積層物構造は、加熱された平坦なシートとして又は好適には予成形品として射出成形
用金型の中へ導入される。射出成形中、次いで内層の熱可塑性材料が複合積層物構造の内
側の表面へ成形され、材料は一体に融合されて一体化部品としてクラウンを形成する。典
型的には、射出成形の内層は、良好な溶接結着を確保するために、外層を形成するのに使
用されている複合積層物構造の形成に使用されるマトリクス材料と同じポリマー系から調
製される。
【０２０４】
熱可塑性内層は、クラブヘッドの後部本体のための所望形状に形成されることに加えて
、更に、強度及び／又は所望の音響性質を付与する１つ又はそれ以上の補剛リブ、並びに
追加のタングステン（又は他の金属）の重りを設置できるようにする１つ又はそれ以上の
重りポート、を含む追加の特徴を備えて形成されてもよい。
【０２０５】
内層の厚さは、典型的には約０．２５ｍｍから約２ｍｍ、好適には約０．５ｍｍから約
１．２５ｍｍである。
【０２０６】
外層を形成するのに使用されている複合積層物構造の厚さは、典型的には約０．２５ｍ
ｍから約２ｍｍ、好適には約０．５ｍｍから約１．２５ｍｍ、なおいっそう好適には０．
５ｍｍから１ｍｍである。
【０２０７】
「製造のための方法及びゴルフクラブヘッド」という名称で２００１年６月１１日に出
願されていて参考文献としてここにそっくりそのまま援用されている米国特許第６，６２
３，３７８号に詳細に記載されている様に、クラウン又は外殻は、例えば、炭素繊維強化
エポキシ、炭素繊維強化ポリマー、又はポリマーの様な、複合材料で作られていてもよい
。加えて、米国特許出願第１０／３１６，４５３号及び同第１０／６３４，０２３号は、
軽量クラウンを有するゴルフクラブヘッドを記載している。更に、米国特許出願第１２／
９７４，４３７号（現在米国特許第８，６０８，５９１号）は、軽量のクラウン及びソー
ルを有するゴルフクラブヘッドを記載している。
【０２０８】
クラウンを構築するのに使用される複合材料は、広い温度範囲に亘って高い強度及び剛
性を呈すると共に十分な疲労挙動及び摩耗挙動を呈し、応力割れへの耐久性がなくてはな
らない。その様な性質は、
ａ）室温での引張強度：約７ｋｓｉから約３３０ｋｓｉ、好適には約８ｋｓｉから約３
０５ｋｓｉ、より好適には約２００ｋｓｉから約３００ｋｓｉ、なおいっそう好適には約
２５０ｋｓｉから３００ｋｓｉ（ＡＳＴＭ  Ｄ６３８及び／又はＡＳＴＭ  Ｄ３０３９に
より測定）、
ｂ）室温での引張弾性率：約０．４Ｍｓｉから約２３Ｍｓｉ、好適には約０．４６Ｍｓ
ｉから約２１Ｍｓｉ、より好適には約０．４６Ｍｓｉから約１９Ｍｓｉ（ＡＳＴＭ  Ｄ６
３８及び／又はＡＳＴＭ  Ｄ３０３９により測定）、
ｃ）室温での曲げ強度：約１３ｋｓｉから約３００ｋｓｉ、約１４ｋｓｉから約２９０
ｋｓｉ、より好適には約５０ｋｓｉから約２８５ｋｓｉ、なおいっそう好適には約１００
ｋｓｉから２８０ｋｓｉ（ＡＳＴＭ  Ｄ７９０により測定）、
ｄ）室温での曲げ弾性率：約０．４Ｍｓｉから約２１Ｍｓｉ、約０．５Ｍｓｉから約２
０Ｍｓｉ、より好適には約１０Ｍｓｉから約１９Ｍｓｉ（ＡＳＴＭ  Ｄ７９０により測定
）、
を含んでいる。
【０２０９】
クラブヘッド構成要素を作るために有用である複合材料は、繊維部分と樹脂部分を備え
ている。一般的に、樹脂部分は「マトリクス」の働きをし、その中に繊維が定義されたや
り方で埋め込まれている。クラブヘッドのための複合材では、繊維部分は、樹脂成分を含
浸させる複数の繊維質層又はプライとして構成されている。各層中の繊維はそれぞれの配
向を有しており、配向は典型的には１つの層と次の層とでは異なり、精密に制御されてい
る。打球フェースのための通常の層数はかなり大きく、例えば４０又はそれ以上である。
また一方、ソール又はクラウンについては、層数は、例えば、３又はそれ以上、４又はそ
れ以上、５又はそれ以上、６又はそれ以上へ、実質的に減らすことができ、その例が以下
に提供されている。複合材料の製作中、それらの層（各層は未硬化又は部分的硬化樹脂中
に含浸されているそれぞれに配向された繊維を備えており、その様な層それぞれは「プリ
プレグ」層と呼ばれる）は「積層編成（lay-up）」方式で重ね合わせに置かれる。プリプ
レグ積層編成を形成した後に、樹脂を堅い状態へ硬化させる。関心があれば、引張強度を
材料密度で除算することにより固有の強度を計算することもできる。これは強度対重量比
又は強度／重量比としても知られている。
【０２１０】
一部の特定のクラブヘッド構成に関わる試験では、相対的に低い繊維面積重量（ＦＡＷ
）を有するプリプレグプライで形成されている複合部分は、衝撃抵抗性、耐久性、及び全
体としてのクラブ性能の様な、幾つかの領分での優れた特質を提供することが判明してい
る。（ＦＡＷは、ｇ／ｍ２を単位とする所与量のプリプレグの繊維部分の重量である。）
１００ｇ／ｍ２より下、更に望ましくは７０ｇ／ｍ２より下のＦＡＷ値が、とりわけ有効
であろう。プリプレグプライ作製での使用に特に適した繊維質材料は指摘されている様に
炭素繊維である。１つより多い繊維質材料を使用することもできる。とはいえ、他の実施
形態では、７０ｇ／ｍ２より下のＦＡＷ値及び１００ｇ／ｍ２より上のＦＡＷ値を有する
プリプレグプライが使用されることもある。概して、７０ｇ／ｍ２より下のＦＡＷ値を有
するプリプレグプライでは、費用が主たる阻害要因である。
【０２１１】
一部の特定の実施形態では、複数の低ＦＡＷプリプレグプライを積層させ、なおも積層
プライの厚さに亘って比較的均一な繊維分布を有することができている。対照的に、匹敵
する樹脂含有量（Ｒ／Ｃ、単位はパーセント）レベルで、より高いＦＡＷを有するプリプ
レグ材料の積層プライは、低ＦＡＷ材料の積層プライより、より有意な樹脂豊富領域を特
に隣接するプライ同士の界面に有する傾向がある。樹脂豊富領域は繊維強化の効能を低減
させるきらいがあり、というのも具体的にいうとゴルフボールインパクトから生じる力は
概して繊維強化の繊維の配向に横断方向にあるからである。パネルを形成するのに使用さ
れるプリプレグプライは、エポキシの様な適した樹脂を含浸させた炭素繊維を備えている
のが望ましい。一例としての炭素繊維は、２３４Ｇｐａ（３４Ｍｓｉ）の引張弾性率と４
５００Ｍｐａ（６５０Ｋｓｉ）の引張強度を有する「３４−７００」炭素繊維（カリフォ
ルニア州、サクラメントのＧｒａｆｉｌ社から入手可能）である。使用することのできる
別のＧｒａｆｉｌ繊維は、「ＴＲ５０Ｓ」炭素繊維であって、２４０Ｇｐａ（３５Ｍｓｉ
）の引張弾性率と４９００Ｍｐａ（７１０ｋｓｉ）の引張強度を有している。適したエポ
キシ樹脂は、型式「３０１」及び型式「３５０」（カリフォルニア州、アーバインのＮｅ
ｗｐｏｒｔ  Ａｄｈｅｓｉｖｅｓ  ａｎｄ  Ｃｏｍｐｏｓｉｔｅｓ社から入手可能）であ
る。例示としての樹脂含有量（Ｒ／Ｃ）は、３３％から４０％の間であり、好適には３５
％から４０％の間、より好適には３６％から３８％の間である。
【０２１２】
本出願全体を通して論じられているゴルフクラブヘッドの各々は、複合材であってもよ
いとされる別体のクラウン、ソール、及び／又はフェース、例えば炭素繊維強化エポキシ
又は炭素繊維強化ポリマー又はポリマーのクラウン、ソール、及び／又はフェース、を含
んでいてもよいし、又は含んでいてもよい。代わりに、クラウン、ソール、及び／又はフ
ェースは、例えばチタン又はアルミニウムの様な密度のより小さい材料から作られていて
もよい。一例として、図５３は複合クラウン１２０１４を有するゴルフクラブヘッド１２
００２Ｆの上面図を示しており、図５４Ａは幾何学形状を詳示する断面図を示している。
図５４及び図５５に示されている様に、ソール、フェース、及びクラウンの一部分は、全
て、鋼（〜８．０５ｇ／ｃｍ３）又はチタン（〜４．４３ｇ／ｃｍ３）のどちらかから鋳
造されており、一方、クラウンの大部分は密度のより小さい材料、例えば約１．５ｇ／ｃ
ｍ３の密度を有する材料又は約４．４３ｇ／ｃｍ３より小さい密度を有する何か他の材料
から作られていてもよい。換言すると、クラウンは、何か他の金属又は複合材とすること
もできよう。追加的又は代替的に、フェースはソールの一部として鋳造されるのではなく
その場に溶接されていてもよい。
【０２１３】
クラウン、ソール、及び／又はフェースを密度のより小さい材料から作ることにより、
費用削減をもたらすことができ、又は重量をクラウン、ソール、及び／又はフェースから
クラブヘッドの例えば低い及び／又は前方といった様な他の区域へ配分し直せるようにな
る。
【０２１４】
米国特許第８，１６３，１１９号は、複合品及び複合品を作る方法を開示しており、当
該特許を参考文献としてここにそっくりそのまま援用する。この特許は、打球板のための
通常の層数がかなり多く、５０又はそれ以上であることを開示している。しかしながら、
層を３０層から５０層の間へ減らすことができるように技術的に改善がなされてきた。ソ
ール及び／又はクラウンについて既に論じられている様に、層は実質的に３、４、５、６
、７、又はそれより多い層数へ減少させることができる。
【０２１５】
下表は実施可能な積層編成の例を提供している。これらの積層編成は、織りプライと注
記されていない限り、一方向性プライを使用している実施可能なクラウン及び／又はソー
ル構築を示している。示されている構築は、疑似等方性積層編成についてである。単層プ
ライは、７０ｇｓｍの標準ＦＡＷについて約３６％乃至約４０％の樹脂含有量で約０．０
６５ｍｍから約０．０８０ｍｍの範囲の厚さを有している。個々のプライそれぞれの厚さ
は、ＦＡＷ又は樹脂含有量のどちらかを調節することによって改変することができ、従っ
て積層編成全体の厚さはこれらのパラメータを調節することによって改変することができ
る。
【０２１６】
【表１】
2020127845.tif 000005
【０２１７】
面積重量（ＡＷ）は、密度×厚さの乗算によって計算される。複合材料から作られた以
上に示されているプライについて密度は約１．５ｇ／ｃｍ３であり、チタンについて密度
は約４．５ｇ／ｃｍ３である。使用材料及びプライ数に依存して、複合クラウン及び／又
はソール厚さは、約０．１９５ｍｍから約０．９ｍｍ、好適には約０．２５ｍｍから約０
．７５ｍｍ、より好適には約０．３ｍｍから約０．６５ｍｍ、なおいっそう好適には約０
．３６ｍｍから約０．５６ｍｍの範囲である。これらの範囲は、クラウンとソールの両者
一体に対して与えられているが、必ずしもクラウンとソールが同じ厚さを有する又は同じ
材料から作られることを意味するものではないことを理解されたい。一部の特定の実施形
態では、ソールはチタン合金か又は鋼合金のどちらかから作られていてもよい。同様に、
クラブ主本体はチタン合金か又は鋼合金のどちらかから作られていてもよい。チタンは、
典型的には、０．４ｍｍから約０．９ｍｍ、好適には０．４ｍｍから約０．８ｍｍ、より
好適には０．４ｍｍから約０．７ｍｍ、なおいっそう好適には０．４５ｍｍから約０．６
ｍｍの範囲となろう。幾つかの事例では、クラウン及び／又はソールは、例えば０．４５
ｍｍから約０．５５ｍｍの間で厚さが変わっている様な非均一厚さを有していてもよい。
【０２１８】
クラウン及び／又はソールに複合材料を使用することにより、特にクラブの他の部分の
薄壁チタン構造（０．４ｍｍ乃至０．９ｍｍ）と組み合わせて使用されたなら、多くの裁
量的質量を空けることができる。薄壁チタン構造では、製造の難易度が上がり、結局のと
ころ一度に鋳造できる部品数が少なくなる。過去には、１００余りのヘッドをたった１回
で鋳造することができていたが、薄い乃至より薄い壁構造のせいで、高歩留まりと低材料
使用量の所望の組合せを実現するとなるとクラスタ当たり鋳造ヘッドはより少なくなる。
【０２１９】
ここに参考文献としてそっくりそのまま援用されている米国特許第７，５１３，２９６
号に論じられている様に、より多くの裁量的質量を得るための重要な戦略は、クラブヘッ
ドの壁厚さを削ることである。４６０ｃｍ３（即ちドライバ）の体積と１００ｃｍ２のク
ラウン面積を有する典型的チタン合金「メタルウッド」クラブヘッドについて、クラウン
の厚さは典型的に約０．８ｍｍであり、クラウンの質量は約３６ｇである。而して、壁厚
さを０．２ｍｍ（例えば１ｍｍから０．８ｍｍへ）削減することは、９．０ｇの裁量的質
量「節減分」を生む。
【０２２０】
以下の例は、チタン合金クラウンではなく複合クラウンを作ることによって実施可能な
裁量的質量「節減分」を説明するうえで役立つであろう。例えば、材料の厚さを約０．７
３ｍｍまで削減することは、０．８ｍｍチタン合金クラウンに勝ること約２５．０ｇの追
加の裁量的質量「節減分」を生む。例えば、材料の厚さを約０．７３ｍｍまで削減するこ
とは、０．８ｍｍチタン合金クラウンに勝ること約２５．０ｇの又は１．０ｍｍチタン合
金クラウンに勝ること約３４ｇの追加の裁量的質量「節減分」を生む。加えて、０．６ｍ
ｍ複合クラウンは、０．８ｍｍチタン合金クラウンに勝ること約２７ｇの追加の裁量的質
量「節減分」を生む。また、０．４ｍｍ複合クラウンは、０．８ｍｍチタン合金クラウン
に勝ること約３０ｇの追加の裁量的質量「節減分」を生む。なおいっそう大きい重量節減
分を実現するにはクラウンをなおいっそう薄く、例えば、約０．３２ｍｍ厚、約０．２６
ｍｍ厚、約０．１９５ｍｍ厚、などにすればよい。しかしながら、クラウン厚さは正規使
用時及び誤使用時のクラウンの全体としての耐久性と釣り合いが取れていなくてはならな
い。例えば、保護されていないクラウン、即ちヘッドカバー無しクラウンなら、潜在的に
、ゴルフバッグ中の他のウッドやアイアンとのぶつかりから損傷することもあり得る。
【０２２１】
以上に言及されている特許に論じられている様に、また図５４及び図５５から最もよく
分かる様に、外殻又は複合クラウン１２０１４は、好適には、打球板／ソール板組合せ体
１２１２０へ取り付けられている。複合クラウン１２０１４と打球板／ソール板組合せ体
１２１２０の間の接続の強度を改善するため、複合クラウン１２０１４と打球板／ソール
板組合せ体１２１２０は、図５４Ｂに追加的に示されているインターロック接合部１２１
３６を含んでいるのが好適である。
【０２２２】
例示されている実施形態では、接合部１２１３６は、複合クラウン１２０１４側と打球
板／ソール板組合せ体１２１２０側にそれぞれ形成されている噛み合い部分１２１３８Ａ
、１２１３８Ｂを備えている。各噛み合い部分１２１３８Ａ、１２１３８Ｂは、好適には
、複合クラウン１２０１４の外面１２１２３に横断方向の当接面１２１３９Ａ、１２１３
９Ｂを含んでいる。更に好適には、当接面は、複合クラウン１２０１４の外面１２１２３
に実質的に法線方向に広がっている。当接１２１３９Ａ、１２１３９Ｂ面は、複合クラウ
ン１２０１４を打球板／ソール板組合せ体１２１２０と整列させるのを手助けし、及びこ
れら２つの構成要素１２０１４、１２１２０の互いに対する側方運動を防止するのを手助
けする。
【０２２３】
各噛み合い部分１２１３８Ｂは、好適には、複合クラウン１２０１４の厚さの少なくと
も２倍、好適には４倍の幅の付着面を含んでいる。例えば、棚部長さ即ち噛み合い部分１
２１３８Ｂの長さは、約３ｍｍから約８ｍｍ、好適には約４ｍｍから約７ｍｍ、より好適
には約５．５ｍｍから約６．５ｍｍの範囲であってもよい。加えて、噛み合い部分１２１
３８Ａは、厚さ約０．３ｍｍから約２ｍｍ、好適には約０．５ｍｍから約１．２ｍｍ、よ
り好適には約０．６ｍｍから約１．０ｍｍ、なおいっそう好適には約０．６ｍｍから約０
．８ｍｍの範囲であってもよい。
【０２２４】
付着面は、好適には、接着剤のための面を提供しており、概して複合クラウン１２０１
４の外面１２１２３に平行で、複合クラウン１２０１４の内面１２１２１と外面１２１２
３の間の中途にある。この配列は、接合部１２１３６の強度及び複合クラウン１２０１４
の打球板／ソール板組合せ体１２１２０との間の結着をそれぞれ増加させるより長い付着
面とより厚い噛み合い部分１２１３８Ａ、１２１３８Ｂを許容するので好適である。付着
面は、複合クラウン１２０１４の全周囲（３６０度）に沿って延びていてもよい。代わり
に、示されている重ね継ぎの代わりに、複合クラウンをクラブ本体にかぶせ、次いで嵌合
及び仕上げのために研磨するようにしてもよい。
【０２２５】
噛み合い部分１２１３８Ａ、１２１３８Ｂは、複合クラウン１２０１４と打球板／ソー
ル板組合せ体１２１２０の間の界面に沿ってくまなく延びているのが望ましい。とはいえ
、或る修正された配列では、噛み合い部分１２１３８Ａ、１２１３８Ｂが複合クラウン１
２０１４と打球板／ソール板組合せ体１２１２０との間の界面に沿って部分的にしか延び
ていないこともあり得るものと理解されたい。例示されている配列では、各部片１２１３
８Ａ、１２１３８Ｂは、付着面によって分離されている２つの当接面１２１３９Ａ、１２
１３９Ｂを含んでいる。つまり、当接面と付着面はインターロックの段を形成しているわ
けである。とはいえ、噛み合い部分は、複合クラウン１２０１４と打球板／ソール板組合
せ体１２１２０との間の安全確保された接続を提供することの優先性を十分に考慮して、
様々な他の形状へ形成されていてもよいものと認識されたい。例えば、噛み合い部分１２
１３８Ａ、１２１３８Ｂは、各々が当接面と付着面を含んでいるインターロック式さねは
ぎ配列又は整合式斜面配列を備えていてもよい。
【０２２６】
複合クラウン１２０１４を打球板／ソール板組合せ体１２１２０と永久的に固定するの
に、例えばエポキシの様な接着剤が一方又は両方の噛み合い部分１２１３８Ａ、１２１３
８Ｂへ好適には付着面に沿って塗布される。或る修正された配列では、複合クラウン１２
０１４は、接合部１２１３６を貫いて延びている締結具によって打球板／ソール板組合せ
体１２１２０と固定される。幾つかの実施形態では、打球板／ソール板組合せ体１２１２
０は、クラウンの位置を定めるのを手助けするバンプ又はパッドを含んでいてもよい。バ
ンプは、結着ギャップを提供し、面一嵌りを実現するうえで助けとなる。バンプ又はパッ
ドは、高さ約０．１ｍｍから約０．４ｍｍの範囲、好適には高さ約０．１５ｍｍである。
似てはいるが代わりのやり方として、スペーサを使用してもクラウンと打球板／ソール板
組合せ体１２１２０との間の面一嵌りを実現するのに助けとなろう。スペーサ又はバンプ
のどちらかを使用することの別の利点は、打球板／ソール板組合せ体１２１２０のばらつ
き及び複合クラウン１２０１４のばらつきのせいで必要になる研削がより少ないことであ
る。
【０２２７】
図５５Ａを見ると、打球板／ソール板組合せ体１２１２０と一体での複合クラウン１２
０１４の拡大図が示されている。更に、この図には、調節可能なロフト、ライ、及び／又
はフェース角（ＦＣＴ）ホーゼル１５０９４も見えている。
【０２２８】
全体としては、複合クラウン及び薄壁部分を使用することによって、質量節減分は、少
なくとも２５ｇであり、例えば、少なくとも３０ｇ、少なくとも３５ｇ、少なくとも４０
ｇ、少なくとも４５ｇ、少なくとも５０ｇ、少なくとも５５ｇ、などである。この重量の
多くは、クラブヘッドへ、前後滑動式重りトラック即ち短縮してＴ字トラックの形態で戻
された。前後滑動式重りトラックをソールへ組み入れることは、構造のための大量の質量
を要するのみならず、クラブの音を２９００Ｈｚより上に改善するための追加の質量を要
した。
【０２２９】
クラブの音は、幾つかのやり方で改善することができる。１つのやり方は、壁厚さを増
加させることであるが、裁量的質量のより効率的な使用はリブを使用するというものであ
る。適正なリブ設置によって、第１モード周波数は、２９００Ｈｚよりかなり下から少な
くとも２９００Ｈｚへ上げることができ、例えば、少なくとも３０００Ｈｚ、少なくとも
３１００Ｈｚ、少なくとも３２００Ｈｚ、少なくとも３３００Ｈｚ、少なくとも３４００
Ｈｚ、少なくとも３５００Ｈｚ、少なくとも３６００Ｈｚ、などへ上げることができる。
【０２３０】
図５５Ａに示されている様に、クラウンが取り払われた状態で幾つかのリブが見えてい
る。図５５Ｂは、クラウンが完全に取り払われていることを示しており、図５５Ｃに示さ
れている断面図を生成するのに使用されている。図５５Ｃを見ると、可変フェース厚さ即
ちＶＦＴ（同心円）を有するフェース板１２０１８の裏側が示されており、加えて、前滑
動式重りトラック１２０２０及び後方滑動式重りトラック１２０２０Ｆのための構造が見
えている。示されている様に、幾つかのリブ１２０８０は重りトラックへ付着されている
。これは、構造全体を補剛し、第１モード周波数を少なくとも３４００Ｈｚへ上げるため
である。
【０２３１】
各リブは、周波数（Ｈｚ）改善という観点で関連付けられる質量及び関連付けられる益
を有している。従って、全体としてのクラブ重量を削減するためなら、より少ないリブを
使用することもできるが、但しそうなると第１モード周波数が影響を受けることになり殆
どの場合で下がってしまう。見本リブパターンが図５５Ｄに示されており、それは図５５
Ｃに示されているものに類似している。下表１４は、１度にリブ１つを選択的に除去する
ことの影響を示している。例えば、リブ１３を除去することは、第１モード周波数に３４
１１Ｈｚから３００６Ｈｚへの４０４Ｈｚ分の有害作用を生じさせるのに対し、リブ５を
除去することは第１モード周波数を３４Ｈｚ改善した。数々の満足できる設計があり、選
ばれた１つの設計は、リブ５、リブ１１、及びリブ１７を除去して３４２１Ｈｚの第１モ
ード周波数を実現するというものであった。
【０２３２】
【表２】
2020127845.tif 000006
【０２３３】
留意することとして、打球板又はフェース板１５０１８は、以上に言及されている特許
に論じられているソール板を含む他の構造と併せて１つの部片として鋳造されてもよいし
、又はフェース板１５０１８はゴルフクラブ本体へ溶接されてもよい。単一鋳造構造は多
少の費用節減を有し、また一方、別体の溶接フェースはより大きなカスタマイズ化を可能
にさせる。
【０２３４】
前方スロット及び後方トラック
幾つかの実施形では、ゴルフクラブヘッドの反発係数を増加させるのにチャネル、スロ
ット、又は何か他の部材が提供されていてもよい。例えば、ゴルフクラブヘッドの幾つか
の実施形態は、ゴルフクラブヘッドの反発係数（ＣＯＲ）及び／又は特性時間を増加させ
るために、ゴルフクラブヘッドの打球フェースの周縁部可撓性を増加又は増進するチャネ
ル、スロット、又は他の部材を含んでいてもよい。
【０２３５】
幾つかの事例では、チャネル、スロット、又は他の機構は、クラブヘッドのソールの前
方部分に、ソールの最前方縁に隣接して又はその付近に配置されている。ゴルフクラブヘ
ッドのＣＯＲを増加又は増進させるこれらの特徴に関する更なる詳細は、何れも「フェア
ウェイウッドＣＧ投影」という名称であって、参考文献としてここにそっくりそのまま援
用されている、２０１１年１２月２７日出願の米国特許出願第１３／３３８，１９７号、
２０１２年５月１０日出願の同第１３／４６９，０３１号、及び２０１３年３月１４日出
願の同第１３／８２８，６７５号に提供されている。ＣＯＲを増加又は増進させるこれら
の特徴に関する追加の詳細は、２０１３年３月１５日に「反発係数機構を有するゴルフク
ラブ」という名称で出願され、参考文献としてここにそっくりそのまま援用されている米
国特許出願第１３／８３９，７２７号にも見いだすことができる。
【０２３６】
幾つかの事例では、チャネル、スロット、又は他の機構は、クラブヘッドのクラウンの
前方部分に、クラウンの最前方縁に隣接して又はその付近に配置されている。これらの特
徴に関する更なる詳細は、２０１０年６月１日に「中空ゴルフクラブヘッド」という名称
で出願され、参考文献としてここにそっくりそのまま援用されている米国特許第８，２３
５，８４４号、２０１１年１２月１３日に「ソール応力低減機構を有する中空ゴルフクラ
ブヘッド」という名称で出願され、参考文献としてここにそっくりそのまま援用されてい
る米国特許第８，２４１，１４３号、及び２０１１年１２月１４日に「クラウン応力低減
機構を有する中空ゴルフクラブヘッド」という名称で出願され、参考文献としてここにそ
っくりそのまま援用されている米国特許第８，２４１，１４４号、に提供されている。
【０２３７】
図５６Ａ−図５６Ｅに目を向けると、ゴルフクラブヘッド１８００２Ａは、ゴルフクラ
ブヘッド１２０００と類似の又は同一の多くの特徴を類のない独特なやり方で組み合わせ
て含んでいる。而して、簡潔さを期し、ゴルフクラブヘッド１８００２Ａの各特徴を冗長
的に解説することはしない。むしろゴルフクラブヘッド１８００２Ａとゴルフクラブヘッ
ド１２０００の間の主要な相違を詳細に説明することにし、読み手には２つのゴルフクラ
ブヘッド間の実質的に類似の特徴については以上の論考を参照されたい。
【０２３８】
図５６Ａは、クラブヘッドのソールに前方チャネル１８０２０及び後方重りトラック１
８０２０Ｆを有するゴルフクラブヘッド１８００２Ａの実施形態を示している。前方チャ
ネル１８０２０は、より大きな周辺部可撓性を可能にさせてＣＯＲを増加させ、スピンを
減らすことを可能にさせ、また他の打ち出し条件にも影響を与え得る。後方重り１８０２
０Ｆトラックは、使用者がゴルフクラブヘッドのＣＧ位置を調節できるようにし、ひいて
はボールスピン及びＭＯＩを含む多くの因子を調節できるようにする。
【０２３９】
ゴルフクラブヘッド１８０００は、中空本体１８００２Ａ、前方チャネル１８０２０、
後方トラック１８０２０Ｆ、及び滑動式重り組立体１８０４０を含め、先の実施形態の構
造及び特徴の幾つかを含んでいる。本体１８００２Ａ（ひいてはクラブヘッド１８０００
全体）は、前部分１８００４、後部分１８００６、トゥ部分１８００８、ヒール部分１８
０１０、ホーゼル１８０１２、クラウン１８０１４、及びソール１８０１６、を含んでい
る。前部分１８００４は、ここに説明されている、可変厚さ、複合材、及び／又は金属の
フェース板であってもよいとされるフェース板１８０１８を受け入れる開口部を形成して
いる。例示されているクラブヘッド１８０００は、更に、シャフトをホーゼル１８０１２
へホーゼル開口部１８０７０を介して連結するための調節可能なシャフト接続システムを
備えることができる。
【０２４０】
図５６Ｂに示されている様に、後方重りトラック１８０２０Ｆは、フェース板１８０１
８の中心と交わる垂直平面１８１４２に対して角度１８１４０を成していてもよい。後方
重りトラック１８０２０Ｆの特定の角度は、ゴルフクラブヘッド幾何学形状に依存するこ
とになる。幾つかの実施形態では、トラックに角度を付けることはゴルフクラブヘッドの
ｙ軸に平行なトラックに比較して何らかのドローバイアス又はフェードバイアスを小さく
するうえで助けとなり、特に重りを後方重りトラック１８０２０Ｆに沿って位置をずらし
てゆく場合はそうである。角度１８１４０は、約０度から約１８０度の間であり、例えば
、約２０度から約１６０度の間、約４０度から約１４０度の間、約６０度から約１２０度
の間、約７０度から約１１０度の間、などである。
【０２４１】
図１４４Ｃに示されている様に、ゴルフクラブヘッド１８００２Ａは、後部ウィングレ
ット１８１６０を含んでいる。後部ウィングレット１８１６０は、ソールの湾曲から逸れ
、ＣＧを低くするプラットホームを提供している。図５６Ｃから最もよく分かる様に、後
部ウィングレット１８１６０は、ソールから逸れ、滑動式重り組立体１８０４０を後方へ
滑動させたときにＣＧを更に低くするプラットホームを提供している。
【０２４２】
後方重りトラックは、使用者に追加の調節性を提供する。以上に論じられている様に、
重りを打球フェースにより近く動かすことは、より低くより前方のＣＧのせいでスピンの
かかりがより低いボールを現出させる。これは、更に、使用者がクラブヘッドのロフトを
増加させられるようにしており、一般的にロフトがより高いクラブは当てるのが「より容
易い」と考えられている。重りをクラブの後部に向かって後方に動かすことは、ＭＯＩ増
加及びスピンのかかりが高いボールを可能にさせる。より高いＭＯＩを有するクラブは、
概して、当てるのが「より容易い」と考えられている。従って、後方重りトラックは少な
くともスピンとＭＯＩの両方の調節を可能にさせる。
【０２４３】
示されている実施形態では、また図５６Ｂ及び図５６Ｅから最もはっきりと分かる様に
、前方チャネルは、フェースから前方チャネルオフセット距離１８１４６だけオフセット
しており、当該前方チャネルオフセット距離は、フェース板１８０１８の中心を通る第１
垂直平面とフェース板１８０１０の中心と同じｘ座標における前方チャネル１８０２０の
間の最小距離であって、約５ｍｍから約５０ｍｍの間であり、例えば、約１０ｍｍから約
４０ｍｍの間、約２５ｍｍから約３０ｍｍの間、などである。同様に、後方トラックは、
フェースから後方トラックオフセット距離１８１５４だけオフセットしており、当該後方
トラックオフセット距離は、フェース板１８０１８の中心を通る第１垂直平面とフェース
板１８０１８の中心と同じｘ座標における後方トラック１８０２０Ｆの間の最小距離であ
り、約１２ｍｍから約５０ｍｍの間であり、例えば、約１５ｍｍから約４０ｍｍの間、約
２０ｍｍから約３０ｍｍの間、などである。
【０２４４】
示されている実施形態では、前方チャネル１８０２０及び後方トラック１８０２０Ｆは
どちらもそれぞれ特定のチャネル幅１８１４４／トラック幅１８１５２を有している。チ
ャネル幅／トラック幅は、第１チャネル壁と第２チャネル壁の間の水平距離として測定す
ることができる。前方チャネル及び後方トラックの両方について、幅１８１４４及び幅１
８１５２は、約５ｍｍから約２０ｍｍの間であってもよく、例えば、約１０ｍｍから約１
８ｍｍの間、約１２ｍｍから約１６ｍｍの間、などであってもよい。示されている実施形
態では、チャネル又はトラックの深さ（即ち、底チャネル壁とソールのチャネル前縁及び
チャネル後縁に隣接している領域を内包する仮想平面の間の垂直距離）は、約６ｍｍから
約２０ｍｍの間であってもよく、例えば、約８ｍｍから約１８ｍｍの間、約１０ｍｍから
約１６ｍｍの間、などであってもよい。
【０２４５】
示されている実施形態では、前方チャネル１８０２０及び後方トラック１８０２０Ｆは
どちらもそれぞれ特定のチャネル長さ１８１４８／トラック長さ１８１５０を有している
。チャネル長さ／トラック長さは、第３チャネル壁と第４チャネル壁の間の水平距離とし
て測定することができる。前方チャネル及び後方トラックの両方について、長さ１８１４
８及び長さ１８１５０は、約３０ｍｍから約１２０ｍｍの間であってもよく、例えば、約
５０ｍｍから約１００ｍｍの間、例えば約６０ｍｍから約９０ｍｍの間、などであっても
よい。
【０２４６】
追加的又は代替的に、チャネルの長さは、打球フェース長さの或る割合であってもよい
。例えば、チャネルは、打球フェース長さの約３０％から約１００％の間であってもよく
、例えば、打球フェース長さの約５０％から約９０％の間、約６０％から約８０％の間、
などであってもよい。
【０２４７】
図５６Ｄは、ゴルフクラブヘッド１８００２Ａのクラウン図を示している。図５６Ｅは
、クラウンと後方トラックを貫いて取られている断面図である。図５６Ｅは、後方トラッ
クと後方トラック内の滑動式重り組立体と前方チャネルの別の図を示している。幾つかの
事例では、前方チャネルは滑動式重りを保持していてもよいし、又はそれはフェースを横
切る反発係数を改善及び／又は増加させる特徴（ＣＯＲ機構）であってもよい。ＣＯＲ機
構に関して、チャネルは、チャネル又は貫通スロットの様な様々な形態を呈していてもよ
い。
【０２４８】
図５７Ａ−図５７Ｃは、後重りトラックを含む追加の実施形態を示している。図５７Ａ
に示されている様に、ゴルフクラブヘッド１８００２Ｂは、後重りトラック１８０２０Ｆ
を、前方位置の少なくとも１つの重り組立体１８０４０Ｃと共に含んでいる。１つより多
い重りが前方位置に使用されていてもよく、及び／又はクラブヘッド本体側に戦略的に設
置されている数個の重りポートがあってもよい。例えば、ゴルフクラブヘッド１８００２
Ｂは、トゥ重りポート及びヒール重りポートを含んでいてもよい。そうすると使用者はド
ローバイアスか又はフェードバイアスのどちらかを促進するようにより多くの重りをトゥ
かヒールのどちらかへ動かすことができよう。加えて、以上に論じられている様に、裁量
的質量を前方位置と後方位置の間で分割することはより高いＭＯＩのクラブを現出させる
のに対し、重り全てをクラブの前方部分へ動かすことは低前方ＣＧを有するゴルフクラブ
を現出させる。従って、使用者は、「寛容性のある」より高いＭＯＩのクラブか又はスピ
ンのかかりがより低いボールを現出させるクラブかの間で選択することができよう。
【０２４９】
図５７Ｂは、後重りトラック１８０２０Ｆを前方スロット１８１６２と一体に示してい
る。前方スロット１８１６２は、より大きな周縁部可撓性を可能にさせ、それにより打球
フェースを横切るＣＯＲを維持及び／又は増加させる。追加的又は代替的に、トゥ重りポ
ート及びヒール重りポートがこの実施形態に含まれていてもよい。
【０２５０】
図５７Ｃは、後重りトラック１８０２０Ｆを前方スロット１８１６２及び前方重り１８
０４０Ｃと一体に示している。前方スロットは、ゴルフクラブのフェースを横切るＣＯＲ
を増進させる。前方重りは、クラブの前方位置に追加の重量を提供する。前方重りは前方
スロットの上に覆いかぶさっている。以上に論じられている様に、これは、滑動式重りを
後方位置へ動かすことによって高いＭＯＩのクラブを可能にさせ、又は滑動重りを前方位
置へ動かすことによって低前方ＣＧゴルフクラブを可能にさせることができる。追加的又
は代替的に、トゥ重りポート及びヒール重りポートがこの実施形態に含まれていてもよい
。
【０２５１】
追加的又は代替的に、前方重りは滑動式重りと入れ換え可能であってもよく、及び／又
は当該重りは重りポートに装着される他の重りと入れ換え可能であってもよい。前方重り
又は滑動式重りのどちらかは、１ｇから５０ｇの範囲であってもよい。重りの範囲は、他
にもあるが中でも特に振り重み調節性、より大きいＭＯＩ調節、及び／又はスピン調節を
可能にさせる。
【０２５２】
図５７Ｂ及び図５７Ｃに示されているスロットは、以上に論じられておりまた２０１３
年３月１５日に「反発係数機構を有するゴルフクラブ」という名称で出願されている米国
特許出願第１３／８３９，７２７号にも論じられている貫通スロットであってもよい。当
該スロットは、スロット幅１８１６４、スロット長さ１８１６６、及びスロット周長１８
１６８を含んでいてもよい。
【０２５３】
示されている実施形態では、スロット幅１８１６４は、約５ｍｍから約２０ｍｍの間で
あってもよく、例えば、約１０ｍｍから約１８ｍｍの間、約１２ｍｍから約１６ｍｍの間
、などであってもよく、又はそれより大きくてもよいし又は小さくてもよい。スロット長
さ１８１６６は、約３０ｍｍから約１２０ｍｍの間であってもよく、例えば、約５０ｍｍ
から約１００ｍｍの間、約６０ｍｍから約９０ｍｍの間、などであってもよく、又はそれ
より大きくてもよいし又はそれより小さくてもよい。スロット周長１８１６８は、約７０
ｍｍから約２８０ｍｍの間であってもよく、例えば、約１２０ｍｍから約２４０ｍｍの間
、約１６０ｍｍから約２００ｍｍの間、などであってもよく、又はそれより大きくてもよ
いし又はそれより小さくてもよい。
【０２５４】
示されている実施形態では、フェース板１８０１８の中心と交わる垂直平面１８１４２
とフェース板１８０１８の中心と同じｘ座標におけるスロット１８１６２の間の距離１８
１７０は、約５ｍｍから約２５ｍｍの間であってもよく、例えば、約８ｍｍから約１８ｍ
ｍの間、約１０ｍｍから約１５ｍｍの間、などであってもよい。
【０２５５】
追加的又は代替的に、スロットの長さは、打球フェース長さの或る割合であってもよい
。例えば、スロットは、打球フェース長さの約３０％から約１００％の間であってもよく
、例えば、打球フェース長さの約５０％から約９０％の間、約６０％から約８０％ｍｍの
間、などであってもよい。
【０２５６】
スロットは、曲線状の部分から構成されていてもよく、又は曲線状の線分と直線状の線
分の組合せである数個の線分から構成されていてもよい。スロットはヘッドの中へ機械加
工されているか又は鋳込まれていてもよい。スロットは、クラブのソールにあるものとし
て示されているが、クラブのクラウンへ組み入れられていてもよい。
【０２５７】
スロット又はチャネルは、砂利や他の岩屑類のスロット又はチャネルへの入り込みを防
止するため、またことによると貫通スロットの場合にはクラブヘッドのキャビティへの入
り込みを防止するために、材料を充填されていてもよい。充填材料は、ポリウレタン、エ
ラストマーゴム、ポリマー、各種のゴム、発泡体、及び充填材を含め、何れの比較的低弾
性率の材料であってもよい。施栓材料は実質的に使用時のゴルフクラブヘッドの変形を妨
げるようなことがあってはならず、というのも、もしそうなら周辺部可撓性が無効になっ
てしまうからである。
【０２５８】
後方トラックの幾何学形状は、前方トラックの幾何学形状に類似している。加えて、重
りを後方トラックに装着する方法は、以上に前方トラックに関して既に論じられている方
法と同様である。留意すべきこととして、後方トラック幾何学形状及び重り幾何学形状は
ソールの湾曲に適合するように設計されなくてはならない。
【０２５９】
周縁部可撓性
以上に論じられている様に、前方チャネル１２０２０は、追加の周縁部可撓性を提供す
ることができる。しかしながら、周縁部可撓性は、装着されている重り組立体１２０４０
との相互作用に因り影響を受けることがある。図６０Ａに示されている様に、前チャネル
壁１２０２６と重り組立体１２０４０の間には殆どギャップがない。幾つかの事例では、
重り組立体がチャネルを跨ぐ橋となって重り組立体を横切る荷重をクラブヘッドの後部分
へ伝達しかねないことが判明している。これは、周縁部可撓性がどれほど高くなり得るか
を、重り組立体が局所化された剛性区域を生じさせてしまうせいで制限する。結果として
、幾つかの事例では、チャネル内の重り位置に依存して、ゴルフクラブヘッドの反発係数
（ＣＯＲ）及び／又は特性時間がチャネルに沿って変わってくる。従って、重り組立体の
周縁部可撓性への起こり得る影響力を制限又は排除して、重り位置とは独立にチャネルに
沿ってより一定したＣＯＲ／ＣＴを得られるようにするのが望ましい。
【０２６０】
装着されている重り組立体の周縁部可撓性への効果を制限又は排除するための手法には
多数の手法が存在する。以下は当該問題に対する実施可能な解の例である。
【０２６１】
第１の手法は、重り組立体１２０４０を後部又は後チャネル棚部１２０３２へのみ固定
するというものである。この構成は図６０Ｂに示されている。ワッシャ１２０４２と質量
部材１２０４４の一方又は両方の前方端の突出部１２１７０が、締める間中、後チャネル
棚部１２０３２と重り組立体１２０４０締め付け面の間の平削り盤（planer）接触を維持
するように設計されている。これは、重り組立体の周縁部可撓性との何らかの相互作用を
排除するはずである。但し、重り組立体は一端が非支持となることから、片持ち梁となっ
てしまい、経時的に緩んだりインパクト時の振動的鳴り響きに見舞われたりし易くなる。
【０２６２】
締めている間、確実に片持ち式重りが回転することのないようにするうえで助けとなる
１つの方法は、随意的に、図６０Ｂに示されている様に後チャネル棚部１２０３２に対し
て横断方向に延びるリッジ１２１７２を含むことであり、重り組立体の一方の側には噛み
合い相手の溝１２１７４を持たせることになる。この噛み合い式リッジ／溝システムは、
締めている間の回転を最小限にするはずであり、そうすれば確実に重り組立体１２０４０
の前方部分とチャネル１２０２０の間の工学的ギャップ１２１７６は、締めた後又は使用
後に接触して堅さを増加させることのないように十分に広いままでいられる。
【０２６３】
第２の手法は、重り組立体のチャネルとの相互作用を制限するというものである。これ
は、締め付け力の大半を後チャネル棚部１２０３２へ伝達させるようにすること（即ち金
属対金属接触）によって、及び前チャネル棚部１２０３０と重り組立体１２０４０の間に
ギャップ１２１８０を提供することよって、成し遂げることができる。ギャップ１２１８
０と組み合わせての前チャネル棚部１２０３０への締め付け荷重低減化により、チャネル
はインパクト時により多く撓めるようになる。また一方で、重り組立体の一部分はなおも
前チャネル棚部によって支持されていてもよい。重り組立体の前チャネル棚部によって支
持されている部分がより軟質（即ち、重り組立体に使用されている金属より低硬度）の材
料１２１７８を含んでいるなら、チャネルを横切って前後方向の堅さを実質的に加増する
ことなく横断方向の撓み及び振動を低減できるはずである。この構成は図６０Ｃに示され
ている。
【０２６４】
ワッシャ１２０４２と質量部材１２０４４の一方又は両方の前方端上の突出部１２０７
０は、締める間の後棚部と重り組立体締め付け面の間の平削り盤接触を維持するべく設計
されればよく、そうすればより軟質の材料側に有意な締め付け力が発達する前に底に達す
るはずである。この手法もまたここに説明され図６０Ｄに示されている回転防止リッジ１
２１７２及び溝１２１７４システムから恩恵を受けることができよう。
【０２６５】
（単数又は複数の）滑動式に位置換え可能な重りを有するゴルフクラブヘッドについて
の設計パラメータ
次に続く論考は、ゴルフクラブヘッド１２０００及びその変型（例えば、１２００２Ａ
−１２００２Ｆ）に関係する特徴を挙げているが、以下に論じられている多くの設計パラ
メータは実質的にクラブヘッドの共通の特徴であることからゴルフクラブヘッド９３００
、１３０００、１５０００、及び１８０００に適用する。そのことを念頭に置き、ここに
記載されているゴルフクラブの幾つかの実施形態では、ゴルフクラブヘッド９３００、１
３０００、１５０００、及び１８０００の様なゴルフクラブヘッドの諸特徴の場所、位置
、又は向き付けは、固定基準点、例えばゴルフクラブヘッド原点、他の特徴の場所、又は
特徴の角度方位、に対して参照することができる。重り及び重り組立体９３４０、１２０
４０Ａ−１２０４０Ｆ、１３０４０、１５０４０、及び１８０４０Ａ−１８０４０Ｆの様
な重り組立体の場所又は位置は、典型的には、重りの又は重り組立体の重心の場所又は位
置に関して定義されている。重り又は重り組立体が、別の重り又は重り組立体の場所まで
の距離、即ちベクトル距離（或る基準又は特徴点から別の基準又は特徴点まで延びる直線
の長さとして定義）を求めるための基準点として使用されている場合、基準点は典型的に
は重り又は重り組立体の重心である。
【０２６６】
ゴルフクラブヘッド上の重り組立体の場所は、ヘッド原点座標系上のその座標によって
近似表示することができる。ヘッド原点座標系は、打面１０１２２（図１Ａ参照）の幾何
学的中心に配置されているゴルフクラブヘッドの理想インパクト場所１０１６０に原点を
含んでいる。以上に説明されている様に、ヘッド原点座標系は、ｘ軸とｙ軸を含んでいる
。原点ｘ軸は、ヘッドが理想的に位置決めされたとき、原点でフェース板に対し接線方向
に概して地面に平行に延びており、正のｘ軸は、原点からゴルフクラブヘッドのヒールに
向かって延び、負のｘ軸は、原点からゴルフクラブヘッドのトゥに向かって延びている。
原点ｙ軸は、ヘッドが理想的に位置決めされたとき、概して原点ｘ軸に直角に地面に平行
に延びており、正のｙ軸はヘッド原点からゴルフクラブの後部分に向かって延びている。
ヘッド原点は、更に、原点ｘ軸及び原点ｙ軸に直角に延びている原点ｚ軸を含むものであ
って、正のｚ軸は原点からゴルクラブヘッドの最上部分へ向かって延び、負のｚ軸は原点
からゴルフクラブヘッドの底部分に向かって延びている。
【０２６７】
以上に説明されている様に、ここに記載のゴルフクラブヘッド１２０００の幾つかの実
施形態では、チャネル１２０２０は、概してヒール部分１２０１０寄りに配置されている
ヒール端１２０２２からトゥ部分１２００８寄りに配置されているトゥ端１２０２４へ延
びており、ヒール端１２０２２とトゥ端１２０２４は共にクラブヘッドの前部分から同距
離又はほぼ同距離にある。結果として、これらの実施形態では、チャネル１２０２０内に
滑動可能に保定されている重り組立体１２０４０は、ｘ軸の方向には相対的に大きい調節
量が可能であるのに対しｙ軸の方向には相対的に小さい調節量を有している。幾つかの代
わりの実施形態では、ヒール端１２０２２とトゥ端１２０２４は、例えばヒール端１２０
２２がトゥ端１２０２４より更に後方にあるとかトゥ端１２０２４がヒール端１２０２２
より更に後方にあるといった様に、前部分から異なった距離に配置されていることもある
。これらの代わりの実施形態では、チャネル１２０２０内に滑動可能に保定されている重
り組立体１２０４０は、ｘ軸の方向には相対的に大きい調節量が可能であり、更にｙ軸の
方向にも小量乃至はやや大きめの調節量を有している。
【０２６８】
例えば、チャネル１２０２０内に調節可能に位置付けられている重り組立体１２０４０
を有するゴルフクラブヘッド１２０００の幾つかの実施形態では、重り組立体１２０４０
は、チャネル１２０２０内の重り組立体の場所に依存して、約−５０ｍｍから約６５ｍｍ
の間の原点ｘ軸座標を有することができる。具体的な実施形態では、重り組立体１２０４
０は、約−４５ｍｍから約６０ｍｍの間、又は約−４０ｍｍから約５５ｍｍの間、又は約
−３５ｍｍから約５０ｍｍの間、又は約−３０ｍｍから約４５ｍｍの間、又は約−２５ｍ
から約４０ｍｍの間、又は約−２０ｍｍから約３５ｍｍの間、の原点ｘ軸座標を有するこ
とができる。而して、幾つかの実施形態では、重り組立体１２０４０には、５０ｍｍより
大きい最大ｘ軸調節範囲（Ｍａｘ  Δｘ）が提供されており、例えば、６０ｍｍより大き
い、７０ｍｍより大きい、８０ｍｍより大きい、９０ｍｍより大きい、１００ｍｍより大
きい、１１０ｍｍより大きい、など、の最大ｘ軸調節範囲が提供されている。
【０２６９】
他方、チャネル１２０２０内に調節可能に位置付けられている重り組立体１２０４０を
有するゴルフクラブヘッド１２０００の幾つかの実施形態では、重り組立体１２０４０は
、約５ｍｍから約６０ｍｍの間の原点ｙ軸座標を有することができる。より具体的には、
一部の特定の実施形態では、重り組立体１２０４０は、約５ｍｍから約５０ｍｍの間、約
５ｍｍから約４５ｍｍの間、又は約５ｍｍから約４０ｍｍの間、又は約１０ｍｍから約４
０ｍｍの間、又は約５ｍｍから約３５ｍｍの間、の原点ｙ軸座標を有することができる。
而して、幾つかの実施形態では、重り組立体１２０４０には、４０ｍｍより小さい最大ｙ
軸調節範囲（Ｍａｘ  Δｙ）が提供されており、例えば、３０ｍｍより小さい、２０ｍｍ
より小さい、１０ｍｍより小さい、５ｍｍより小さい、３ｍｍより小さい、など、の最大
ｙ軸調節範囲が提供されている。追加的又は代替的に、後方トラックを有する幾つかの実
施形態では、重り組立体１２０４０には、１１０ｍｍより小さい最大ｙ軸調節範囲（Ｍａ
ｘ  Δｙ）が提供されており、例えば、８０ｍｍより小さい、６０ｍｍより小さい、４０
ｍｍより小さい、３０ｍｍより小さい、１５ｍｍより小さい、など、の最大ｙ軸調節範囲
が提供されている。
【０２７０】
幾つかの実施形態では、ゴルフクラブヘッドは、重り組立体を原点ｘ方向及び原点ｙ方
向に調節できる相対距離に関して制約を有するように構成されていてもよい。その様な制
約は、最大ｙ軸調節範囲（Ｍａｘ  Δｙ）を最大ｘ軸調節範囲（Ｍａｘ  Δｘ）で除算し
たものと定義されていてもよい。幾つかの実施形態によれば、比（Ｍａｘ  Δｙ）／（Ｍ
ａｘ  Δｘ）の値は０から約０．８の間である。具体的な実施形態では、比（Ｍａｘ  Δ
ｙ）／（Ｍａｘ  Δｘ）の値は、０から約０．５の間、又は０から約０．２の間、又は０
から約０．１５の間、又は０から約０．１０の間、又は０から約０．０８の間、又は０か
ら約０．０５の間、又は０から約０．０３の間、又は０から約０．０１の間、である。
【０２７１】
以上に論じられている様に、幾つかの実施形態では、重り組立体１２０４０の質量は、
約１ｇから約５０ｇの間であり、例えば、約３ｇから約４０ｇの間、約５ｇから約２５ｇ
の間、などである。幾つかの代わりの実施形態では、重り組立体１２０４０の質量は、約
５ｇから約４５ｇの間であり、例えば、約９ｇから約３５ｇの間、約９ｇから約３０ｇの
間、約９ｇから約２５ｇの間、などである。
【０２７２】
幾つかの実施形態では、ゴルフクラブヘッドは、重り組立体の質量と重り組立体を原点
ｘ方向及び／又は原点ｙ方向に調節できる相対距離の積に関する制約を有するように構成
されていてもよい。１つのその様な制約は、重り組立体の質量（ＭＷＡ）を最大ｘ軸調節
範囲（Ｍａｘ  Δｘ）で乗算したものと定義されていてもよい。幾つかの実施形態によれ
ば、積ＭＷＡ×（Ｍａｘ  Δｘ）の値は、約２５０ｇ・ｍｍから約４９５０ｇ・ｍｍの間
である。具体的な実施形態では、積ＭＷＡ×（Ｍａｘ  Δｘ）の値は、約５００ｇ・ｍｍ
から約４９５０ｇ・ｍｍの間、又は約１０００ｇ・ｍｍから約４９５０ｇ・ｍｍの間、又
は約１５００ｇ・ｍｍから約４９５０ｇ・ｍｍの間、又は約２０００ｇ・ｍｍから約４９
５０ｇ・ｍｍの間、又は約２５００ｇ・ｍｍから約４９５０ｇ・ｍｍの間、又は約３００
０ｇ・ｍｍから約４９５０ｇ・ｍｍの間、又は約３５００ｇ・ｍｍから約４９５０ｇ・ｍ
ｍの間、又は約４０００ｇ・ｍｍから約４９５０ｇ・ｍｍの間、である。
【０２７３】
重り組立体の質量と重り組立体を原点ｘ方向及び／又は原点ｙ方向に調節できる相対距
離の積に関する別の制約は、重り組立体の質量（ＭＷＡ）を最大ｙ軸調節範囲（Ｍａｘ  
Δｙ）で乗算したものと定義されていてもよい。幾つかの実施形態によれば、積ＭＷＡ×
（Ｍａｘ  Δｙ）の値は、約０ｇ・ｍｍから約１８００ｇ・ｍｍの間である。具体的な実
施形態では、積ＭＷＡ×（Ｍａｘ  Δｙ）の値は、約０ｇ・ｍｍから約１５００ｇ・ｍｍ
の間、又は約０ｇ・ｍｍから約１０００ｇ・ｍｍの間、又は約０ｇ・ｍｍから約５００ｇ
・ｍｍの間、又は約０ｇ・ｍｍから約２５０ｇ・ｍｍの間、又は約０ｇ・ｍｍから約１５
０ｇ・ｍｍの間、又は約０ｇ・ｍｍから約１００ｇ・ｍｍの間、又は約０ｇ・ｍｍから約
５０ｇ・ｍｍの間、又は約０ｇ・ｍｍから約２５ｇ・ｍｍの間、である。
【０２７４】
以上に指摘されている様に、重り組立体１２０４０を有するゴルフクラブヘッド１２０
００の様な、滑動式に位置換え可能な重り組立体を有するゴルフクラブヘッドを用いて手
に入る１つの利点は、ゴルフクラブの末端使用者に、クラブヘッドのＣＧの場所を位置換
え可能な重りの位置に関係付けられる位置範囲に亘って調節できる機能が提供されること
である。具体的には、本発明には、ここに記載の重り組立体１２０４０の様な重り組立体
を含んでいない同等なゴルフクラブに対比して、より低くより前方のクラブヘッド重心を
提供することへの隔絶した優位性のあることが判明している。
【０２７５】
幾つかの実施形態では、ゴルフクラブヘッド１２０００は、約−１０ｍｍから約１０ｍ
ｍの間のヘッド原点ｘ軸座標（ＣＧｘ）、例えば、約−４ｍｍから約９ｍｍの間、約−３
ｍｍから約８ｍｍの間、約−２ｍｍから約５ｍｍの間、約−０．８ｍｍから約８ｍｍの間
、約０ｍｍから約８ｍｍの間、など、のヘッド原点ｘ軸座標（ＣＧｘ）、を有するＣＧを
有している。幾つかの実施形態では、ゴルフクラブヘッド１２０００は、約１５ｍｍより
大きく約５０ｍｍより小さいヘッド原点ｙ軸座標（ＣＧｙ）、例えば、約２２ｍｍから約
４３ｍｍの間、約２４ｍｍから約４０ｍｍの間、約２６ｍｍから約３５ｍｍの間、など、
のヘッド原点ｙ軸座標（ＣＧｙ）、を有するＣＧを有している。幾つかの実施形態では、
ゴルフクラブヘッド１２０００は、約−８ｍｍより大きく約３ｍｍより小さいヘッド原点
ｚ軸座標（ＣＧｚ）、例えば約−６ｍｍから約０ｍｍの間など、のヘッド原点ｚ軸座標（
ＣＧｚ）、を有するＣＧを有している。幾つかの実施形態では、ゴルフクラブヘッド１２
０００は、０ｍｍより小さいヘッド原点ｚ軸座標（ＣＧｚ）、例えば、−２ｍｍより小さ
い、−４ｍｍより小さい、−５ｍｍより小さい、−６ｍｍより小さい、など、のヘッド原
点ｚ軸座標（ＣＧｚ）、を有するＣＧを有している。
【０２７６】
ここに説明されている様に、ゴルフクラブヘッド１２０００のチャネル１２０２０内で
滑動式重り組立体１２０４０を位置換えすることによって、クラブヘッドのＣＧの場所が
調節される。例えば、チャネル１２０２０内に調節可能に位置付けられている重り組立体
１２０４０を有するゴルフクラブヘッド１２０００の幾つかの実施形態では、クラブヘッ
ドには、重り組立体１２０４０の位置換えに帰する、２ｍｍより大きい最大ＣＧｘ調節範
囲（Ｍａｘ  ΔＣＧｘ）、例えば、３ｍｍより大きい、４ｍｍより大きい、５ｍｍより大
きい、６ｍｍより大きい、８ｍｍより大きい、１０ｍｍより大きい、など、の最大ＣＧｘ
調節範囲（Ｍａｘ  ΔＣＧｘ）、が提供されている。
【０２７７】
更に、前方チャネル１２０２０内に調節可能に位置付けられている重り組立体１２０４
０を有するゴルフクラブヘッド１２０００の幾つかの実施形態では、クラブヘッドには、
６ｍｍより小さいＣＧｙ調節範囲（Ｍａｘ  ΔＣＧｙ）、例えば、３ｍｍより小さい、１
ｍｍより小さい、０．５ｍｍより小さい、０．２５ｍｍより小さい、０．１ｍｍより小さ
い、など、のＣＧｙ調節範囲（Ｍａｘ  ΔＣＧｙ）が提供されている。また一方、後重り
ポート及び／又は後方重りトラックが設けられている幾つかの場合では、クラブヘッドに
は、２ｍｍより大きいＣＧｙ調節範囲（Ｍａｘ  ΔＣＧｙ）、例えば、約３ｍｍより大き
い、約４ｍｍより大きい、約５ｍｍより大きい、約６ｍｍより大きい、約８ｍｍより大き
い、約１０ｍｍより大きい、約１２ｍｍより大きい、など、のＣＧｙ調節範囲（Ｍａｘ  
ΔＣＧｙ）が提供されよう。
【０２７８】
幾つかの実施形態では、ゴルフクラブヘッドは、ＣＧを原点ｘ方向及び原点ｙ方向に調
節できる相対量に関する制約を有するように構成されていてもよい。その様な制約は、最
大ＣＧｙ調節範囲（Ｍａｘ  ΔＣＧｙ）を最大ＣＧｘ調節範囲（Ｍａｘ  ΔＣＧｘ）で除
算したものと定義されていてもよい。幾つかの実施形態によれば、比（Ｍａｘ  ΔＣＧｙ
）／（Ｍａｘ  ΔＣＧｘ）の値は、０から約０．８の間である。具体的な実施形態では、
比（Ｍａｘ  ΔＣＧｙ）／（Ｍａｘ  ΔＣＧｘ）の値は、０から約０．５の間、又は０か
ら約０．２の間、又は０から約０．１５の間、又は０から約０．１０の間、又は０から約
０．０８の間、又は０から約０．０５の間、又は０から約０．０３の間、又は０から約０
．０１の間、である。
【０２７９】
幾つかの実施形態では、ゴルフクラブヘッドは上記制約の１つだけが適用されるように
構成されていてもよい。他の実施形態では、ゴルフクラブヘッドは、上記制約の２つ以上
が適用されるように構成されていてもよい。更に他の実施形態では、ゴルフクラブヘッド
は、上記制約全てが適用されるように構成されていてもよい。
【０２８０】
下表１５は、チャネル内に保定されている重り組立体を有するゴルフクラブヘッド９３
００、１２０００、及び１３０００の様々な特性を一覧にまとめている。
【０２８１】
【表３】
2020127845.tif 000007
【０２８２】
加えて、図４０は、重り組立体がクラブヘッド９３００、１２０００、ウィングレット
有りの１２０００、及び１３０００（フェアウェイ）のチャネル内での様々な位置を通し
て調節されてゆく際のＣＧのｘ軸及びｚ軸移動量を示している。
【０２８３】
示されている様に、クラブヘッド９３００では、ＣＧｘについての調節範囲は、ヒール
付近の５．８ｍｍからトゥ付近の０．５ｍｍまでであり、５．３ｍｍのＭａｘ  ΔＣＧｘ
が提供されている。加えて、ＣＧｚについての調節範囲は、ヒール付近の−１．１ｍｍか
らトゥ付近の−２．２ｍｍまでであり、１．１ｍｍのＭａｘ  ΔＣＧｚが提供されている
。更に、ＣＧｙについての調節範囲は２７．３ｍｍから２８．９ｍｍまでであり、１．６
ｍｍのＭａｘ  ΔＣＧｙが提供されている。
【０２８４】
示されている様に、クラブヘッド１２０００では、ＣＧｘについての調節範囲は、ヒー
ル付近の６．６ｍｍからトゥ付近の−０．７ｍｍまでであり、７．３ｍｍのＭａｘ  ΔＣ
Ｇｘが提供されている。加えて、ＣＧｚについての調節範囲は、ヒール付近の−２．３ｍ
ｍからトゥ付近の−３．５ｍｍまでであり、１．２ｍｍのＭａｘ  ΔＣＧｚが提供されて
いる。また、ＣＧｙについての調節範囲は２６．４ｍｍから２６．６ｍｍまでであり、０
．２ｍｍのＭａｘ  ΔＣＧｙが提供されている。
【０２８５】
示されている様に、ウィングレット有りのクラブヘッド１２０００では、ＣＧｘについ
ての調節範囲は、ヒール付近の５．８ｍｍからトゥ付近の−０．７ｍｍまでであり、６．
５ｍｍのＭａｘ  ΔＣＧｘが提供されている。加えて、ＣＧｚについての調節範囲は、ヒ
ール付近の−３．６ｍｍからトゥ付近の−４．０ｍｍまでであり、０．４ｍｍのＭａｘ  
ΔＣＧｚが提供されている。更に、ＣＧｙについての調節範囲は２５．３ｍｍから２５．
５ｍｍまでであり、０．２ｍｍのＭａｘ  ΔＣＧｙが提供されている。より軽い重りが使
用されている場合及び／又はチャネルがより短い場合には、Ｍａｘ  ΔＣＧｘは大凡５ｍ
ｍ、４ｍｍ、又は３ｍｍになることもあり得る。Ｍａｘ  ΔＣＧｘが３ｍｍ未満の場合に
は、チャネルの極位置間に実質的な性能差はない。同様に、より重い重りが使用されてい
る場合及び／又はチャネルがより小さい曲率半径を有している場合には、Ｍａｘ  ΔＣＧ
ｚは大凡２ｍｍ、１．５ｍｍ、１ｍｍ、又は０．５ｍｍになることもあり得る。
【０２８６】
示されている様に、クラブヘッド１２０００Ｃ−１２０００Ｆでは、ＣＧｘについての
調節範囲は、ヒール付近の６．９ｍｍからトゥ付近の０．６ｍｍまでであり、６．３ｍｍ
のＭａｘ  ΔＣＧｘが提供されている。加えて、ＣＧｚについての調節範囲は、ヒール付
近の−３．１ｍｍからトゥ付近の−３．７ｍｍまでであり、０．６ｍｍのＭａｘ  ΔＣＧ
ｚが提供されている。また、ＣＧｙについての調節範囲は３２．３ｍｍから２８ｍｍまで
であり、４．３ｍｍのＭａｘ  ΔＣＧｙが提供されている。より軽い重りが使用されてい
る場合又は重りポートがより近く寄り合っている場合には、Ｍａｘ  ΔＣＧｙは３ｍｍ、
又は２ｍｍにあることもあり得る。より重い重りが使用されている場合又は重りポートが
より遠く離間されている場合には、Ｍａｘ  ΔＣＧｙは５ｍｍ又は６ｍｍになることもあ
り得る。
【０２８７】
注目すべきことに、ウィングレット有り１２０００についてのＩｘｘ値及びＩｚｚ値を
追加の可動式重り有り１２０００に比較すると有意な改善を示している。Ｉｘｘは２２９
ｋｇ・ｍｍ２から３００ｋｇ・ｍｍ２へ改善され、Ｉｚｚは３６６ｋｇ・ｍｍ２から４４
０ｋｇ・ｍｍ２へ改善されている。
【０２８８】
示されている様に、クラブヘッド１３０００では、ＣＧｘについての調節範囲は、ヒー
ル付近の６．９ｍｍからトゥ付近の０．６ｍｍまでであり、６．３ｍｍのＭａｘ  ΔＣＧ
ｘが提供されている。加えて、ＣＧｚについての調節範囲は、ヒール付近の−３．１ｍｍ
からトゥ付近の−３．７ｍｍまでであり、０．６ｍｍのＭａｘ  ΔＣＧｚが提供されてい
る。また、ＣＧｙについての調節範囲は１３．３ｍｍから１３．３ｍｍまでであり、０．
０ｍｍのＭａｘ  ΔＣＧｙが提供されている。
【０２８９】
意外なことに、重り支承チャネルがクラブヘッド前部分に置かれていることは、ゴルフ
クラブ性能の予期せぬ相乗効果に繋がることがある。第１に、Δ１（デルタ１）が相対的
に小さいので、ダイナミックロフティングが低減され、それにより、距離を削りかねない
スピンが低減される。加えて、ＣＧの投影が中心フェースより下になるので、ギヤ効果が
ゴルフボールを付勢してＣＧ投影に向かって回転させ、即ち換言すると前方スピンで回転
させる。これにゴルフクラブヘッドのロフトがバックスピンを付与することによって対抗
する。全体としての効果は、相対的に低いスピンプロファイルである。しかしながら、Ｃ
Ｇはｚ軸に沿って測定して中心フェースより下（それにより理想的インパクト場所より下
）であるため、ゴルフボールはインパクト時により高く上がる傾向があろう。結果は、き
れいに打たれたショットでの高い打ち出しではあるがスピンのかかりがより低いゴルフシ
ョットであり、スピンによるエネルギー損失がより少ないおかげでより多い距離を有する
より優良なボール飛行（より高くよりソフトな着地）に繋がる。
【０２９０】
下表１６は、ゴルフクラブヘッド９３００のロボット試験時に取られた様々な測定値を
一覧にまとめている。ロボット試験では、３０ｇ重りをゴルフクラブヘッドのソールに沿
った５通りの異なる位置に位置付けし、次いでそれを使用して中心フェースで多くのショ
ットを叩かせた。図５８は、３０ｇ重りを５通りの位置Ｐ１−Ｐ５に配したゴルフクラブ
ヘッド９３００を示している。
【０２９１】
【表４】
2020127845.tif 000008
【０２９２】
表１６から分かる様に、３０ｇ重りの前から後ろへの移動は、デルタ１の９ｍｍ増加及
びｒｐｍの８００ｒｐｍ超の増加を生じさせた。これは、結果的にボール速力の約５ｍｐ
ｈの低下及び予測飛距離の約２０ヤードの損失を生じさせた。加えて、最も長い予測飛距
離のショットは、３０ｇ重りが前方位置にあるときに起こった。注目すべきことに、ＣＧ
ｘはヒール位置からトゥ位置に向けて約９ｍｍ動いており、当該範囲に亘ってのＣＧｚの
変化は約２．５ｍｍ未満であった。
【０２９３】
重要なことに、Ｉｚｚ及びＩｘｘは、それぞれ、重りをクラブの前から後へ動かすこと
によって約１００ｋｇ・ｍｍ２増加した。しかしながら、これがより「寛容性のある」位
置であるにも関わらず、予測飛距離は、恐らくはスピン増加とボール速力低下が原因で、
最も短かった。
【０２９４】
表１６に示されている様に、３０ｇ重りを有するクラブヘッド９３００では、ＣＧｘに
ついての調節範囲は、ヒール付近の６．３ｍｍからトゥ付近の−２．５ｍｍまでであり、
８．８ｍｍのＭａｘ  ΔＣＧｘが提供されている。加えて、ＣＧｚについての調節範囲は
、ヒール付近の−１ｍｍから中心付近の−３．５ｍｍまでであり、２．５ｍｍのＭａｘ  
ΔＣＧｚが提供されている。更に、ＣＧｙについての調節範囲は２７．４ｍｍから３６．
４ｍｍまでであり、９ｍｍのＭａｘ  ΔＣＧｙが提供されている。より軽い重りが使用さ
れている場合又はチャネルがより短い場合には、Ｍａｘ  ΔＣＧｘは大凡５ｍｍ、４ｍｍ
、又は３ｍｍになることもあり得る。Ｍａｘ  ΔＣＧｘが３ｍｍ未満である場合には、チ
ャネルの極位置間に実質的な性能差はない。同様に、より重い重りが使用されている場合
又はチャネルがより小さい曲率半径を有している場合には、Ｍａｘ  ΔＣＧｚは大凡４ｍ
ｍ、３ｍｍ、２ｍｍ、１．５ｍｍ、１ｍｍ、又は０．５ｍｍになることもあり得る。
【０２９５】
下表１７は、１５ｇ重りを前トラックにそして１５ｇ重りを後トラックに使用している
ゴルフクラブヘッド１８０００についての様々なパラメータを一覧にまとめている。図５
９は、１５ｇの重りを５通りの位置Ｐ１−Ｐ５に配したゴルフクラブヘッド１８０００を
示している。
【０２９６】
【表５】
2020127845.tif 000009
【０２９７】
表１７から分かる様に、１５ｇ重りの位置１−位置３（前）から位置５（後）までの移
動は、結果としてデルタ１の約４．３ｍｍの増加をもたらし、これは、ダイナミックロフ
ティングとＣＧｚの変化の組合せに因る予想ｒｐｍの約３５０ｒｐｍの増加となるはずで
ある。注目すべきことに、ＣＧｘは、位置１（トゥ）から位置３（ヒール）へ約４．４ｍ
ｍ移動しており、当該範囲に亘るＣＧｚの変化は約０．７ｍｍより少ない。
【０２９８】
重要なことに、Ｉｚｚ及びＩｘｘのは、それぞれ、後方トラックの１５ｇの重りを位置
１−位置３（前）から位置５（後）へ動かすことによって約６０ｋｇ・ｍｍ２増加する。
位置４及び位置５では、クラブはより「寛容性」があると考えられよう。しかしながら、
このクラブは、位置４及び位置５に重りを有するクラブ９３００と比べると、「寛容性」
が僅かに劣る。とはいえ、寛容性は、結果としてクラブ９３００のロボット試験から表１
６に取得されたデータによって証明されている様に、距離をもたらさない。従って、この
クラブは、位置４及び位置５で、クラブ９３００と比べて、フェース上のより低いＣＧ投
影（５．３ｖｓ２．６）及びより小さいデルタ１値（２１．１ｖｓ１７．１）に因り、よ
り高い効果を上げるものと予想される。
【０２９９】
表１７に示されている様に、１５ｇ重り２つを有するクラブヘッド１８０００では、Ｃ
Ｇｘについての調節範囲は、ヒール付近の５．７４ｍｍからトゥ付近の１．３５ｍｍまで
であり、４．４ｍｍのＭａｘ  ΔＣＧｘが提供されている。加えて、ＣＧｚについての調
節範囲は、ヒール付近の−３．８１ｍｍから中心付近の−４．５３ｍｍまでであり、０．
７ｍｍのＭａｘ  ΔＣＧｚが提供されている。また、ＣＧｙについての調節範囲は２８．
４ｍｍから３２．８ｍｍまでであり、４．４ｍｍのＭａｘ  ΔＣＧｙが提供されている。
より軽い重りが使用される場合又はチャネルがより短い場合には、Ｍａｘ  ΔＣＧｘは大
凡５ｍｍ、４ｍｍ、又は３ｍｍとなることもあり得る。Ｍａｘ  ΔＣＧｘが３ｍｍ未満で
ある場合には、チャネルの極位置間には実質的な性能差はない。同様に、より重い重りが
使用されている場合又はチャネルがより小さい曲率半径を有している場合には、Ｍａｘ  
ΔＣＧｚは大凡３ｍｍ、２ｍｍ、１．５ｍｍ、１ｍｍ、又は０．５ｍｍとなることもあり
得る。
【０３００】
追加の詳細事項
以下は、以上に論じられている実施形態の中へ組み入れることのできる又は既に組み入
れられている構造についての追加の詳細である。幾つかの事例では、次に続く論考はより
深く掘り下げられた論考を提供している。以下に説明されている特徴は以上に論じられて
いる実施形態と両立可能であるものと理解されたい。例えば、以上に論じられている実施
形態のそれぞれは、以下に論じられているライ／ロフト調節可能接続組立体を含んでいて
もよいし、含んでいなくてもよい。加えて、以上に論じられている実施形態のそれぞれは
、以下に論じられている複合フェース挿入部を含んでいてもよいし、含んでいなくてもよ
い。
【０３０１】
ライ／ロフト調節可能接続組立体
ここでの使用に際し、クラブヘッドへ「取り外し可能に取り付けられ」ているシャフト
とは、接着剤を使わずにねじ又はねじの切られたフェルールの様な１つ又はそれ以上の機
械的締結具を使ってシャフトをクラブヘッドへ接続することができ、２つの構成要素の間
の接着結合を破壊する必要無しに１つ又はそれ以上の機械的締結具を緩めるか又は取り外
すことによってシャフトをヘッドから切り離す又は分離することができることを意味する
。
【０３０２】
図１Ａは、シャフトロフト及び／又はクラブのライ角をヘッドに対して変えるように様
々な位置で支持できる取り外し可能なシャフトを有するゴルフクラブ組立体の或る実施形
態を示している。組立体は、ホーゼル開口部３００４を画定するホーゼル３００２を有す
るクラブヘッド３０００を備えている。ホーゼル開口部３００４は、シャフトスリーブ３
００６を受け入れる寸法であり、シャフトスリーブ自体はシャフト３００８の下端部分へ
固定されている。シャフトスリーブ３００６は、シャフト３００８の下端部分に、接着剤
結着されるか、溶接されるか、又は同等様式で固定されている。別の実施形態では、シャ
フトスリーブ３００６はシャフト３００８と一体に形成されている。示されている様に、
フェルール３０１０がシャフトのシャフトスリーブ３００６のすぐ上側に配置されていて
、シャフトスリーブとシャフト３００８の外面の間の移行部片を提供していてもよい。
【０３０３】
ホーゼル開口部３００４は、更に、ホーゼル挿入部２００を受け入れるようになってお
り、同挿入部はクラブヘッド内部の環状肩部３０１２上に位置付けることができる。ホー
ゼル挿入部２００は、溶接、接着剤、又は他の適した技法によって、その場に固定するこ
とができる。代わりに、挿入部は、ホーゼル開口部に一体に形成されていてもよい。クラ
ブヘッド３０００は、更に、ねじ４００を受け入れる大きさの開口部３０１４を、クラブ
ヘッドの底又はソールに含んでいる。ねじ４００は、開口部３０１４の中へ挿入され、肩
部３０１２内の開口部を通して、シャフトスリーブ３００６の中へ締め付けられ、シャフ
トをクラブヘッドへ固定する。加えて、シャフトスリーブ３００６は、所望のシャフトロ
フト及び／又はライ角を実現するようにシャフトをクラブヘッドに対して異なった位置に
支持するように構成されている。
【０３０４】
所望の場合、例えばＯリング又はワッシャ３０３６などの形態をしているねじ捕捉装置
をねじ４００の肩部３０１２より上の軸に設置して、シャフトをクラブヘッドから取り外
せるようにねじを緩めたときにねじがクラブヘッド内でその場に保定されるようにしても
よい。リング３０３６は、ねじのねじ部に摩擦係合する寸法であり、リング３０３６が開
口部を抜けて落下することの無いように、肩部３０１２の中央開口部より大きい外径を有
しているのが望ましい。図１Ａに描かれている様に、シャフトをクラブヘッドに固定する
ためにねじ４００が締められたとき、リング３０３６が、肩部３０１２とシャフトスリー
ブ３００６の隣接する下面の間で圧縮されないようになっているのが望ましい。図１Ｂは
、シャフトをクラブヘッドから取り外せるようにするため、ねじ４００がシャフトスリー
ブ３００６から取り外された状態を示している。示されている様に、分解された状態では
、リング３０３６は、ねじの遠位端を捕捉して、ねじをクラブヘッド内に保定し、ねじの
紛失を防いでいる。リング３０３６は、ゴム、ヴァイトン、ネオプレン、シリコン、又は
類似材料の様な、ポリマー又はエラストマー材料を備えているのが望ましい。リング３０
３６は、例示されている実施形態に描かれている円形断面形状を有するＯリングであって
もよい。代わりに、リング３０３６は、方形又は矩形の断面形状を有する平ワッシャであ
ってもよい。他の実施形態では、リング３０３６は、他の様々な断面外形をしていてもよ
い。
【０３０５】
シャフトスリーブ３００６は、図４４−図４７に更に詳細に示されている。例示されて
いる実施形態のシャフトスリーブ３００６は、シャフトの下端部分を受け入れるための上
側開口部３０１８を有する上側部分３０１６と、シャフトの下端部分より下側に位置する
下側部分３０２０と、を備えている。下側部分３０２０は、ねじ４００のねじの切られた
軸部を受け入れるための、ねじの切られた開口部３０３４を有している。スリーブの下側
部分３０２０は、シャフトとクラブヘッドの間の相対回転を制限するため、ホーゼル挿入
部２００の回転防止部分と噛み合うように構成されている回転防止部分を備えていてもよ
い。示されている様に、回転防止部分は、ホーゼル挿入部２００の対応する内スプライン
２４０と噛み合うように適合されている複数の長手方向に延びる外スプライン５００を備
えていてもよい。
【０３０６】
スリーブの上側部分３０１６は下側部分３０２０に対してオフセット角３０２２で延び
ている。図４３に示されている様に、クラブヘッド内に挿入されたとき、下側部分３０２
０はホーゼル挿入部２００及びホーゼル開口部３００４と同軸に整列し、共同で、長手方
向軸Ｂを画定する。シャフトスリーブ３００６の上側部分３０１６は、長手方向軸Ａを画
定しており、シャフト３００８を、長手方向軸Ｂからオフセット角３０２２だけずれた軸
Ａに沿って支持するのに有効である。シャフトスリーブを、ホーゼル挿入部に対して異な
る角度位置で挿入することには、シャフトロフト及び／又はライ角を調節するのに有効で
あり、これについては以下に更に詳しく説明する。
【０３０７】
図５に最も分かり易く示されている様に、シャフトスリーブの上側部分３０１６は、開
口部３０１８の下端からシャフトスリーブの上端まで一定した壁厚さを有しているのが望
ましい。テーパの付けられた面部分３０２６が、上側部分３０１６と下側部分３０２０の
間を延びている。シャフトスリーブの上側部分３０１６は、ホーゼル３００２の上面３０
３２（図４３）に接触する環状支承面３０３０を画定する拡大頭部分３０２８を有してい
る。支承面３０３０は、シャフトスリーブがホーゼルの中へ挿入されたとき、支承面３０
３０がホーゼルの相対する面３０３２と全３６０度に亘って完全に接触することができる
ように、長手方向軸Ｂに対して９０度の角度に向き付けられているのが望ましい。
【０３０８】
図４３に更に示されている様に、ホーゼル開口部３００４は、スリーブの上側部分３０
１６の外面とクラブヘッドの相対する内面の間にギャップ３０２４が形成される寸法であ
るのが望ましい。上側部分３０１６はホーゼル開口部の周囲の内側の面と同軸に整列して
いないので、ギャップ３０２４は、下側部分が長手方向軸Ｂに対して各実施可能角度位置
でホーゼル挿入部の中まで延びた状態でシャフトスリーブをホーゼル開口部に挿入するこ
とができるように十分に大きいことが望ましい。例えば、例示されている実施形態では、
シャフトスリーブは、ホーゼル挿入部２００の８つの内スプライン２４０の間に受け入れ
られる８つの外スプライン５００を有している。
【０３０９】
シャフトスリーブにとっての長手方向軸Ｂに対する多数の実施可能角度位置を変えるの
に他のシャフトスリーブとホーゼル挿入部構成を使用することもできる。例えば、図４８
及び図４９は、シャフトスリーブ３００６がホーゼル挿入部２００の等間隔に離間された
８つのスプライン２４０の間に受け入れられる半径方向側壁５０２を有する等間隔に離間
された８つのスプライン５００を有している代わりのシャフトスリーブ及びホーゼル挿入
部の構成を示している。各スプライン５００は、隣接のスプラインから、幅Ｗ２を有する
ホーゼル挿入部のスプライン２４０を受け入れる寸法に設定された間隔Ｓ１だけ離して配
置されている。これにより、シャフトスリーブの下側部分３０２０を、ホーゼル挿入部２
００の中へ、長手方向軸Ｂ周りに角度を空けて配置されている８つの位置で挿入すること
ができるようになる。或る特定の実施形態では、間隔Ｓ１は約２３度であり、各スプライ
ン５００の円弧角は約２２度であり、幅Ｗ２は約２２．５度である。
【０３１０】
図５０及び図５１は、シャフトスリーブ及びホーゼル挿入部の構成の別の実施形態を示
している。図５０及び図５１の実施形態では、シャフトスリーブ３００６（図８）は、ス
プラインからスプラインまでの間隔Ｓ１とＳ２が交互になるように離間されている８つの
スプライン５００を有しており、ここに、Ｓ２はＳ１より大きい。各スプラインは、先に
半径方向側壁について説明されているのと同じ利点をもたらす半径方向側壁５０２を有し
ている。同様に、ホーゼル挿入部２００（図９）は、スプライン間隔Ｓ１とＳ２よりそれ
ぞれ僅かに小さい幅Ｗ２とＷ３が交互になるように配置された８つのスプライン２４０を
有していて、幅Ｗ２の各スプライン２４０がシャフトスリーブの間隔Ｓ１内に受け入れら
れ、幅Ｗ３の各スプライン２４０がシャフトスリーブの間隔Ｓ２内に受け入れられるよう
にしている。これにより、シャフトスリーブの下側部分３０２０を、ホーゼル挿入部２０
０の中へ、長手方向軸Ｂ周りに角度を空けて配置されている４つの位置で挿入できるよう
になる。或る特定の実施形態では、間隔Ｓ１は約１９．５度、間隔Ｓ２は約２９．５度、
各スプライン５００の円弧角は約２０．５度、幅Ｗ２は約１９度、幅Ｗ３は約２９度であ
る。加えて、使用するシャフトスリーブ側のスプライン及びホーゼル挿入部側の噛み合い
相手のスプラインの数を多くするなり少なくするなりして、シャフトスリーブにとっての
実行可能位置の数を増やすなり減らすなりすることができる。
【０３１１】
理解される様に、図４３−図５１に示されている組立体は、シャフトロフト及び／又は
ライ角を変えるために、シャフトがクラブヘッドに対して異なった向き付けに支持される
ことを可能にするという点で同じである。図４３−図５１の組立体の利点は、部品数がよ
り少なく、従って製造するのに費用が少なくてすみ質量が抑えられる（全体重量の軽減化
を可能にさせる）ことである。
【０３１２】
図１０は、図１Ａに示されている実施形態と類似のゴルフクラブ組立体の別の実施形態
を示している。図１０の実施形態は、ホーゼル開口部３０５４を画定しているホーゼル３
０５２を有するクラブヘッド３０５０を含んでおり、ホーゼル開口部自体はホーゼル挿入
部２００を受け入れるように適合されている。ホーゼル開口部３０５４は、更に、ここに
記載されているシャフト（図１０には図示せず）の下端部分に取り付けられているシャフ
トスリーブ３０５６を受け入れるように適合されている。
【０３１３】
シャフトスリーブ３０５６は、ホーゼル挿入部２００のスプラインと噛み合うスプライ
ンを含んでいる下側部分３０５８と、中間部分３０６０と、上側頭部分３０６２と、を有
している。中間部分３０６０と頭部分３０６２は、シャフトの先端部分を受け入れるため
の内穴３０６４を画定している。例示されている実施形態では、シャフトスリーブの中間
部分３０６０は、ホーゼル開口部３０５４の内側円筒面と同心である円筒状の外面を有し
ている。このやり方では、シャフトスリーブの下側及び中間の部分３０５８、３０６０と
ホーゼル開口部３０５４とで、長手方向軸Ｂを画定している。シャフトスリーブの穴３０
６４は、長手方向軸Ａを画定しており、シャフトが、軸Ｂから穴３０６４によって決まる
所定の角度３０６６だけずれた軸Ａに沿って支持されるようにしている。ここに説明され
ている様に、シャフトスリーブ３０５６を、ホーゼル挿入部２００に対して異なる角度位
置で挿入することは、シャフトロフト及び／又はライ角を調節するのに有効である。
【０３１４】
この実施形態では、中間部分３０６０はホーゼル開口部３０５４と同心なので、図１０
に描かれているように、中間部３０６０の外面はホーゼル開口部の隣接する面に接触する
ことができる。これにより、シャフト装着時の組立体の噛み合い機構を容易に整列させる
ことができ、更には製造プロセス及び効率を改善することができる。図１１及び図１２は
、シャフトスリーブ３０５６の拡大図である。示されている様に、シャフトスリーブの頭
部分３０６２（ホーゼル３０５２より上側に延びている部分）を中間部分３０６０に対し
て角度３０６６だけ傾斜させ、シャフトと頭部分３０６２が共に軸Ａに沿って整列するよ
うにすることができる。代わりの実施形態では、頭部分３０６２は、中間部分３０６０及
び下側部分３０５８と平行になるように、軸Ｂに沿って整列させることができる。
【０３１５】
材料
本明細書に開示されているヘッド対シャフト接続組立体の構成要素は、各種の適した金
属、合金、ポリマー、複合材、又はそれらの各種組合せの何れから形成されていてもよい
。
【０３１６】
以上に記されているものに加え、接続組立体の構成要素を形成するのに使用することが
できる金属及び合金の幾つかの例として、限定するわけではないが、炭素鋼（例えば、１
０２０又は８６２０炭素鋼）、ステンレス鋼（例えば、３０４又は４１０ステンレス鋼）
、ＰＨ（析出硬化性）合金（例えば、１７−４、Ｃ４５０、又はＣ４５５合金）、チタン
合金（例えば、３−２．５、６−４、ＳＰ７００、１５−３−３−３、１０−２−３、又
は他のアルファ／ニアアルファ、アルファ−ベータ、及びベータ／ニアベータチタン合金
）、アルミニウム／アルミニウム合金（例えば、３０００シリーズ合金、５０００シリー
ズ合金、６０６１−Ｔ６の様な６０００シリーズ合金、７０７５の様な７０００シリーズ
合金）、マグネシウム合金、銅合金、及びニッケル合金が挙げられる。
【０３１７】
構成要素を形成するのに使用することができる複合材の幾つかの例として、限定するわ
けではないが、ガラス繊維強化ポリマー（ＧＦＲＰ）、炭素繊維強化ポリマー（ＣＦＲＰ
）、金属マトリクス複合材（ＭＭＣ）、セラミックマトリクス複合材（ＣＭＣ）、及び天
然複合材（例えば、複合木材）が挙げられる。
【０３１８】
構成要素を形成するのに用いられるポリマーの幾つかの例として、限定するわけではな
いが、熱可塑性材料（例えば、ポリエチレン、ポリプロピレン、ポリスチレン、アクリル
、ＰＶＣ、ＡＢＳ、ポリカーボネート、ポリウレタン、ポリフェニレンオキシド（ＰＰＯ
）、ポリフェニレンスルフィド（ＰＰＳ）、ポリエーテルブロックアミド、ナイロン、及
びエンジニアリング熱可塑性プラスチック）、熱硬化性材料（例えば、ポリウレタン、エ
ポキシ、及びポリエステル）、コポリマー、及びエラストマー（例えば、天然又は合成ゴ
ム、ＥＰＤＭ、及びＴｆｌｏｎ（登録商標））が挙げられる。
【０３１９】
質量特性
ゴルフクラブヘッドは、本体と重りポートと重りとの組み合わされた質量と定義される
ヘッド質量を有している。総重り質量は、ゴルフクラブヘッドへ装着された単数又は複数
の重りの組み合わされた質量である。総重りポート質量は、重りポートとリブの様な何ら
かの重りポート支持構造の組み合わされた質量である。
【０３２０】
１つの実施形態では、後部重り６３０４は、約１５グラムから約２０グラムの間にある
最も重い重りである。一部の特定の実施形態では、より軽い重りは、約１グラムから約６
グラムとすることができる。１つの実施形態では、１６ｇの重い重り１つと１ｇのより軽
い重り２つが好適とされる。
【０３２１】
幾つかの実施形態では、ゴルフクラブヘッドには、約１ｇから約１２ｇの間の総重りポ
ート質量を有する３つの重りポートが設けられている。一部の特定の実施形態では、リブ
無しの重りポート質量は、約９ｇの組み合わされた重りポート質量となるように約３ｇで
ある。幾つかの実施形態では、リブ有りでの総重りポート質量は、約１５グラムから約１
８ｇの組み合わされた重りポート質量になるように約５ｇから約６ｇである。
【０３２２】
体積特性
本願のゴルフクラブヘッドは、クラブヘッド本体の体積的押し退け量に等しい体積を有
している。幾つかの実施形態では、本願のゴルフクラブヘッドは、約１１０ｃｍ３から約
６００ｃｍ３の間のヘッド体積を有するように構成することができる。より具体的な実施
形態では、ヘッド体積は、約２５０ｃｍ３から約５００ｃｍ３の間、４００ｃｍ３から約
５００ｃｍ３の間、３９０ｃｍ３から約４２０ｃｍ３の間、又は約４２０ｃｍ３から４７
５ｃｍ３の間、である。１つの例示としての実施形態では、ヘッド体積は、約３９０乃至
約４１０ｃｍ３である。
【０３２３】
慣性モーメント及びＣＧ場所
ゴルフクラブヘッド慣性モーメントは、ゴルフクラブヘッドＣＧを通って延びる軸を中
心に定義される。ここでの使用に際し、ゴルフクラブヘッドＣＧ場所は、ゴルフクラブヘ
ッド原点座標系上のその位置を参照して提供されるものである。ゴルフクラブヘッド原点
は、フェース板上の大凡の幾何学的中心に、即ちフェース板の高さと幅の中点の交わる所
に位置付けられている。
【０３２４】
ヘッド原点座標系は、ｘ軸とｙ軸を含んでいる。原点ｘ軸は、ヘッドが理想的に位置付
けされているとき、フェース板に対し接線方向に概して地面に平行に延びており、正のｘ
軸は原点からゴルフクラブヘッドのヒールに向かって延び、負のｘ軸は原点からゴルフク
ラブヘッドのトゥへ延びている。原点ｙ軸は、ヘッドが理想的に位置付けられたとき、概
して原点ｘ軸に直角に地面に平行に延びており、正のｙ軸はヘッド原点からゴルフクラブ
の後部分に向かって延びている。ヘッド原点は、更に、原点ｘ軸及び原点ｙ軸に直角に延
びている原点ｚ軸を含むものであって、正のｚ軸は原点からゴルクラブヘッドの最上部分
へ向かって延び、負のｚ軸は原点からゴルフクラブヘッドの底部分に向かって延びている
。
【０３２５】
幾つかの実施形態では、ゴルフクラブヘッドは、約−１０ｍｍから約１０ｍｍの間のヘ
ッド原点ｘ軸（ＣＧｘ）座標と約１５ｍｍより大きいか又は約５０ｍｍより小さいヘッド
原点ｙ軸（ＣＧｙ）座標を有するＣＧを有している。一部の特定の実施形態では、クラブ
ヘッドは、約−５ｍｍから約５ｍｍの間の原点ｘ軸座標と、約０ｍｍより大きい原点ｙ軸
座標と、約０ｍｍより小さい原点ｚ軸（ＣＧｚ）座標と、を有するＣＧを有している。
【０３２６】
より厳密には、特定の構成を有するゴルフクラブヘッドの具体的な実施形態では、ゴル
フクラブヘッドは、下表８に近似表示されている座標を有するＣＧを有している。表８の
ゴルフクラブヘッドは、３つの重りポートと３つの重りを有している。構成１では、最も
重い重りは、最も後ろ即ち後部重りポートに設置されている。最も重い重りは構成２では
ヒール重りポートに設置されており、最も重い重りは構成３ではトゥ重りポートに設置さ
れている。
【０３２７】
【表６】
2020127845.tif 000010
【０３２８】
表８は、可動式重りを動かすことによって可能となり得るＣＧ変化量を強調している。
１つの実施形態では、ここに説明されている実施可能なロフト角、ライ角、及びフェース
角の調節を相殺するか又は強化するうえで有意な性能変化を作り出すのに十分に大きいＣ
Ｇ変化を実現するために、可動式重り変化はｘ方向（ヒール−トゥ）方向に約２ｍｍから
約１０ｍｍの間のＣＧ変化を提供する。ＣＧの実質的変化は、異なった重りポートの間で
動かされる重りの差を大きくし、ＣＧ変化を実現するように十分に間隔を空けて重りポー
トを離間させることによって、達成される。一部の特定の実施形態では、ＣＧは、０より
小さいＣＧｚの中心フェースより下に位置している。ＣＧｘは、約−２ｍｍ（トゥ寄り）
から８ｍｍ（ヒール寄り）の間であり、或いはなおいっそう好適には、約０ｍｍから約６
ｍｍの間である。また、ＣＧｙは、約２５ｍｍから約４０ｍｍの間（中心フェースの後部
）とすることができる。
【０３２９】
ゴルフクラブヘッドの慣性モーメントは、原点が重心ＣＧに置かれていることを別にす
れば原点座標系と同様の軸であるＣＧｘ軸、ＣＧｙ軸、及びＣＧｚ軸を中心に測定される
。
【０３３０】
一部の特定の実施形態では、本発明のゴルフクラブヘッドは、約７０ｋｇ・ｍｍ２から
約４００ｋｇ・ｍｍ２の間のゴルクラブヘッドＣＧｘ軸周り慣性モーメント（Ｉｘｘ）を
有することができる。より厳密には、一部の特定の実施形態は、約２００ｋｇ・ｍｍ２か
ら約３００ｋｇ・ｍｍ２の間又は約２００ｋｇ・ｍｍ２から約５００ｋｇ・ｍｍ２の間の
ＣＧｘ軸周り慣性モーメントを有している。
【０３３１】
幾つかの実施形態では、本発明のゴルフクラブヘッドは、約２００ｋｇ・ｍｍ２から約
６００ｋｇ・ｍｍ２の間のゴルクラブヘッドＣＧｚ軸周り慣性モーメント（Ｉｚｚ）を有
することができる。より厳密には、一部の特定の実施形態は、約４００ｋｇ・ｍｍ２から
約５００ｋｇ・ｍｍ２の間又は約３５０ｋｇ・ｍｍ２から約６００ｋｇ・ｍｍ２の間のＣ
Ｇｚ軸周り慣性モーメントを有している。
【０３３２】
幾つかの実施形態では、本発明のゴルフクラブヘッドは、約２００ｋｇ・ｍｍ２から約
４００ｋｇ・ｍｍ２の間のゴルクラブヘッドＣＧｙ軸周り慣性モーメント（Ｉｙｙ）を有
することができる。一部の特定の実施形態では、ゴルフクラブヘッドＣＧｙ軸周り慣性モ
ーメントは、約２５０ｋｇ・ｍｍ２から約３５０ｋｇ・ｍｍ２の間である。
【０３３３】
慣性モーメントは、下表９に示されている様に最も重い可動式重りの場所に依存して変
化することになる。ここでもやはり、構成１では、最も重い重りは、最も後ろ即ち後部重
りポートに設置されている。最も重い重りは構成２ではヒール重りポートに設置されてお
り、最も重い重りは構成３ではトゥ重りポートに設置されている。
【０３３４】
【表７】
2020127845.tif 000011
【０３３５】
薄壁構造
本願のゴルフクラブヘッドの幾つかの実施形態によれば、ゴルフクラブヘッドは薄壁構
造を有している。薄壁構造は、他にも利点はあるが中でもとりわけ、クラブヘッドの一部
分からクラブヘッドの別の部分への材料の再配分を実現し易くする。再配分される材料は
或る特定の質量を有しているので、当該材料をゴルフクラブヘッドの例えばＣＧ位置や慣
性モーメントの大きさの様な質量配分に関係のある性能パラメータを強化する場所に再配
分することができる。クラブヘッドの構造的完全性に影響すること無しに再配分できるク
ラブヘッド材料は、一般に、裁量的重量と呼ばれている。本発明の幾つかの実施形態では
、薄壁構造は、裁量的重量を、打球板、クラウン、スカート、又はソール、のうちの１つ
又は組合せから取り去って、重りポート及び対応する重りの形態で再配分させることを可
能にする。
【０３３６】
薄壁構造は、薄いソール構造、即ち約０．９ｍｍより小さいが約０．４ｍｍより大きい
厚さをソール表面積の少なくとも約５０％に亘って有するソール、及び／又は薄いスカー
ト構造、即ち約０．８ｍｍより小さいが約０．４ｍｍより大きい厚さをスカート表面積の
少なくとも約５０％に亘って有するスカート、及び／又は薄いクラウン構造、即ち約０．
８ｍｍより小さいが約０．４ｍｍより大きい厚さをクラウン表面積の少なくとも約５０％
に亘って有するクラウン、を含むことができる。１つの実施形態では、クラブヘッドは、
チタンで作られており、所望のＣＧ位置を実現するのに十分な重量を空けるために、０．
６５ｍｍより小さい厚さをクラウンの少なくとも５０％に亘って有している。
【０３３７】
より厳密には、薄いソール構造と少なくとも１つの重り及び少なくとも２つの重りポー
トを有するゴルフクラブの一部の特定の実施形態では、ソール、クラウン、及びスカート
は、それぞれ、各々の表面の少なくとも約５０％に亘って、約０．４ｍｍから約０．９ｍ
ｍの間、約０．８ｍｍから約０．９ｍｍの間、約０．７ｍｍから約０．８ｍｍの間、約０
．６ｍｍから約０．７ｍｍの間、又は約０．６ｍｍ未満、の厚さを持つことができる。薄
いスカート構造を有するゴルフクラブの或る具体的な実施形態によれば、スカート表面積
の少なくとも約５０％に亘るスカート厚さは、約０．４ｍｍから約０．８ｍｍの間、約０
．６ｍｍから約０．７ｍｍの間、又は約０．６ｍｍ未満、とすることができる。
【０３３８】
薄壁構造は、下の式（数式５）、即ち、
【０３３９】
【数３】
2020127845.tif 000012
【０３４０】
によって定義されている面積重量に従って記述することができる。
【０３４１】
上の式では、ＡＷは面積重量、ρは密度、ｔは材料の厚さ、と定義されている。１つの
例示としての実施形態では、ゴルクラブヘッドは、約４．５ｇ／ｃｍ３又はそれより小さ
い密度ρを有する材料で作られている。１つの実施形態では、クラウン又はソール部分の
厚さは、約０．０４ｃｍから約０．０９ｃｍの間である。従って、クラウン又はソール部
分の面積重量は、約０．１８ｇ／ｃｍ２から約０．４１ｇ／ｃｍ２の間である。幾つかの
実施形態では、クラウン又はソール部分の面積重量は、クラウン又はソール表面積の少な
くとも約５０％に亘って、０．４１ｇ／ｃｍ２より小さい。他の実施形態では、クラウン
又はソールの面積重量は、クラウン又はソール表面積全体の少なくとも約５０％に亘って
約０．３６ｇ／ｃｍ２より小さい。
【０３４２】
一部の特定の実施形態では、薄壁構造は、米国特許出願第１１／８７０，９１３号及び
米国特許第７，１８６，１９０号に従って実施されており、当該特許出願及び特許を参考
文献としてここにそっくりそのまま援用する。
【０３４３】
可変厚さのフェース板
幾つかの実施形態によれば、ゴルフクラブヘッドフェース板は、可変厚さのフェース板
を含むことができる。フェース板の厚さを変えることは、一般にはゴルフクラブヘッドの
スイートスポットと呼ばれるクラブヘッドＣＯＲゾーンの大きさを増加させ、ゴルフクラ
ブヘッドでゴルフボールを打ったときにフェース板のより広い面積が一貫して高いゴルフ
ボール速度とショット寛容性を叶えられるようにする。更に、フェース板の厚さを変化さ
せることは、クラブヘッドの別の区域への再割り付けのためにフェース領域の重量を削減
する上で好都合であろう。
【０３４４】
図１３Ａ及び図１３Ｂに例示されているゴルクラブヘッドの１つの実施形態による可変
厚さのフェース板６５００は、ゴルフクラブヘッドの後部分に向けて内部キャビティの中
へ延びる略円形の突出部６５０２を含んでいる。図１３Ａに示されている断面で見たとき
に、突出部６５０２は、フェース板６５００の外側部分６５０８から中間部分６５０４に
向けて厚さが増加してゆく部分を含んでいる。突出部６５０２は、更に、中間部分６５０
４から好適にはゴルフクラブヘッド原点に近接する突出部中央にほぼ位置する内側部分６
５０６に向けて厚さが減少してゆく部分を含んでいる。原点ｘ軸６５１２と原点ｚ軸６５
１０は、ｘ−ｚ平面を横切って内側部分６５０６付近で交わっている。また一方で、原点
ｘ軸６５１２、原点ｚ軸６５１０、及び原点ｙ軸６５１４は、フェース板の打面に位置す
る理想インパクト位置６５０１を通っている。一部の特定の実施形態では、内側部分６５
０６は、ｘ−ｚ平面に関して理想インパクト位置と整列している。
【０３４５】
突出部の有るフェース板を有するゴルフクラブヘッドの幾つかの実施形態では、最大フ
ェース板厚さは約４．８ｍｍより大きく、最小フェース板厚さは約２．３ｍｍより小さい
。一部の特定の実施形態では、最大フェース板厚さは約５ｍｍから約５．４ｍｍの間で、
最小フェース板厚さは約１．８ｍｍから約２．２ｍｍの間である。一部のなおいっそう特
定的な実施形態では、最大フェース板厚さは約５．２ｍｍで、最小フェース板厚さは約２
ｍｍである。フェース厚さは、重量を節約すると共に中心外れの当たりでのより高いボー
ル速力を実現するためには、フェースに亘って少なくとも２５％の厚さ変化（最厚肉部と
最薄肉部を比較）を有していなくてはならない。
【０３４６】
突出部の有るフェース板と薄いソール構造及び薄いスカート構造を有するゴルフクラブ
ヘッドの幾つかの実施形態では、最大フェース板厚さは約３．０ｍｍより大きく、最小フ
ェース板厚さは約３．０ｍｍより小さい。一部の特定の実施形態では、最大フェース板厚
さは、約３．０ｍｍから約４．０ｍｍの間、約４．０ｍｍから約５．０ｍｍの間、約５．
０ｍｍから約６．０ｍｍの間であるか、又は約６．０ｍｍより大きく、最小フェース板厚
さは、約２．５ｍｍから約３．０ｍｍの間、約２．０ｍｍから約２．５ｍｍの間、約１．
５ｍｍから約２．０ｍｍの間であるか、又は約１．５ｍｍより小さい。
【０３４７】
一部の特定の実施形態では、可変厚さフェース外形は、米国特許出願第１２／００６，
０６０号、米国特許第６，９９７，８２０号、同第６，８００，０３８号、及び同第６，
８２４，４７５号に従って実施されており、当該特許出願及び特許をここに参考文献とし
てそっくりそのまま援用する。
【０３４８】
重りポート間距離
少なくとも２つの重りポートを有するゴルフクラブヘッドの幾つかの実施形態では、第
１重りポートと第２重りポートの間の距離は、約５ｍｍから約２００ｍｍの間である。よ
り具体的な実施形態では、第１重りポートと第２重りポートの間の距離は、約５ｍｍから
約１００ｍｍの間、約５０ｍｍから約１００ｍｍの間、又は約７０ｍｍから約９０ｍｍの
間である。幾つかの具体的な実施形態では、第１重りポートはゴルフクラブヘッドのトゥ
部分に近接して配置され、第２重りポートはゴルフクラブヘッドのヒール部分に近接して
配置されている。
【０３４９】
第１、第２、及び第３の重りポートを有するゴルフクラブヘッドの幾つかの実施形態で
は、第１重りポートと第２重りポートの間の距離は約４０ｍｍから約１００ｍｍの間であ
り、第１重りポートと第３重りポートの間の距離及び第２重りポートと第３重りポートの
間の距離は約３０ｍｍから約９０ｍｍの間である。一部の特定の実施形態では、第１重り
ポートと第２重りポートの間の距離は約６０ｍｍから約８０ｍｍの間であり、第１重りポ
ートと第３重りポートの間の距離及び第２重りポートと第３重りポートの間の距離は約５
０ｍｍから約８０ｍｍの間である。或る具体的な例では、第１重りポートと第２重りポー
トの間の距離は約８０ｍｍから約９０ｍｍの間であり、第１重りポートと第３重りポート
の間の距離及び第２重りポートと第３重りポートの間の距離は約７０ｍｍから約８０ｍｍ
の間である。幾つかの実施形態では、第１重りポートはゴルフクラブヘッドのトゥ部分に
近接して配置され、第２重りポートはゴルフクラブヘッドのヒール部分に近接して配置さ
れ、第３重りポートはゴルフクラブヘッドの後部分に近接して配置されている。
【０３５０】
第１、第２、第３、及び第４の重りポートを有するゴルフクラブヘッドの幾つかの実施
形態では、第１重りポートと第２重りポートの間の距離、第１重りポートと第４重りポー
トの間の距離、及び第２重りポートと第３重りポートの間の距離は、約４０ｍｍから約１
００ｍｍの間であり、第３重りポートと第４重りポートの間の距離は１０ｍｍから８０ｍ
ｍの間であり、第１重りポートと第３重りポートの間の距離及び第２重りポートと第４重
りポートの間の距離は約３０ｍｍから約９０ｍｍの間である。一部のより具体的な実施形
態では、第１重りポートと第２重りポートの間の距離、第１重りポートと第４重りポート
の間の距離、及び第２重りポートと第３重りポートの間の距離は、約６０ｍｍから約８０
ｍｍの間であり、第１重りポートと第３重りポートの間の距離及び第２重りポートと第４
重りポートの間の距離は約５０ｍｍから約７０ｍｍの間であり、第３重りポートと第４重
りポートの間の距離は約３０ｍｍから約５０ｍｍの間である。一部のより具体的な実施形
態では、第１重りポートはゴルフクラブヘッドの前トゥ部分に近接して配置され、第２重
りポートはゴルフクラブヘッドの前ヒール部分に近接して配置され、第３重りポートはゴ
ルフクラブヘッドの後トゥ部分に近接して配置され、第４の重りポートはゴルフクラブヘ
ッドの後ヒール部分に近接して配置されている。
【０３５１】
重りポート間距離と最大重りの積
以上に言及されている様に、重りポート間距離と重りの大きさは、ここに説明されてい
るスリーブ組立体を有するシステム内で実施可能となるＣＧ変化量に寄与する。
【０３５２】
２つ、３つ又は４つの重りを有する本願のゴルフクラブヘッドの幾つかの実施形態では
、最大重り質量に最大重りと最小重りの間の距離を乗算したものは、約４５０ｇ・ｍｍか
ら約２，０００ｇ・ｍｍの間、又は約２００ｇ・ｍｍから２，０００ｇ・ｍｍの間である
。より厳密には、一部の特定の実施形態では、最大重り質量に重り離隔距離を乗算したも
のは、約５００ｇ・ｍｍから約１，５００ｇ・ｍｍの間、又は約１，２００ｇ・ｍｍから
１，４００ｇ・ｍｍの間である。
【０３５３】
重り又は重りポートが、別の重り又は重りポートまでの距離、即ちベクトル距離（或る
基準又は特徴点から別の基準又は特徴点まで延びる直線の長さとして定義）を求めるため
の基準点として使用されている場合、基準点は典型的には重りポートの体積中心である。
【０３５４】
可動式重りクラブヘッドとスリーブ組立体が組み合わされた場合、最高レベルのクラブ
軌道修正の実現が可能になると同時にアドレス時のクラブの所望の外観を実現することが
可能になる。例えば、プレイヤーがアドレス時に開いたクラブフェース外観を持つことを
好む場合、プレイヤーはクラブを「Ｒ」即ち開いたフェース位置に入れればよい。当該プ
レイヤーは、このとき、（フェースが開いているため）フェードショットを叩くが、直線
ショット又は軽いドローを叩きたいと思えば、同じクラブを取り、重い重りをヒールポー
トへ動かしてドローバイアスを増進させることが可能である。従って、プレイヤーは、ア
ドレス時の所望の外観（この事例では開いたフェース）と所望の軌道（この事例では直線
又は軽いドロー）を持つことが可能となる。
【０３５５】
更に別の利点では、可動式重りの概念を調節可能なスリーブ位置（ロフト角、ライ角、
フェース角に作用）と組み合わせることによって、プレイヤーが実現しようと試みる所望
の軌道バイアスを増幅することが可能である。
【０３５６】
例えば、プレイヤーが可能最大ドローを実現したいと望む場合、プレイヤーはスリーブ
位置を閉じたフェース位置即ち「Ｌ」位置に調節し、更に、重い重りをヒールポートに入
れればよい。重りとスリーブ位置が一体に機能して、なし得るより大きなドローバイアス
を実現させる。他方、最も大きなフェードバイアスを実現するには、スリーブ位置を開い
たフェース即ち「Ｒ」位置に設定し、重い重りをトップポートに設置する。
【０３５７】
重りポート間距離と最大重りと最大ロフト変化の積
ここに説明されている様に、大きなＣＧ変化（最も重い重りにポート間距離を乗算）と
大きなロフト変化（２つのスリーブ位置の間での最大可能ロフト変化Δｌｏｆｔにより測
定）の組合せは、結果として、最高レベルの軌道調節性をもたらす。而して、少なくとも
２つの重りポート間の距離と最大重りと最大ロフト変化の積は、ここに記載の実施形態に
よって実現される恩恵を説明する上で重要である。
【０３５８】
１つの実施形態では、少なくとも２つの重りポート間の距離と最大重りと最大ロフト変
化の積は、約５０ｍｍ・ｇ・度から約６，０００ｍｍ・ｇ・度の間、又はなおいっそう好
適には約５００ｍｍ・ｇ・度から約３，０００ｍｍ・ｇ・度の間である。換言すると、一
部の特定の実施形態では、ゴルフクラブヘッドは、次の数式６及び数式７、即ち、
【０３５９】
【数４】
2020127845.tif 000013
【０３６０】
【数５】
2020127845.tif 000014
【０３６１】
を満たす。
【０３６２】
上の数式では、Ｄｗｐは２つの重りポート中心間距離（ｍｍ）、Ｍｈｗは最も重い重り
の質量（ｇ）、そしてΔｌｏｆｔは少なくとも２つのスリーブ位置の間での最大ロフト変
化（度）である。ここに説明されている範囲内のゴルフクラブヘッドは、最高レベルの軌
道調節性を確約するであろう。
【０３６３】
トルクレンチ
図１４に関連して、トルクレンチ６６００は、グリップ６６０２、シャンク６６０６、
及びトルクレンチ内部に収納されているトルク制限機構、を含んでいる。グリップ６６０
２とシャンク６６０６はＴ形状を形成しており、トルク制限機構はグリップ６６０２とシ
ャンク６６０６の間の中間領域６６０４に配置されている。トルク制限機構は、ここに記
載されている実施形態の可動式重り、調節可能なスリーブ、及び調節可能なソールの各特
徴の過剰な締め付けを防止する。使用時、トルク限界に達すると、例示としての実施形態
のトルク制限機構はグリップ６６０２をシャンク６６０６から回転係合解除させることに
なる。レンチ６６００は、約３０インチ−ポンドから約５０インチ−ポンドの間のトルク
に制限されているのが好ましい。より厳密には、限界は約３５インチ−ポンドから約４５
インチ−ポンドの間のトルクである。１つの例示としての実施形態では、レンチ６６００
は、約４０インチ−ポンドのトルクに制限されている。
【０３６４】
可動式重り、調節可能なスリーブ又は調節可能なロフトシステム、及び調節可能なソー
ルの各特徴、を調節する場合の単一工具即ちトルクレンチ６６００の使用は、使用者が所
望の調節を果たすのに複数の工具又は付属品を携行する必要がないという点で比類のない
利点をもたらす。
【０３６５】
シャンク６６０６は、ここに記載されている可動式重り、調節可能なスリーブ、及び調
節可能なソールの各特徴と作動可能に噛み合うように構成されている係合端、即ち先端６
６１０に終端している。１つの実施形態では、係合端又は先端６６１０は、可動式重り、
調節可能なスリーブ、及び調節可能なソールの各特徴を調節するに当たり噛み合い構成を
たった１つ有しているビット型式のねじ回し先端である。係合端は、先端の周囲周りに等
距離に離間されているローブとフルートで構成されていてもよい。
【０３６６】
一部の特定の実施形態では、単一工具６６００は、ソール角及び調節可能なスリーブ（
即ち、ロフト角、ライ角、又はフェース角に作用する）のみを調節するのに提供されてい
る。別の実施形態では、単一工具６６００は、調節可能なスリーブ及び可動式重りのみを
調節するのに提供されている。更に他の実施形態では、単一工具６６００は、可動式重り
及びソール角のみを調節するのに提供されている。
【０３６７】
複合フェース挿入部
図１５Ａは、クラウン部分６７０２、ソール部分６７２０、後部分６７１８、前部分６
７１６、トゥ領域６７０４、ヒール領域６７０６、及びスリーブ６７０８、を含んでいる
ゴルフクラブヘッド６７００の等角投影図を示している。前部分６７１６に設けられてい
る前開口部内壁６７１４の中へフェース挿入部６７１０が挿入されている。フェース挿入
部６７１０は、複数のスコアラインを含んでいてもよい。
【０３６８】
図１５Ｂは、ゴルフクラブヘッド６７００と、複合フェース挿入体６７２２及び金属キ
ャップ６７２４を含むフェース挿入部６７１０と、の分解組立図を示している。一部の特
定の実施形態では、金属キャップ６７２４は、６−４チタン又はＣＰチタンの様なチタン
合金である。幾つかの実施形態では、金属キャップ６７２５は、複合挿入体６７２２の側
壁６７３４の一部分を覆うリム部分６７３２を含んでいる。
【０３６９】
他の実施形態では、金属キャップ６７２４は、リム部分６７３２を有しておらず、複合
挿入体６７２２の側壁６７３４と実質的に面一又は同一面内である外周縁を含んでいる。
金属キャップ６７２４上には複数のスコアライン６７１２が配置されていてもよい。複合
フェース挿入部６７１０は、可変厚さを有しており、前開口部内に設けられていて前開口
部内径６７１４へ接続されている挿入部用耳部６７２６へ接着式又は機械式に付着される
。挿入部用耳部６７２６及び複合フェース挿入部６７１０は、米国特許出願第１１／６４
２，３１０号、同第１１／８２５，１３８号、同第１１／９６０，６０９号、同第１１／
９６０，６１０号、並びに米国特許第７，２６７，６２０号、同第ＲＥ４２，５４４号、
同第７，８７４，９３６号、同第７，８７４，９３７号、及び同第７，９８５，１４６号
、に記載されている型式とすることができ、当該特許出願及び特許を参考文献としてここ
にそっくりそのまま援用する。
【０３７０】
図１５Ｂは、クラブヘッド６７００のヒール領域６７０６に配置されているヒール開口
部６７３０を更に示している。ヒール開口部６７３０の中へは、以上に説明されている様
々な実施形態の中に示されている様にスリーブ６７０８をロック位置に固定するべく締結
部材６７２８が挿入される。一部の特定の実施形態では、スリーブ６７０８は、ここに開
示されている具体的な設計パラメータの何れを有していてもよく、ここに説明されている
様々なフェース角及びロフト角の向き付けを提供することができる。
【０３７１】
図１６は、ここに詳しく説明されているスリーブ６８０８、ヒール領域６８０６、前領
域６８１６、後領域６８１８、ホーゼル開口部６８２８、前開口部内壁６８１４、及び挿
入部用耳部６８２６、を有する或る代わりの実施形態を示している。但し、図１６は、前
カバー６８２４付きの複合フェース挿入体６８２２を含むフェース挿入部６８１０を示し
ている。１つの実施形態では、前カバー６８２４はポリマー材料である。フェース挿入部
６８１０は、ポリマーカバー６８２４又は複合フェース挿入体６８２２上に配置されてい
るスコアラインを含んでいてもよい。
【０３７２】
図１５Ａ−図１５Ｃ及び図１６に記載されている実施形態のクラブヘッドは、約２００
ｇから約２１０ｇ又は約１９０ｇから約２００ｇの質量を有することができる。一部の特
定の実施形態では、クラブヘッドの質量は約２０５ｇ未満である。１つの実施形態では、
質量は少なくとも約１９０ｇである。一部の特定の実施形態では、ホーゼル開口部及び挿
入部用耳部によって加増される追加の質量が、表１０及び表１１に示されている様に慣性
モーメントと重心の値に影響を及ぼすであろう。
【０３７３】
【表８】
2020127845.tif 000015
【０３７４】
【表９】
2020127845.tif 000016
【０３７５】
調節可能なロフト及びライ角を複合フェース挿入部と併せて有するゴルフクラブは、表
１０及び表１１に掲載されている慣性モーメント及びＣＧ場所を実現することができる。
一部の特定の実施形態では、ゴルフクラブヘッドは、調節可能なスリーブシステム及び複
合フェースに加え可動式の重りを含むことができる。可動式重りが実施されている実施形
態では、ここで既に説明されている同様の慣性モーメント値及びＣＧ値を実現させること
ができる。
【０３７６】
ここに記載されているゴルフクラブヘッド実施形態は、可動式重りシステム及び調節可
能なロフト、ライ、フェース角システムによって加増される追加重量に対する解を提供し
ている。ゴルフクラブへの望ましからざる重量の加増は、所望のヘッド寸法、慣性モーメ
ント、及び公称重心場所を実現し難くする。
【０３７７】
一部の特定の実施形態では、超薄壁鋳造技術と、高強度可変フェース厚さと、戦略的に
設置されているコンパクト且つ軽量な可動式重りポートと、軽量で調節可能なロフト、ラ
イ、及びフェース角システムと、の組合せが、高い効果を上げる慣性モーメント、重心、
及びヘッド寸法の値を実現することを可能にする。
【０３７８】
更に、ここに記載のスリーブ実施形態の個別の位置の都合の良さが、耐久性の増したよ
りユーザーフレンドリーなシステムを可能にさせる。
【０３７９】
回転式に調節可能なソール部分
以上に論じられている様に、従来のゴルフクラブは、ホーゼル／シャフトロフト７２の
調節をフェース角３０に相応の変化を生じさせること無しにはなし得ない。フェース角と
ホーゼル／シャフトロフト（ひいてはスクエアロフト）の間の関係を「切り離す」ように
構成されていることにより、即ちスクエアロフト２０とフェース角３０の別々の調節を可
能にさせる。
【０３８０】
特定の実施形態では、ねじ８０１６と調節可能なソール部分８０１０の組み合わされた
質量は、約２グラムから約１１グラムの間、望ましくは約４．１グラムから約４．９グラ
ムの間である。また、陥凹キャビティ８０１４と突起８０５４は、ソールが陥凹キャビテ
ィ８０１４に代えて平滑な０．６ｍｍ厚のチタン壁を有している場合に比べて、約１グラ
ムから約１０グラムの追加の質量をソール８０２２へ加えることになろう。合計で、ゴル
フクラブヘッド８０００（ソール部分８０１０を含む）は、ゴルフクラブヘッドが陥凹キ
ャビティ８０１４と調節可能なソール部分８０１０とねじ８０１６に代えて平滑な０．６
ｍｍ厚のチタン壁を有する従来のソールを有している場合に比べて、約３グラムから約２
１グラムの追加の質量を備えることになろう。
【０３８１】
他の特定の実施形態では、クラブヘッド本体８００２のクラウン８０２１の少なくとも
５０％は、約０．７ｍｍ未満の厚さを有している。
【０３８２】
更に他の特定の実施形態では、ゴルフクラブ本体８００２は、内部キャビティ（図示せ
ず）を画定しており、ゴルフクラブヘッド８０００は、約２ｍｍより大きく約８ｍｍより
小さいヘッド原点ｘ軸座標と約２５ｍｍより大きく約４０ｍｍより小さいヘッド原点ｙ軸
座標を有する重心を有しており、ここに正のｙ軸は内部キャビティに向かって延びている
。少なくともこれらの実施形態では、ゴルフクラブヘッド８０００の重心は、約０ｍｍよ
り小さいヘッド原点ｚ軸座標を有していよう。
【０３８３】
他の特定の実施形態では、ゴルフクラブヘッド８０００は、原点ｘ軸に略平行なヘッド
重心ｘ軸周りの慣性モーメントが約２００ｋｇ・ｍｍ２から約５００ｋｇ・ｍｍ２の間と
され、ゴルフクラブヘッドが理想的に位置決めされたときに地面に略直角なヘッド重心ｚ
軸周りの慣性モーメントが約３５０ｋｇ・ｍｍ２から約６００ｋｇ・ｍｍ２の間とされて
いる。
【０３８４】
一部の特定の実施形態では、ゴルフクラブヘッド８０００は、約４００ｃｃより大きな
体積と約２２０グラムより小さい質量を有することができる。
【０３８５】
下表１２は、ゴルフクラブヘッド８０００の１つの特定の実施形態の様々な特性を一覧
にしている。
【０３８６】
【表１０】
2020127845.tif 000017
【０３８７】
内部リブ
図１７−図１８は、調節可能なソール部片と、ソールの内面に配置されている複数のリ
ブと、を有する或る例示としてのゴルフクラブヘッドを示している。リブは、ソールを、
特に外部の調節可能なソール部片が取り付けられるソールの区域を補強及び安定化させ、
クラブがゴルフボールを打ったときに出す音を改善することができる。
【０３８８】
陥凹ソールポートと取り付けられる調節可能なソール部片の追加が、ボーとのインパク
ト時にクラブが出す音を不快に変化させないとも限らない。例えば、調節可能なソール部
片を持たない類似のクラブに比較して、ソール部片の追加は、３，０００Ｈｚより下及び
／又は２，０００Ｈｚより下の第１モード可聴周波数の様なより低い可聴周波数と０．０
９秒又はそれ以上の様なより長い音持続時間を生じさせかねない。低く長い可聴周波数は
ゴルファーの気を散らせる。ソールの内部面のリブを幾つかの異なった方向に向き付け、
ソールポートをクラブヘッド本体の他の強度のある構造、例えば本体のソール及び／又は
ヒールの重りポート及び／又はソールとクラウンの間のスカート領域など、へつなぐよう
にすることができる。更に、１つ又はそれ以上のリブは、ソールを更に安定化させるため
に、ホーゼルへつながれていてもよい。ソールの内部面へその様なリブが加えられること
で、クラブヘッドは、フェースでゴルフボールを打ったときに、２，５００Ｈｚより上、
３，０００Ｈzより上、及び／又は３，５００Ｈｚより上、の様なより高い可聴周波数を
、更に０．０５秒未満の様なより短い音持続時間で、発生させることができ、ゴルファー
にとってはより望ましいものとなろう。加えて、説明されているリブを備えることで、ソ
ールは、２，５００Ｈｚより大きい及び／又は３，０００Ｈｚより大きい、第１基本ソー
ルモードの固有周波数の様な周波数を持つことができ、ここに、ソールモードとはソール
上の場所に関連付けられる振動周波数である。典型的には、この場所は、ゴルフボールを
打つことによって引き起こされる最大級の撓みを呈するソール上の場所である。
【０３８９】
図１７−図２８に示されている様に、ここに記載されている例示としてのゴルフクラブ
ヘッドは、調節可能なソール部片と内部ソールリブを含んでいる。その様な例示としての
ゴルフクラブヘッドは、更に、本体のトゥ及び／又はヒールの調節可能な重り、調節可能
なシャフト取り付けシステム、可変厚さフェース板、薄壁本体構造、及び／又はここに記
載の何れかの他のクラブヘッド特徴、を含むことができる。本記述は、図１７−図１９に
示されている特定の実施形態に関して進められているが、本実施形態は一例にすぎず、根
底の概念の範囲を限定するものと考えられてはならない。例えば、例示されている実例は
多くの記載されている特徴を含んでいるが、代わりの実施形態は、これらの特徴及び／又
は追加の特徴の様々なサブセットを含むことができる。
【０３９０】
図１７は、或る例示としてのゴルフクラブヘッド９０００の分解図を示しており、図１
８は、組み立てられたヘッドを示している。ヘッド９０００は中空本体９００２を備えて
いる。本体９００２（ひいてはクラブヘッド９０００全体）は、前部分９００４、後部分
９００６、トゥ部分９００８、ヒール部分９０１０、ホーゼル９０１２、クラウン９０１
４、及びソール９０１６、を含んでいる。前部分９００４は、ここに説明されている様に
可変厚さ、複合材、及び／又は金属のフェース板であってもよいとされるフェース板９０
１８を受け入れる開口部を形成している。例示されているクラブヘッド９０００は、更に
、シャフトをホーゼル９０１２へ連結するための調節可能なシャフト接続システム９０２
０を備えることができ、当該システムは、スリーブ９０２２及びフェルール９０２４の様
な様々な構成要素を含んでいる（ホーゼル及び調節可能なシャフト接続システムに関する
更なる詳細は、例えば、米国特許第７，８８７，４３１号及び米国特許出願第１３／０７
７，８２５号、同第１２／９８６，０３０号、同第１２，６８７，００３号、同第１２／
４７４，９７３号に見いだすことができ、当該特許及び特許出願をここに参考文献として
そっくりそのまま援用する）。シャフト接続システム９０２０は、ホーゼル９０１２と一
体で、ここに詳細に説明されている様にクラブヘッド９０００のシャフトに対する向き付
けを調節するのに使用することができる。
【０３９１】
例示されているクラブヘッド９０００は、更に、ここに説明されている様に、トゥ重り
ポート９０２６の調節可能なトゥ重り９０２８、ヒール重りポート９０３０の調節可能な
ヒール重り９０３２、及びソールポート又はポケット９０３４の調節可能なソール部片９
０３６、を備えている。
【０３９２】
図１８に示されている様に、ゴルフクラブヘッド９０００のＣＧは、クラブヘッドを、
４つの象限、即ち、ＣＧの前方ヒール側である前−ヒール象限と、ＣＧの前方トゥ側であ
る前−トゥ象限と、ＣＧの後方ヒール側である後−ヒール象限と、ＣＧの後方トゥ側であ
る後−トゥ象限と、に分割している。ソールポート９０３４の中心、例えば開口９０５２
は、ＣＧ（図１８に示されている）のヒール側後方又は換言すればクラブヘッドの後−ヒ
ール象限に配置されている。よって、ソール部片９０３６の大部分とソールポート９０３
４の大部分はクラブヘッドの後−ヒール象限に配置されていることになるが、ソール部片
の一部分及び／又はソールポートの一部分は同時にクラブヘッドの後−トゥ象限に配置さ
れていることになる。幾つかの実施形態では、ソール部片全てとソールポート全てがＣＧ
の後方にある。
【０３９３】
開口９０５２が後−ヒール象限に置かれている場合、少なくとも２つのリブは開口９０
５２付近の収束場所に収束している。幾つかの実施形態では、少なくとも３つのリブ又は
少なくとも４つのリブが、クラブヘッドの後−ヒール象限に位置する収束場所に収束して
いる。後−ヒール象限に収束しているリブ数は、合計で２から１０の間のリブ数とするこ
とができるものと理解している。
【０３９４】
１つ又はそれ以上のリブは、ソール９０１６の内部面に配置されている。リブは、以上
に詳細に説明されている様に金属又は合金の様な、ソール９０１６及び／又は本体の残部
を形成している同じ材料の部分であってもよい。リブは、例えば鋳造などによって、リブ
とソールが同じモノリシック構造となるようにソールの一体部分として形成されていても
よい。リブの底はソールへ一体的に接続されていてもよく、そうすれば溶接又は他の付着
方法の必要はない。他の実施形態では、リブの１つ又はそれ以上は、少なくとも部分的に
ソールとは分離して形成され、その後ソールへ溶接などによって付着されていてもよい。
【０３９５】
リブのうちの１つ又はそれ以上は、リブの全長さに沿って一定又はほぼ一定した幅寸法
を有していてもよい。例示されている実施形態の様な幾つかの実施形態では、リブのそれ
ぞれは同一の一定した幅、例えば、約０．８ｍｍ、又は０．５ｍｍより大きく約１．５ｍ
ｍより小さい、などの幅を有している。１つの実施形態では、リブは約０．７ｍｍの幅を
有している。他の実施形態では、それぞれ異なったリブは異なった幅を有していてもよい
。幾つかの実施形態では、１つ又はそれ以上のリブの幅は、リブの端部分に近いほど太く
中間部分では細いといった様に、リブの長さに沿って変化していてもよい。一般的には、
リブの幅はリブの高さより小さい。
【０３９６】
リブのうちの１つ又はそれ以上は、クラブヘッド９０００がアドレス位置にあるとき、
地面に平行な平面上へ投影したときに直線を形成していてもよい。換言すると、リブのう
ちの１つ又はそれ以上は、それぞれの終点間を二次元の経路に沿って延びていてもよい。
幾つかの実施形態では、リブは、上から見て、少なくとも４つ、少なくとも５つ、又は少
なくとも６つの異なった方向にソールを横切って延びていてもよい。リブそれぞれの方向
は、ソール９０１６を当該方向へ安定化させるのを手助けする。而して、リブを複数の方
向に有することは、ソールの複数の方向への安定化を手助けし望ましい。
【０３９７】
ここに説明されている内部のソールリブは、ソール外部面の陥凹溝に対応しているソー
ルの隆起部分ではないことに留意されたい。そうではなく、ここに説明されているリブは
、ソールの内部面より上側に配置されている追加の構造材料を備えている。換言すると、
リブが取り去られたなら、平滑な内部ソール面が残るはずである。
【０３９８】
図１８に示されている様に、ソール９０１６は、ソールポート９０３４に隣接して、例
えばソールポートのすぐ後ろ側などに、マーカー９０９２を含んでいてもよい。三角形ソ
ール部片９０３６は、「Ｏ」、「Ｎ」、及び「Ｃ」の様な３つの表示を含んでいおり、そ
れら表示は、どの表示がマーカー９０９２に隣接しているかに依って、フェース角が「オ
ープン（開いている）」、「ニュートラル」、及び「クローズド（閉じている）」それぞ
れになるように、ソール部片が設定されていることを指し示している。同様に、五角形ソ
ール部片９０８０の下壁９０８２の底面は、フェース角設定を指し示す５つの表示ａ、ｂ
、ｃ、ｄ、及びｅを含むことができる。五角形ソール部片９０８０が、ソールポート９０
３４（図１８に類似）へ固定されるとき、表示ａ、ｂ、ｃ、ｄ、及びｅの１つをマーカー
９０９２と整列させ、すると当該表示は、どの面対Ａ−Ｅ又はどの面トリオがプラットホ
ーム９０７２と接触しているかを、ひいてはどのフェース角設定がソール部片の当該位置
付けに対応しているかを指し示すことになる。例えば、ソール部片の底の表示「ｄ」がマ
ーカー９０９２と整列していれば、それは、面Ｄがプラットホーム９０７２と接触してい
て、ソール部片は、アドレス位置にあるときのフェース角度が−２°閉じた状態となるよ
うに位置決めされていることを指し示すものである。表示ａ、ｂ、ｃ、ｄ、及びｅは、そ
れぞれ、例えば、「＋４°」、「＋２°」、「０°」、「−２°」、及び「−４°」とさ
れていてもよいし、又は特定の表示をマーカー９０９２と整列させることによってどのフ
ェース角設定が生じるかを当人に表す何か他の表示スキームであってもよい。
【０３９９】
調節可能なソール部片の形状に関係なく（円形、楕円形、多角形、三角形、四角形、五
角形、六角形、七角形、八角形、九角形、十角形、又は何れかの他の形状の如何を問わず
）、ソール部片の底面の湾曲は、ソール９０１６の前部の前接触面９０４１の湾曲に一致
するように選択されればよい。ソール部片９０３６の接触面９０４１と底面は、クラブヘ
ッドがアドレス位置にあるときに、唯一、地面に接触する２つの面となる。前接触面９０
４１とソール部片９０３６の中央開口９０８６の間の横方向距離は、約４５ｍｍから約６
０ｍｍ、例えば約５２ｍｍなど、であってもよい。
【０４００】
Ｉ．総括
例示されている実施形態の原理を示し説明してきたが、当業者には、それら実施形態は
その様な原理から逸脱することなく配列及び詳細を修正され得ることが自明であろう。例
えば、以上に開示されている実施形態は、主にドライバ及びドライビングウッド型式のク
ラブに関連してなされているが、開示されている技術の何れかの態様はより小さい体積及
び／又はより大きい質量を有するフェアウェイウッドへ組み入れることもできる。例えば
、開示されている低ＣＧ特性及び／又は静的高ロフト特性の何れかを有するフェアウェイ
ウッド又はレスキューウッドは本開示の範囲内にあるものと考えられる。例えば、開示さ
れている技術の何れか１つ又はそれ以上の態様を組み入れているフェアウェイウッドの実
施形態は、約１１０ｃｍ３から約２５０ｃｍ３の間の体積及び約１９０グラムから約２２
５グラムの間の重量を有し、また一方開示されている技術の何れか１つ又はそれ以上の態
様を組み入れているハイブリッドウッドの実施形態は、約８０ｃｍ３から約１５０ｃｍ３
の間の体積及び約２１０グラムから約２４０グラムの間の重量を有している。
【０４０１】
以上の開示は独立した実用性を有する複数の個別の発明を網羅している。これらの発明
のそれぞれは特定の形態に開示されているが、以上に開示され例示されている具体的な実
施形態は、多数の変型が実施可能であることから、限定を課す意味で考えられてはならな
い。発明の主題は、以上に開示されている及びその様な発明に関連する当業者に固有であ
る様々な要素、特徴、機能、及び／又は性質の全ての新規性及び進歩性のある組合せ及び
部分的組み合わせを含む。本開示又はそれに続けて提起されている特許請求の範囲が、「
一」要素、「第１の」要素、又は何れかのその様な同等の用語を記述している場合、当該
開示又は特許請求の範囲は１つ又はそれ以上のその様な要素を組み入れていると理解され
るべきであり、２つ又はそれ以上のその様な要素を要件としているわけでもなければ除外
しているわけでもない。
【０４０２】
出願人（出願人ら）は、新規性及び進歩性があると確信される開示されている発明の組
合せ及び部分的組み合わせに向けられた特許請求の範囲を提出する権利を留保する。特徴
、機能、要素、及び／又は性質の他の組合せ及び部分的組合せに具現化された発明が、本
出願又は関連出願でのそれらの特許請求の範囲の補正又は新たな特許請求の範囲の提示を
通じて請求されるかもしれない。その様な補正された又は新たな特許請求の範囲は、それ
らが同じ発明に向けられているにせよ異なった発明に向けられているにせよ、またそれら
が原特許請求の範囲に対し範囲が異なる、より広い、より狭い、又は等しいかどうかを問
わず、ここに記載の発明の主題内と見なされるものとする。
【０４０３】
開示されている発明の原理を適用することのできる多くの実現され得る実施形態に照ら
し、例示されている実施形態は本発明の好適な実例にすぎず、本発明の範囲を限定するも
のと取られてはならないことを認識されたい。むしろ、本発明の範囲は次に続く特許請求
の範囲及びそれらの等価物によって定義される。よって我々は、これらの特許請求の範囲
及びそれらの等価物の範囲及び精神に入る全てを我々の発明として請求する。
【符号の説明】
【０４０４】
２００  ホーゼル挿入部
２４０  内スプライン
４００  ねじ
５００  外スプライン
５０２  半径方向側壁
９０００  ゴルフクラブヘッド
９００２  中空本体
９００４  前部分
９００６  後部分
９００８  トゥ部分
９０１０  ヒール部分
９０１２  ホーゼル
９０１４  クラウン
９０１６  ソール
９０１８  フェース板
９０２０  シャフト接続システム
９０２２  スリーブ
９０２４  フェルール
９０２６  トゥ重りポート
９０２８  調節可能なトゥ重り
９０３０  ヒール重りポート
９０３２  調節可能なヒール重り
９０３４  ソールポート又はポケット
９０３６  調節可能なソール部片
９０４１  接触ゾーン、接触面
９０５２  開口
９０７２  プラットホーム
９０８０  ソール部片
９０８２  下壁
９０８６  中央開口
９０９２  マーカー
９３００  ゴルフクラブヘッド
９３０２  中空本体
９３０４  前部分
９３０６  後部分
９３０８  トゥ部分
９３１０  ヒール部分
９３１２  ホーゼル
９３１４  クラウン
９３１６  ソール
９３１８  フェース板
９３２０  チャネル
９３２２  チャネルのヒール端
９３２４  チャネルのトゥ端
９３２６  前チャネル壁
９３２７  後チャネル壁
９３２８  底チャネル壁
９３３０  前棚部
９３３２  後棚部
９３３４  ロック用突起
９３３６  装着キャビティ
９３４０  重り組立体
９３４２  ワッシャ
９３４４  質量部材
９３４６  締結用ボルト
９３４８  陥凹
９３５３  ワッシャの中央開口
９３６１  質量部材の中央開口
９３７０  通路
９３８０  リブ
１０１１０  ゴルフクラブヘッド、ヘッド本体
１０１１２  クラウン
１０１１４  ソール
１０１１５  ロフト角
１０１１７  地平面、地面
１０１１８  打球クラブフェース
１０１１９  ライ角
１０１２０  ホーゼル
１０１２１  クラブシャフトの中心線軸
１０１２２  打球面、打面
１０１２３  中心
１０１２４  ホーゼル穴
１０１２５  地平面より上方の地平面に平行な平面
１０１２６  ヒール部分
１０１２７  クラブフェースに対する接線
１０１２８  トゥ部分
１０１２９  地平面に法線方向のベクトル
１０１３０  前部分
１０１３２  後部分
１０１３４  クラブヘッドの周辺輪郭
１０１５０  クラブヘッド重心（ＣＧ）
１０１６０  クラブヘッド原点
１０１６５  ヘッド原点座標系のｚ軸
１０１７０  ヘッド原点座標系のｘ軸
１０１７５  ヘッド原点座標系のｙ軸
１０１８０  投影ＣＧ点
１０１８５  重心原点座標系のＣＧｚ軸
１０１９０  重心原点座標系のＣＧｘ軸
１０１９５  重心原点座標系のＣＧｙ軸
１０２００  ゴルフボール
１０２０２、１０２０３  フェースの後方回転
１０２０４、１０２０５  ボールの前方回転
１０８００  幾何学的中心に重心のあるドライバによるボール軌道
１０９００  低重心のドライバによるボール軌道
１２０００  ゴルフクラブヘッド
１２００２Ａ、１２００２Ｂ、１２００２Ｃ、１２００２Ｄ、１２００２Ｅ、１２０
０２Ｆ  中空本体
１２００４  前部分
１２００６  後部分
１２００８  トゥ部分
１２０１０  ヒール部分
１２０１２  ホーゼル
１２０１４  クラウン
１２０１６  ソール
１２０１８  フェース板
１２０２０、１２０２０Ｂ、１２０２０Ｅ、１２０２０Ｆ  チャネル、滑動重りトラ
ック
１２０２２  ヒール端
１２０２４  トゥ端
１２０２６  前チャネル壁
１２０２７  後チャネル壁
１２０２８  底チャネル壁
１２０３０  前棚部
１２０３２  後棚部
１２０３４  トゥ側ウィングレット、ロック用突起
１２０３６  ヒール側ウィングレット
１２０３８  装着キャビティ
１２０３９  陥凹面
１２０４０、１２０４０Ｂ、１２０４０Ｃ、１２０４０Ｄ、１２０４０Ｅ、１２０４
０Ｆ  重り組立体
１２０４２  ワッシャ
１２０４４  質量部材
１２０４６  締結ボルト
１２０４８  ロック用ノッチ
１２０５０  ワッシャの内向面
１２０５２  ワッシャの外向面
１２０５３  ワッシャの中央開口
１２０５４  内向面の中央リッジ
１２０５６  質量部材の内向面
１２０５８  質量部材の外向面
１２０６０  質量部材の中央リッジ
１２０６１  ワッシャの中央開口
１２０７０、１２０７０Ｂ  ホーゼル開口部
１２０７２  滑動式の重り
１２０７４Ａ  前方重りポート
１２０７４Ｂ  後方重りポート
１２０７６  重りポート用の重り
１２０７８  ヒール側チャネル棚部
１２０８０  リブ、トゥ側チャネル棚部
１２０８４  ねじの切られた穴部
１２０８６  キャップ
１２０８８  ゴムワッシャ
１２０９０  ギャップ
１２１２０  打球板／ソール板組合せ体
１２１２１  複合クラウンの内面
１２１２３  複合クラウンの外面
１２１３６  インターロック接合部
１２１３８Ａ、１２１３８Ｂ  噛み合い部分
１２１３９Ａ、１２１３９Ｂ  当接面
１２１７０  突出部
１２１７２  回転防止リッジ
１２１７４  溝
１２１７６  工学的ギャップ
１２１７８  軟質材料
１２１８０  ギャップ
１３０００  ゴルフクラブヘッド
１３００６  後部分
１３００８  トゥ部分
１３０１０  ヒール部分
１３０１６  ソール
１３０２０  チャネル
１３０４０  滑動式重り組立体
１５０００  ゴルフクラブヘッド
１５００２Ａ、１５００２Ｂ、１５００２Ｃ  中空本体
１５００４  前部分
１５００６  後部分
１５００８  トゥ部分
１５０１０  ヒール部分
１５０１２  ホーゼル
１５０１４  クラウン
１５０１６  ソール
１５０１８  フェース板
１５０２０  チャネル
１５０２２  チャネルのヒール端
１５０２４  チャネルのトゥ端
１５０３０  前棚部
１５０３２  後棚部
１５０４０  滑動式重り組立体
１５０４２  ワッシャ
１５０７０  ホーゼル開口部
１５０８０  リブ
１５０９４  調節可能なシャフト接続システム
１５０９６  ホーゼルねじ
１５１００  後方重りポート
１５１０２  前方重りポート
１５１０４  回転式に調節可能なソール部片（ＡＳＰ）
１５１０６  プラットホーム
１５１０８  中心柱
１５１１０  突出部
１５１１２  ねじの切られた開口部
１５１６０  後部ウィングレット
１８００２Ａ、１８００２Ｂ  ゴルフクラブヘッド
１８００４  前部分
１８００６  後部分
１８００８  トゥ部分
１８０１０  ヒール部分
１８０１２  ホーゼル
１８０１４  クラウン
１８０１６  ソール
１８０１８  フェース板
１８０２０  前方チャネル
１８０２０Ｆ  後方重りトラック
１８０４０  滑動式重り組立体
１８０４０Ｃ  前方重り
１８０７０  ホーゼル開口部
１８１４０  角度
１８１４２  フェース板の中心と交わる垂直平面
１８１４４  チャネル幅
１８１４６  前方チャネルオフセット距離
１８１４８  チャネル長さ
１８１５０  トラック長さ
１８１５２  トラック幅
１８１５４  後方トラックオフセット距離
１８１６０  後部ウィングレット
１８１６２  前方スロット
１８１６４  スロット幅
１８１６６  スロット長さ
１８１６８  スロット周長
１８１７０  フェース板の中心と交わる垂直平面とフェース板中心と同じｘ座標にお
けるスロットの間の距離
Ａ  長手方向軸
Ｂ  長手方向軸
Ｄ  距離
Ｒ  半径
Ｓ  間隔
Ｗ  幅
Ｈ  高さ
【図１Ａ】
2020127845.tif 000018
【図１Ｂ】
2020127845.tif 000019
【図２】
2020127845.tif 000020
【図３】
2020127845.tif 000021
【図４】
2020127845.tif 000022
【図５】
2020127845.tif 000023
【図６】
2020127845.tif 000024
【図７】
2020127845.tif 000025
【図８】
2020127845.tif 000026
【図９】
2020127845.tif 000027
【図１０】
2020127845.tif 000028
【図１１】
2020127845.tif 000029
【図１２】
2020127845.tif 000030
【図１３Ａ】
2020127845.tif 000031
【図１３Ｂ】
2020127845.tif 000032
【図１４】
2020127845.tif 000033
【図１５Ａ】
2020127845.tif 000034
【図１５Ｂ】
2020127845.tif 000035
【図１５Ｃ】
2020127845.tif 000036
【図１６】
2020127845.tif 000037
【図１７】
2020127845.tif 000038
【図１８】
2020127845.tif 000039
【図１９Ａ】
2020127845.tif 000040
【図１９Ｂ】
2020127845.tif 000041
【図２０Ａ】
2020127845.tif 000042
【図２０Ｂ】
2020127845.tif 000043
【図２１Ａ】
2020127845.tif 000044
【図２１Ｂ】
2020127845.tif 000045
【図２２Ａ】
2020127845.tif 000046
【図２２Ｂ】
2020127845.tif 000047
【図２３】
2020127845.tif 000048
【図２４】
2020127845.tif 000049
【図２５】
2020127845.tif 000050
【図２６】
2020127845.tif 000051
【図２７】
2020127845.tif 000052
【図２８】
2020127845.tif 000053
【図２９】
2020127845.tif 000054
【図３０】
2020127845.tif 000055
【図３１】
2020127845.tif 000056
【図３２】
2020127845.tif 000057
【図３３】
2020127845.tif 000058
【図３４Ａ】
2020127845.tif 000059
【図３４Ｂ】
2020127845.tif 000060
【図３４Ｃ】
2020127845.tif 000061
【図３４Ｄ】
2020127845.tif 000062
【図３５Ａ】
2020127845.tif 000063
【図３５Ｂ】
2020127845.tif 000064
【図３６Ａ】
2020127845.tif 000065
【図３６Ｂ】
2020127845.tif 000066
【図３６Ｃ】
2020127845.tif 000067
【図３７Ａ】
2020127845.tif 000068
【図３７Ｂ】
2020127845.tif 000069
【図３７Ｃ】
2020127845.tif 000070
【図３７Ｄ】
2020127845.tif 000071
【図３８Ａ】
2020127845.tif 000072
【図３８Ｂ】
2020127845.tif 000073
【図３９Ａ】
2020127845.tif 000074
【図３９Ｂ】
2020127845.tif 000075
【図４０】
2020127845.tif 000076
【図４１】
2020127845.tif 000077
【図４２】
2020127845.tif 000078
【図４３Ａ】
2020127845.tif 000079
【図４３Ｂ】
2020127845.tif 000080
【図４４Ａ】
2020127845.tif 000081
【図４４Ｂ】
2020127845.tif 000082
【図４５Ａ】
2020127845.tif 000083
【図４５Ｂ】
2020127845.tif 000084
【図４５Ｃ】
2020127845.tif 000085
【図４６】
2020127845.tif 000086
【図４７】
2020127845.tif 000087
【図４８Ａ】
2020127845.tif 000088
【図４８Ｂ】
2020127845.tif 000089
【図４８Ｃ】
2020127845.tif 000090
【図４８Ｄ】
2020127845.tif 000091
【図４８Ｅ】
2020127845.tif 000092
【図４９】
2020127845.tif 000093
【図５０】
2020127845.tif 000094
【図５１】
2020127845.tif 000095
【図５２】
2020127845.tif 000096
【図５３】
2020127845.tif 000097
【図５４Ａ】
2020127845.tif 000098
【図５４Ｂ】
2020127845.tif 000099
【図５５Ａ】
2020127845.tif 000100
【図５５Ｂ】
2020127845.tif 000101
【図５５Ｃ】
2020127845.tif 000102
【図５５Ｄ】
2020127845.tif 000103
【図５６Ａ】
2020127845.tif 000104
【図５６Ｂ】
2020127845.tif 000105
【図５６Ｃ】
2020127845.tif 000106
【図５６Ｄ】
2020127845.tif 000107
【図５６Ｅ】
2020127845.tif 000108
【図５７Ａ】
2020127845.tif 000109
【図５７Ｂ】
2020127845.tif 000110
【図５７Ｃ】
2020127845.tif 000111
【図５７Ｄ】
2020127845.tif 000112
【図５８】
2020127845.tif 000113
【図５９】
2020127845.tif 000114
【図６０Ａ】
2020127845.tif 000115
【図６０Ｂ】
2020127845.tif 000116
【図６０Ｃ】
2020127845.tif 000117
【図６０Ｄ】
2020127845.tif 000118
【手続補正書】
【提出日】令和2年7月6日(2020.7.6)
【手続補正１】
【補正対象書類名】特許請求の範囲
【補正対象項目名】全文
【補正方法】変更
【補正の内容】
【特許請求の範囲】
【請求項１】
フェースとクラウンとソールとを有し、該フェースと該クラウンと該ソールとが一体となって内部キャビティを定める本体であって、前記ソールに配置され全体的に該本体のヒール端から該本体のトゥ端に延びるチャネルを有する本体と、
前記チャネルの内部において移動可能に配置された少なくとも１つの重りであって、前記チャネルの内部において該少なくとも１つの重りの位置が調節可能である、少なくとも１つの重りと、
前記チャネルの内部において全体的に該チャネルのヒール端から該チャネルのトゥ端に延びる少なくとも１つの棚部であって、前記少なくとも１つの重りが当該少なくとも１つの棚部に調節可能に締め付けられるように構成される、少なくとも１つの棚部と、
前記内部キャビティの内面に設けられ、前記チャネルの内面を前記本体の少なくとも１つの他の内面に接続する少なくとも１つのリブと、
前記チャネルの使用可能な部分に組み込まれた、前記少なくとも１つの重りを装着するための装着キャビティであって、該装着キャビティが前記少なくとも１つの重りが調節可能に締め付けられるように構成される場所となるように、前記少なくとも１つの棚部が延びている、装着キャビティと、
を具備するゴルフクラブヘッドであって、
前記少なくとも１つの重りが、開口を有する外側部材と、ねじの切られた開口を有する内側部材と、前記外側部材の前記開口を通って延び、前記内側部材の前記ねじの切られた開口に螺合して、前記内側部材及び前記外側部材を前記少なくとも１つの棚部に対して前記チャネルに沿った選択的な位置において締め付ける締付ボルトと、を含み、
前記締付ボルトは、前記少なくとも１つの重りが前記少なくとも１つの棚部に締め付けられるときに張力を掛けられる、
ことを特徴とするゴルフクラブヘッド。
【請求項２】
約２ｇ／ｃｃ未満の密度を有する複合材料から形成される軽量パネルにより囲まれるクラウン開口をさらに具備する、請求項１に記載のゴルフクラブヘッド。
【請求項３】
前記フェースが、可変厚みを有するフェースプレートを受け入れるフェース開口を具備する、請求項２に記載のゴルフクラブヘッド。
【請求項４】
前記フェースプレートが複合フェースプレートである、請求項３に記載のゴルフクラブヘッド。
【請求項５】
前記装着キャビティは、
前記内側部材が前記少なくとも１つの棚部から十分な距離だけ下方において或る角度で挿入され、前記棚部の上方に回転させられて配置されるときに、
前記内側部材を受け入れるように構成され、
前記装着キャビティ前記チャネルの一端に配置される、請求項４に記載のゴルフクラブヘッド。
【請求項６】
前記チャネルと、前記フェースの中心を通る第１垂直面との間の距離が、前記チャネルの全長にわたって約５０ｍｍ未満である、請求項５に記載のゴルフクラブヘッド。
【請求項７】
前記フェースが、可変厚みを有するフェースプレートを受け入れるフェース開口を具備する、請求項１に記載のゴルフクラブヘッド。
【請求項８】
前記チャネルが、ヒール端と、トゥ端と、前方チャネル壁と、後方チャネル壁と、を含み、
前記装着キャビティが前記チャネルの端部に配置される、請求項１に記載のゴルフクラブヘッド。
【請求項９】
前記装着キャビティが、前記重りの前記チャネルにおける装着を容易にする陥凹面を含む、請求項１に記載のゴルフクラブヘッド。
【請求項１０】
前記本体の前記ヒール端に配置され、締結部材を受け入れるように構成されるヒール開口と、
前記締結部材によりロック位置に固定されるスリーブを含むヘッド対シャフト接続システムであって、当該ゴルフクラブヘッドをゴルフクラブシャフトに複数の異なった位置において調節可能に取り付けられ得るようにして、ロフト角、フェース角又はライ角の異なる組み合わせの調節性範囲を生じさせるように構成されるヘッド対シャフト接続システムと、をさらに具備する、請求項１に記載のゴルフクラブヘッド。
【請求項１１】
前記ヒール開口が前記チャネルの内部に配置される、請求項１０に記載のゴルフクラブヘッド。
【請求項１２】
当該ゴルフクラブヘッドの底部に取り付けられる第２の重りをさらに具備する、請求項１に記載のゴルフクラブヘッド。
【請求項１３】
前記第２の重りが後方ウィングレットに取り付けられる、請求項１２に記載のゴルフクラブヘッド。
【請求項１４】
内部キャビティと、フェース開口、クラウン開口及びソール開口を含む１又はそれ以上の開口と、を有する本体、を具備するゴルフクラブヘッドであって、
前記クラウン開口及び前記ソール開口が、約２ｇ／ｃｃ未満の密度を有する複合材料から形成される軽量パネルにより囲まれており、
前記フェース開口が可変厚みを有するフェースプレートを受け入れ、
さらに、当該ゴルフクラブヘッドが、拡大ヘッド部と該拡大ヘッド部から延びるねじの切られたシャフトとを含む締付ボルトにより、当該ゴルフクラブヘッドの下部に取り付けられる少なくとも１つの重り、を具備し、
前記少なくとも１つの重りが、前記締付ボルトの前記ねじの切られたシャフトを受け入れるための、ねじの切られていない穴部を具備し、
前記少なくとも１つの重りが、前記締付ボルトの前記拡大頭部を受け入れるために、前記ねじの切られていない穴部に連通する対向穴部を具備し、
前記少なくとも１つの重りが、当該ゴルフクラブヘッドの前記下部に沿って複数位置に再度配置可能であり、
前記締付ボルトは、前記少なくとも１つの重りが当該ゴルフクラブヘッドに取り付けられるときに張力を掛けられる、
ことを特徴とするゴルフクラブヘッド。
【請求項１５】
前記本体の前記ヒール端に配置され、締結部材を受け入れるように構成されるヒール開口と、
前記締結部材によりロック位置に固定されるスリーブを含むヘッド対シャフト接続システムであって、当該ゴルフクラブヘッドをゴルフクラブシャフトに複数の異なった位置において調節可能に取り付けられ得るようにして、ロフト角、フェース角又はライ角の異なる組み合わせの調節性範囲を生じさせるように構成されるヘッド対シャフト接続システムと、をさらに具備する、請求項１４に記載のゴルフクラブヘッド。
【請求項１６】
前記少なくとも１つの重りが取り付けられる前記複数の位置のうちの少なくとも１つの位置が、当該ゴルフクラブヘッドの前方部分に配置された前側位置であり、
前記少なくとも１つの重りが取り付けられる前記複数の位置のうちの少なくとも１つの位置が、当該ゴルフクラブヘッドの後方部分に配置された後側位置である、請求項１５に記載のゴルフクラブヘッド。
【請求項１７】
前記少なくとも１つの重りが取り付けられる前記複数の位置のうちの少なくとも１つの位置が、当該ゴルフクラブヘッドのトゥ端に配置されたトゥ位置であり、
前記少なくとも１つの重りが取り付けられる前記複数の位置のうちの少なくとも１つの位置が、当該ゴルフクラブヘッドのヒール端に配置されたヒール位置である、請求項１５に記載のゴルフクラブヘッド。
【請求項１８】
前記少なくとも１つの重りが取り付けられる前記複数の位置のうちの少なくとも１つの位置が、後方ウィングレットに近い、請求項１５に記載のゴルフクラブヘッド。
【請求項１９】
前記ソールに配置され、全体的に前記本体のヒール端から該本体のトゥ端に延びるチャネル、をさらに具備し、
前記少なくとも１つの重りが前記チャネルの内部において移動可能に配置される、請求項１５に記載のゴルフクラブヘッド。
【請求項２０】
前記チャネルが、前記チャネルの使用可能部分に組み込まれた、前記少なくとも１つの重りを装着するための装着キャビティを具備する、請求項１９に記載のゴルフクラブヘッド。